(57)【要約】  分光標識蛋白質（例えばＮＭＲ活性同位体、スピンラベル、常磁性金属用キレート剤等で部位特異的に標識した蛋白質）の作製及び／又は分析方法を提供する。標識蛋白質は直交アミノアシルｔＲＮＡシンテターゼ／ｔＲＮＡ対を含む翻訳系で作製される。ＮＭＲ共鳴の帰属方法（例えば同位体標識蛋白質を使用する方法）も提供する。【特許請求の範囲】
【請求項１】
分光標識蛋白質の作製及び分析方法であって、
蛋白質をコードする核酸を翻訳系で翻訳することにより、分光標識蛋白質を作製する段階と；
分光標識蛋白質を分光技術に付す段階を含み、
前記核酸がセレクターコドンを含み、
前記翻訳系がセレクターコドンを認識する直交ｔＲＮＡ（Ｏ−ｔＲＮＡ）と、分光ラベルを含む非天然アミノ酸と、Ｏ−ｔＲＮＡを非天然アミノ酸で優先的にアミノアシル化する直交アミノアシルｔＲＮＡシンテターゼ（Ｏ−ＲＳ）を含み、
前記非天然アミノ酸が、
ａ）７Ｌｉ、１３Ｂ、１４Ｎ、１５Ｎ、１７Ｏ、１９Ｆ、２３Ｎａ、２７Ａｌ、２９Ｓｉ、３１Ｐ、５９Ｃｏ、７７Ｓｅ、１１３Ｃｄ、１１９Ｓｎ、１９５Ｐｔ、及びその組合わせから構成される群から選択されるＮＭＲ活性同位体を含む同位体標識非天然アミノ酸、
ｂ）スピン標識アミノ酸、又は
ｃ）常磁性金属用キレート剤を含み；
前記分光技術がＮＭＲ分光法である前記方法。
【請求項２】
非天然アミノ酸が同位体標識非天然アミノ酸を含み、ＮＭＲ活性同位体がメチル基、アミノ基、アジド基、ケト基、カルボキシ基、シアノ基、アルキル基、アルコキシ基、アルキニル基、チオール基、ハロゲン原子、アリール基、糖残基、光架橋性部分、又は光感受性基の部分である請求項１に記載の方法。
【請求項３】
非天然アミノ酸が同位体標識非天然アミノ酸を含み、同位体標識非天然アミノ酸がＯ−メチル−Ｌ−チロシンを含む請求項１に記載の方法。
【請求項４】
同位体標識非天然アミノ酸が１５Ｎ標識ｐ−メトキシフェニルアラニンを含む請求項３に記載の方法。
【請求項５】
非天然アミノ酸が同位体標識非天然アミノ酸を含み、分光標識蛋白質が更に第２のＮＭＲ活性同位体を含む第２の同位体標識アミノ酸を含む請求項１に記載の方法。
【請求項６】
非天然アミノ酸がスピン標識アミノ酸を含み、スピン標識アミノ酸がニトロキシド基を含む請求項１に記載の方法。
【請求項７】
非天然アミノ酸が常磁性金属用キレート剤を含み、キレート剤がＥＤＴＡを含み、常磁性金属がＭｎ２＋、Ｃｕ２＋、Ｚｎ２＋、Ｃｏ２＋、及びＧｄ３＋から構成される群から選択される請求項１に記載の方法。
【請求項８】
翻訳系が細胞を含む請求項１に記載の方法。
【請求項９】
細胞が原核細胞を含む請求項８に記載の方法。
【請求項１０】
細胞が真核細胞を含む請求項８に記載の方法。
【請求項１１】
真核細胞が酵母細胞である請求項１０に記載の方法。
【請求項１２】
真核細胞が哺乳動物細胞である請求項１０に記載の方法。
【請求項１３】
細胞が大腸菌細胞を含み、Ｏ−ｔＲＮＡとＯ−ＲＳがＭ．ｊａｎｎａｓｃｈｉｉチロシルｔＲＮＡ／ｔＲＮＡシンテターゼ対を含む請求項８に記載の方法。
【請求項１４】
細胞が真核細胞を含み、Ｏ−ｔＲＮＡとＯ−ＲＳが原核直交ｔＲＮＡ／ｔＲＮＡシンテターゼ対を含む請求項８に記載の方法。
【請求項１５】
Ｏ−ｔＲＮＡがＯ−ＲＳと同一生物に由来する請求項８に記載の方法。
【請求項１６】
Ｏ−ｔＲＮＡがＯ−ＲＳと同一生物に由来しない請求項８に記載の方法。
【請求項１７】
分光技術がＨＳＱＣ実験、ＴＲＯＳＹ実験、ＳＥＡ−ＴＲＯＳＹ実験、ＴＲＯＳＹ−ＨＳＱＣ実験、ＮＯＥＳＹ実験、又はＨＳＱＣ−ＮＯＥＳＹ実験から構成される群から選択される請求項１に記載の方法。
【請求項１８】
分光標識蛋白質が１５Ｎ同位体を含み、分光技術が溶媒露出アミン横緩和最適化分光法（ＳＥＡ−ＴＲＯＳＹ）実験を含む請求項１に記載の方法。
【請求項１９】
分光技術が分光標識蛋白質にｉｎ  ｖｉｖｏで実施される請求項１に記載の方法。
【請求項２０】
分光段階が更に分光標識蛋白質の構造又はダイナミクスの１個以上の変化に関する情報を生成する段階を含む請求項１に記載の方法。
【請求項２１】
分光標識蛋白質とリガンド又は基質の間の相互作用を分析する段階を更に含む請求項１に記載の方法。
【請求項２２】
相互作用が分光標識蛋白質のコンホメーション変化を含む請求項２１に記載の方法。
【請求項２３】
相互作用が分光標識蛋白質により実施される触媒反応を含む請求項２１に記載の方法。
【請求項２４】
ＮＭＲ共鳴を該当蛋白質の１個以上のアミノ酸残基に帰属させる方法であって、
７Ｌｉ、１３Ｂ、１４Ｎ、１５Ｎ、１７Ｏ、１９Ｆ、２３Ｎａ、２７Ａｌ、２９Ｓｉ、３１Ｐ、５９Ｃｏ、７７Ｓｅ、１１３Ｃｄ、１１９Ｓｎ、１９５Ｐｔ、及びその組合わせから構成される群から選択されるＮＭＲ活性同位体を含む非天然アミノ酸を提供する段階と；
ａ）該当蛋白質をコードし、蛋白質の特定部位に非天然アミノ酸を組込むための少なくとも１個のセレクターコドンを含む核酸と；
ｂ）セレクターコドンを認識する直交ｔＲＮＡ（Ｏ−ｔＲＮＡ）と；
ｃ）Ｏ−ｔＲＮＡを非天然アミノ酸で優先的にアミノアシル化する直交アミノアシルｔＲＮＡシンテターゼ（Ｏ−ＲＳ）を含む翻訳系に非天然アミノ酸を組込み、該当する同位体標識蛋白質を作製する段階と；
同位体標識蛋白質にＮＭＲ実験を実施する段階と；
非天然アミノ酸のＮＭＲ活性同位体と近接原子の相互作用により生成されたデータを分析することにより、１個以上のＮＭＲ共鳴を蛋白質の１個以上のアミノ酸残基に帰属させる段階を含む前記方法。
【請求項２５】
ＮＭＲ活性同位体が１５Ｎを含む請求項２４に記載の方法。
【請求項２６】
ＮＭＲ実験がＨＳＱＣ実験、ＴＲＯＳＹ実験、ＳＥＡ−ＴＲＯＳＹ実験、ＴＲＯＳＹ−ＨＳＱＣ実験、ＮＯＥＳＹ実験、及びＨＳＱＣ−ＮＯＥＳＹ実験から構成される群から選択される請求項２４に記載の方法。
【請求項２７】
非天然アミノ酸の特定部位が蛋白質の活性部位又はリガンド結合部位を含む請求項２４に記載の方法。
【請求項２８】
非天然アミノ酸の特定部位が蛋白質の活性部位又はリガンド結合部位の近接部位を含む請求項２４に記載の方法。
【請求項２９】
翻訳系が細胞を含む請求項２４に記載の方法。
【請求項３０】
同位体標識蛋白質にＮＭＲ実験を実施する段階が同位体標識蛋白質を含む細胞抽出液でデータを収集する段階を含む請求項２９に記載の方法。
【請求項３１】
同位体標識蛋白質にＮＭＲ実験を実施する段階が同位体標識蛋白質でｉｎ  ｖｉｖｏでデータを収集する段階を含む請求項２９に記載の方法。
【請求項３２】
該当蛋白質の特定位置を占有するアミノ酸残基にＮＭＲ共鳴を帰属させる方法であって、
ＮＭＲ活性同位体を含むアミノ酸残基を特定位置に含む蛋白質を含む第１のサンプルを提供する段階と；
第１のサンプルにＮＭＲ実験を実施し、第１組のデータを収集する段階と；
ＮＭＲ活性同位体をもたない非天然アミノ酸を特定位置に含む蛋白質を含む第２のサンプルを提供する段階と；
第２のサンプルにＮＭＲ実験を実施し、第２組のデータを収集する段階と；
第１組のデータと第２組のデータを比較し、第１組に存在し且つ第２組に存在しない共鳴を特定位置のアミノ酸残基に帰属させる段階を含む前記方法。
【請求項３３】
ＮＭＲ活性同位体が１５Ｎ、１３Ｃ、又は１９Ｆを含む請求項３２に記載の方法。
【請求項３４】
第２のサンプルを提供する段階が蛋白質をコードする核酸を翻訳系で翻訳する段階を含み、
前記核酸が、蛋白質の特定部位に非天然アミノ酸を組込むためのセレクターコドンを含み、
前記翻訳系がセレクターコドンを認識する直交ｔＲＮＡ（Ｏ−ｔＲＮＡ）と、ＮＭＲ活性ラベルをもたない非天然アミノ酸と、Ｏ−ｔＲＮＡを非天然アミノ酸で優先的にアミノアシル化する直交アミノアシルｔＲＮＡシンテターゼ（Ｏ−ＲＳ）を含む請求項３２に記載の方法。
【請求項３５】
分光標識蛋白質の作製及び分析方法であって、
蛋白質をコードする核酸を翻訳系で翻訳することにより、特定位置に非天然アミノ酸を含む翻訳蛋白質を作製する段階と；
翻訳蛋白質の非天然アミノ酸に分光ラベルを結合することにより、分光標識蛋白質を作製する段階と；
分光標識蛋白質を分光技術に付す段階を含み、
前記核酸が、蛋白質の特定部位に非天然アミノ酸を組込むためのセレクターコドンを含み、
前記翻訳系がセレクターコドンを認識する直交ｔＲＮＡ（Ｏ−ｔＲＮＡ）と、非天然アミノ酸と、Ｏ−ｔＲＮＡを非天然アミノ酸で優先的にアミノアシル化する直交アミノアシルｔＲＮＡシンテターゼ（Ｏ−ＲＳ）を含み；
前記分光技術がＮＭＲ分光法である前記方法。
【請求項３６】
非天然アミノ酸がｐ−アセチル−Ｌ−フェニルアラニン、ｍ−アセチル−Ｌ−フェニルアラニン、Ｏ−アリル−Ｌ−チロシン、Ｏ−（２−プロピニル）−Ｌ−チロシン、ｐ−エチルチオカルボニル−Ｌ−フェニルアラニン、ｐ−（３−オキソブタノイル）−Ｌ−フェニルアラニン、ｐ−アジド−Ｌ−フェニルアラニン、又はｐ−ベンゾイル−Ｌ−フェニルアラニンを含む請求項３５に記載の方法。
【請求項３７】
分光ラベルが同位体ラベルを含む請求項３５に記載の方法。
【請求項３８】
同位体ラベルがＮＭＲ活性同位体を含む請求項３７に記載の方法。
【請求項３９】
分光ラベルがスピンラベルを含む請求項３５に記載の方法。
【請求項４０】
スピンラベルがニトロキシド基を含む請求項３９に記載の方法。
【請求項４１】
スピンラベルが２，２，６，６−テトラメチルピペリジン−１−オキシル（ＴＥＭＰＯ）又は２，２，５，５−テトラメチルピロリン−１−オキシルを含む請求項３９に記載の方法。
【請求項４２】
分光標識蛋白質を分光技術に付す段階が、分光標識蛋白質にＮＭＲ実験を実施し、第１組のデータを収集する段階を含み；前記方法が分光標識蛋白質を還元し、分光標識蛋白質の還元形を提供する段階と、分光標識蛋白質の還元形にＮＭＲ実験を実施し、第２組のデータを収集する段階を含む請求項３９に記載の方法。
【請求項４３】
分光ラベルが常磁性金属用キレート剤を含む請求項３５に記載の方法。
【請求項４４】
キレート剤がＥＤＴＡを含み、常磁性金属がＭｎ２＋、Ｃｕ２＋、Ｚｎ２＋、Ｃｏ２＋、及びＧｄ３＋から構成される群から選択される請求項４３に記載の方法。
【請求項４５】
分光ラベルを非天然アミノ酸に結合する段階が、キレート剤を非天然アミノ酸に共有結合する段階と、常磁性金属をキレート剤と結合する段階を含む請求項４３に記載の方法。
【請求項４６】
分光ラベルを非天然アミノ酸に結合する段階が、分光ラベルを非天然アミノ酸に共有結合する段階を含む請求項３５に記載の方法。
【請求項４７】
分光ラベルを非天然アミノ酸に結合する前に翻訳蛋白質を精製する段階を含む請求項３５に記載の方法。
【請求項４８】
翻訳系が細胞を含む請求項３５に記載の方法。
【請求項４９】
細胞が原核細胞を含む請求項４８に記載の方法。
【請求項５０】
細胞が真核細胞を含む請求項４８に記載の方法。
【請求項５１】
真核細胞が酵母細胞である請求項５０に記載の方法。
【請求項５２】
真核細胞が哺乳動物細胞である請求項５０に記載の方法。
【請求項５３】
細胞が大腸菌細胞を含み、Ｏ−ｔＲＮＡとＯ−ＲＳがＭ．ｊａｎｎａｓｃｈｉｉチロシルｔＲＮＡ／ｔＲＮＡシンテターゼ対を含む請求項４８に記載の方法。
【請求項５４】
細胞が真核細胞を含み、Ｏ−ｔＲＮＡとＯ−ＲＳが原核直交ｔＲＮＡ／ｔＲＮＡシンテターゼ対を含む請求項４８に記載の方法。
【請求項５５】
分光段階が更に分光標識蛋白質の三次元構造に関する情報を生成する段階を含む請求項３５に記載の方法。
【請求項５６】
分光段階が更に分光標識蛋白質の構造又はダイナミクスの１個以上の変化に関する情報を生成する段階を含む請求項３５に記載の方法。
【請求項５７】
分光標識蛋白質とリガンド又は基質の間の相互作用を分析する段階を更に含む請求項３５に記載の方法。
【請求項５８】
相互作用が分光標識蛋白質のコンホメーション変化を含む請求項５７に記載の方法。
【発明の詳細な説明】
【技術分野】
【０００１】
（関連出願とのクロスリファレンス）
本願は米国仮特許出願ＵＳＳＮ６０／６１２，３４３（出願日２００４年９月２２日）及びＵＳＳＮ６０／６４５，９２６（出願日２００５年１月２１日）の関連出願である。本願は３５Ｕ．Ｓ．Ｃ．§１１９（ｅ）及び他の任意適用法又は規則に従い、これらの出願の優先権と特典を主張する。前記各出願はその開示内容全体を参考資料として全目的で本明細書に組込む。
【０００２】
（連邦政府支援研究開発から創出された発明の権利に関する陳述）
本発明は国立衛生研究所助成番号ＧＭ６２１５９として米国政府助成下に創出された。従って、米国政府は本発明に所定の権利をもつことができる。
【０００３】
（発明の技術分野）
本発明は翻訳生化学の分野に関する。本発明は分光標識蛋白質（例えばＮＭＲ活性同位体、スピンラベル、常磁性金属用キレート剤等で部位特異的に標識した蛋白質）の作製及び／又は分析方法に関する。本発明はＮＭＲ共鳴の帰属方法にも関する。
【背景技術】
【０００４】
該当分子の分子量が増すにつれて横緩和速度の増加によりシグナルオーバーラップとシグナル低下が生じるため、ＮＭＲ（核磁気共鳴）分光法による生体巨大分子の試験は困難になる。２Ｈ、１３Ｃ、及び１５Ｎによる蛋白質の部分的均質標識を異種核多次元ＮＭＲ実験と組合わせることによりこれらの問題をある程度まで解決することができ、分子量３０ｋＤａの蛋白質の構造が解明されている（Ｇｏｔｏ  ａｎｄ  Ｋａｙ（２０００）Ｃｕｒｒ．Ｏｐｉｎ．Ｓｔｒｕｃｔ．Ｂｉｏｌ．１０：５８５；Ｇａｒｄｎｅｒ（１９９８）Ａｎｎｕ．Ｒｅｖ．Ｂｉｏｐｈｙｓ．Ｂｉｏｍｏｌ．Ｓｔｒｕｃｔ．２７：３５７；Ｗｕｔｈｒｉｃｈ（２００３）Ａｎｇｅｗ．Ｃｈｅｍ．Ｉｎｔ．Ｅｄ．４２：３３４０；及びＢａｘ（１９９４）Ｃｕｒｒ．Ｏｐｉｎ．Ｓｔｒｕｃｔ．Ｂｉｏｌ．４：７３８）。横緩和最適化分光法（ＴＲＯＳＹ）の開発により溶液ＮＭＲ試験の限界は９００ｋＤａのシステムまで拡張した（Ｐｅｒｖｕｓｈｉｎら（１９９７）Ｐｒｏｃ．Ｎａｔｌ．Ａｃａｄ．Ｓｃｉ．Ｕ．Ｓ．Ａ．９４：１２３６６；Ｆｉａｕｘら（２００２）Ｎａｔｕｒｅ  ４１８：２０７；及びＦｅｒｎａｎｄｅｚ  ａｎｄ  Ｗｉｄｅｒ（２００３）Ｃｕｒｒ．Ｏｐｉｎ．Ｓｔｒｕｃｔ．Ｂｉｏｌ．１３：５７０）。しかし、最終的には、利用可能な最大磁場でも大きな蛋白質の共鳴を分解することは不可能になると思われる。
【０００５】
蛋白質の特定アミノ酸に共鳴を帰属させることはＮＭＲ試験の重要な段階である。このような帰属は例えば大きな蛋白質の試験では、１種以上のアミノ酸をＮＭＲ活性同位体で部位特異的に標識することにより助長することができる（例えばＥｌｌｍａｎら（１９９２）Ｊ．Ａｍ．Ｃｈｅｍ．Ｓｏｃ．１１４：７９５９参照）。
【０００６】
ＮＭＲ測定に十分な量を得るために、大半の同位体標識蛋白質は最小培地を１３Ｃグルコース、１５Ｎアンモニウム塩、及び重水と併用して大腸菌で組換え発現される。しかし、このような技術は一般に蛋白質の全部ではないとしても多くのアミノ酸残基を同時に標識してしまう。同位体をより選択的に組込むためのストラテジーとしては、多くの場合には栄養要求性細菌発現株を利用し、標識アミノ酸を規定培地に加えて実験に補充する方法（Ｇａｒｄｎｅｒ（１９９８）Ａｎｎｕ．Ｒｅｖ．Ｂｉｏｐｈｙｓ．Ｂｉｏｍｏｌ．Ｓｔｒｕｃｔ．２７：３５７）、「逆同位体」標識（Ｖｕｉｓｔｅｒら（１９９４）Ｊ．Ａｍ．Ｃｈｅｍ．Ｓｏｃ．１１６：９２０６；Ｋｅｌｌｙら（１９９９）Ｊ．Ｂｉｏｍｏｌ．ＮＭＲ  １４：７９）、トランススプライシングによるセグメント標識（Ｙａｍａｚａｋｉ（１９９８）Ｊ．Ａｍ．Ｃｈｅｍ．Ｓｏｃ．１２０：５５９１）、又は化学ライゲーション（Ｘｕら（１９９９）Ｐｒｏｃ．Ｎａｔｌ．Ａｃａｄ．Ｓｃｉ．ＵＳＡ  ９６：３８８）や化学的にアミノアシル化したサプレッサーｔＲＮＡを使用する無細胞発現系（Ｙａｂｕｋｉら（１９９８）Ｊ．Ｂｉｏｍｏｌ．ＮＭＲ  １１：２９５）による完全及び半合成が挙げられる。同位体ラベルの部位特異的蛋白質組込みは上記方法（Ｅｌｌｍａｎら（１９９２）Ｊ．Ａｍ．Ｃｈｅｍ．Ｓｏｃ．１１４：７９５９）により実証されているが、ＮＭＲ測定に十分なミリグラム量の生産は時間と費用がかかる。
【非特許文献１】Ｇｏｔｏ  ａｎｄ  Ｋａｙ（２０００）Ｃｕｒｒ．Ｏｐｉｎ．Ｓｔｒｕｃｔ．Ｂｉｏｌ．１０：５８５
【非特許文献２】Ｇａｒｄｎｅｒ（１９９８）Ａｎｎｕ．Ｒｅｖ．Ｂｉｏｐｈｙｓ．Ｂｉｏｍｏｌ．Ｓｔｒｕｃｔ．２７：３５７
【非特許文献３】Ｗｕｔｈｒｉｃｈ（２００３）Ａｎｇｅｗ．Ｃｈｅｍ．Ｉｎｔ．Ｅｄ．４２：３３４０
【非特許文献４】Ｂａｘ（１９９４）Ｃｕｒｒ．Ｏｐｉｎ．Ｓｔｒｕｃｔ．Ｂｉｏｌ．４：７３８
【非特許文献５】Ｐｅｒｖｕｓｈｉｎら（１９９７）Ｐｒｏｃ．Ｎａｔｌ．Ａｃａｄ．Ｓｃｉ．Ｕ．Ｓ．Ａ．９４：１２３６６
【非特許文献６】Ｆｉａｕｘら（２００２）Ｎａｔｕｒｅ  ４１８：２０７
【非特許文献７】Ｆｅｒｎａｎｄｅｚ  ａｎｄ  Ｗｉｄｅｒ（２００３）Ｃｕｒｒ．Ｏｐｉｎ．Ｓｔｒｕｃｔ．Ｂｉｏｌ．１３：５７０
【非特許文献８】Ｅｌｌｍａｎら（１９９２）Ｊ．Ａｍ．Ｃｈｅｍ．Ｓｏｃ．１１４：７９５９
【非特許文献９】Ｖｕｉｓｔｅｒら（１９９４）Ｊ．Ａｍ．Ｃｈｅｍ．Ｓｏｃ．１１６：９２０６
【非特許文献１０】Ｋｅｌｌｙら（１９９９）Ｊ．Ｂｉｏｍｏｌ．ＮＭＲ  １４：７９
【非特許文献１１】Ｙａｍａｚａｋｉ（１９９８）Ｊ．Ａｍ．Ｃｈｅｍ．Ｓｏｃ．１２０：５５９１
【非特許文献１２】Ｘｕら（１９９９）Ｐｒｏｃ．Ｎａｔｌ．Ａｃａｄ．Ｓｃｉ．ＵＳＡ  ９６：３８８
【非特許文献１３】Ｙａｂｕｋｉら（１９９８）Ｊ．Ｂｉｏｍｏｌ．ＮＭＲ  １１：２９５
【発明の開示】
【発明が解決しようとする課題】
【０００７】
従って、ＮＭＲ分析のために同位体標識アミノ酸の部位特異的蛋白質組込みを助長する方法が必要とされている。本発明は以下の開示から自明の通り、上記及び他の要求に対処する。
【課題を解決するための手段】
【０００８】
本発明は直交アミノアシルｔＲＮＡシンテターゼと直交ｔＲＮＡを含む翻訳系を使用して分光標識非天然アミノ酸の部位特異的蛋白質組込みにより分光標識蛋白質を作製及び／又は分析する方法を提供する。本発明は前記翻訳系を使用して同位体標識非天然アミノ酸を蛋白質に部位特異的に組込むことによりＮＭＲ共鳴を帰属させる方法も提供する。本発明は更に直交アミノアシルｔＲＮＡシンテターゼと直交ｔＲＮＡを含む翻訳系を使用して非天然アミノ酸を蛋白質に部位特異的に組込んだ後に分光ラベルを非天然アミノ酸に結合することにより分光標識蛋白質を作製及び／又は分析する方法も提供する。
【０００９】
従って、第１の一般分類の態様は分光標識蛋白質の作製及び／又は分析方法を提供する。本方法では、蛋白質をコードする核酸を翻訳系で翻訳する。核酸はセレクターコドンを含む。翻訳系はセレクターコドンを認識する直交ｔＲＮＡ（Ｏ−ｔＲＮＡ）と、分光ラベルを含む非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより分光標識蛋白質を作製する。
【００１０】
１分類の態様では、非天然アミノ酸は、ａ）７Ｌｉ、１３Ｂ、１４Ｎ、１５Ｎ、１７Ｏ、１９Ｆ、２３Ｎａ、２７Ａｌ、２９Ｓｉ、３１Ｐ、５９Ｃｏ、７７Ｓｅ、１１３Ｃｄ、１１９Ｓｎ、１９５Ｐｔ、及びその組合わせから構成される群から選択されるＮＭＲ活性同位体を含む同位体標識非天然アミノ酸、ｂ）スピン標識アミノ酸、又はｃ）常磁性金属用キレート剤を含み、分光標識蛋白質をＮＭＲ分光法に付す。
【００１１】
１分類の態様では、非天然アミノ酸は同位体標識非天然アミノ酸を含む。例えば、同位体標識非天然アミノ酸は放射性同位体、又は好ましくはＮＭＲ活性同位体を含むことができる。ＮＭＲ活性同位体は場合により２Ｈ、３Ｈ、１３Ｃ、１５Ｎ、７Ｌｉ、１３Ｂ、１４Ｎ、１７Ｏ、１９Ｆ、２３Ｎａ、２７Ａｌ、２９Ｓｉ、３１Ｐ、５９Ｃｏ、７７Ｓｅ、１１３Ｃｄ、１１９Ｓｎ、及び１９５Ｐｔから構成される群から選択される。
【００１２】
ＮＭＲ活性（又は他の）同位体は非天然アミノ酸の適当なほぼ任意位置に結合又は組込むことができる。ほんの数例を挙げると、ＮＭＲ活性同位体はメチル基、アミノ基、アジド基、ケト基、カルボキシ基、シアノ基、アルキル基、アルコキシ基、アルキニル基、チオール基、ハロゲン原子、アリール基、糖残基、光架橋性部分、又は光感受性基の部分とすることができる。
【００１３】
同様に、ほぼ任意非天然アミノ酸を同位体標識することができる。例えば、同位体標識非天然アミノ酸は例えばメチル基を同位体標識するか又は窒素を同位体標識したＯ−メチル−Ｌ−チロシンとすることができる（即ち同位体標識非天然アミノ酸は１５Ｎ標識ｐ−メトキシフェニルアラニンとすることができる）。
【００１４】
蛋白質は場合により多重標識される。例えば、分光標識蛋白質は更に第２のＮＭＲ活性同位体を含む第２の同位体標識アミノ酸を含むことができる。第２の同位体標識アミノ酸は天然アミノ酸でも非天然アミノ酸でもよく、標識は部位特異的でも均質でもよい（例えばポリペプチド主鎖を１５Ｎで均質標識してもよいし、蛋白質を１３Ｃ、２Ｈ、又は３Ｈで均質標識してもよい）。同様に、同位体標識非天然アミノ酸は場合により２個以上のＮＭＲ活性同位体、例えば本明細書に記載する同位体の任意組合わせを含むことができる。
【００１５】
別の分類の態様では、非天然アミノ酸はフルオロフォア標識アミノ酸を含む。更に別の分類の態様では、非天然アミノ酸はスピン標識アミノ酸、例えばニトロキシド基を含むアミノ酸を含む。更に別の分類の態様では、非天然アミノ酸は常磁性金属用キレート剤、例えばＭｎ２＋、Ｃｕ２＋、Ｚｎ２＋、Ｃｏ２＋、又はＧｄ３＋用ＥＤＴＡキレート剤を含む。常磁性金属には一般にキレート剤が配位する。
【００１６】
１分類の態様では、翻訳系は細胞、例えば原核細胞（例えば大腸菌細胞）又は真核細胞（例えば酵母又は哺乳動物細胞）を含む（例えばその中に存在する）。ＯＲ−Ｓ及び／又はＯ−ｔＲＮＡは場合により細胞の１種以上の核酸によりコードされる。Ｏ−ｔＲＮＡとＯ−ＲＳは同一生物に由来してもよい（例えば両方ともＭ．ｊａｎｎａｓｃｈｉｉに由来するか又は両方とも大腸菌に由来する）し、異なる生物に由来してもよい。１例として、細胞は大腸菌細胞を含むことができ、Ｏ−ｔＲＮＡとＯ−ＲＳはＭ．ｊａｎｎａｓｃｈｉｉチロシルｔＲＮＡ／ｔＲＮＡシンテターゼ対を含むことができる。別例として、細胞は真核細胞を含むことができ、Ｏ−ｔＲＮＡとＯ−ＲＳは原核直交ｔＲＮＡ／ｔＲＮＡシンテターゼ対を含むことができる。適切な各種直交ｔＲＮＡ／ｔＲＮＡシンテターゼ対が当分野で公知である。他の態様では翻訳系はｉｎ  ｖｉｔｒｏ翻訳系（例えば細胞抽出液）を含む。
【００１７】
１側面では、分光標識蛋白質を分光技術（例えばＥＰＲ分光法、紫外線分析法、Ｘ線分光法、質量分析法、蛍光分光法、又は振動（例えば赤外又はラマン）分光法）に付す。１好適分類の態様では、分光技術はＮＭＲ分光法である。各種一次元及び多次元ＮＭＲ分光技術（例えばＣＯＳＹ、ＮＯＥＳＹ、ＨＳＱＣ、ＨＳＱＣ−ＮＯＥＳＹ、ＨＥＴＣＯＲ、ＴＲＯＳＹ、ＳＥＡ−ＴＲＯＳＹ、ＣＲＩＮＥＰＴ−ＴＲＯＳＹ、ＴＲＯＳＹ−ＨＳＱＣ、ＣＲＩＰＴ−ＴＲＯＳＹ、ＰＩＳＥＭＡ、ＭＡＳ、及びＭＡＯＳＳ）が文献に記載されており、本方法に応用することができる。１典型的態様では、分光標識蛋白質は１５Ｎ同位体を含み、分光技術は溶媒露出アミン横緩和最適化分光法（ＳＥＡ−ＴＲＯＳＹ）実験を含む。別の典型的態様では、分光標識蛋白質はスピンラベル又は常磁性金属に配位するためのキレート剤を含む。
【００１８】
分光技術は場合により分光標識蛋白質にｉｎ  ｖｉｖｏで実施される。あるいは、分光技術は分光標識蛋白質にｉｎ  ｖｉｔｒｏで実施することもでき、例えば細胞抽出液中、精製又は部分精製蛋白質等で実施することができる。
【００１９】
分光技術は例えば蛋白質の構造、機能、存在度、及び／又はダイナミクスに関する情報を得るために使用することができる。例えば、１分類の態様では、本方法は分光標識蛋白質を分光技術に付す段階と、分光標識蛋白質の構造又はダイナミクスの１個以上の変化に関する情報を生成する段階を含む。
【００２０】
本方法は蛋白質のリガンド結合、蛋白質のコンホメーション変化、触媒機序、蛋白質−蛋白質相互作用、及び／又は同等事項を分析するために使用することができる。従って、所定態様では、本方法は分光標識蛋白質とリガンド又は基質の間の相互作用を分析する段階を含む。相互作用は例えば分光標識蛋白質のコンホメーション変化及び／又は分光標識蛋白質により実施される触媒反応を含むことができる。
【００２１】
第２の一般分類の態様はＮＭＲ共鳴を該当蛋白質の１個以上のアミノ酸残基に帰属させる方法を提供する。本方法では、ＮＭＲ活性同位体を含む非天然アミノ酸を提供し、翻訳系に組込み、該当する同位体標識蛋白質を作製する。翻訳系は該当蛋白質をコードし、蛋白質の特定部位に非天然アミノ酸を組込むための少なくとも１個のセレクターコドンを含む核酸と、セレクターコドンを認識する直交ｔＲＮＡ（Ｏ−ｔＲＮＡ）と、Ｏ−ｔＲＮＡを非天然アミノ酸で優先的にアミノアシル化する直交アミノアシルｔＲＮＡシンテターゼ（Ｏ−ＲＳ）を含む。同位体標識蛋白質にＮＭＲ実験を実施し、非天然アミノ酸のＮＭＲ活性同位体と近接原子の相互作用により生成されたデータを分析することにより、１個以上のＮＭＲ共鳴を蛋白質の１個以上のアミノ酸残基に帰属させる。
【００２２】
１分類の態様では、ＮＭＲ活性同位体は７Ｌｉ、１３Ｂ、１４Ｎ、１５Ｎ、１７Ｏ、１９Ｆ、２３Ｎａ、２７Ａｌ、２９Ｓｉ、３１Ｐ、５９Ｃｏ、７７Ｓｅ、１１３Ｃｄ、１１９Ｓｎ、１９５Ｐｔ、及びその組合わせから構成される群から選択される。
【００２３】
例えばＮＭＲ活性同位体、翻訳系の組成、ＮＭＲ技術等に関する上記特徴のほぼ全部が本態様にも適用される。例えば、ＮＭＲ活性同位体は特に１５Ｎ、２Ｈ、１９Ｆ、又は１３Ｃを含むことができる。同様に、ＮＭＲ実験は例えばＮＯＥＳＹ実験、ＨＳＱＣ実験、ＨＳＱＣ−ＮＯＥＳＹ実験、ＴＲＯＳＹ実験、ＳＥＡ−ＴＲＯＳＹ実験、又はＴＲＯＳＹ−ＨＳＱＣ実験とすることができる。
【００２４】
本方法は例えば他の技術では分析することが困難な大きな蛋白質でも構造及び／又はダイナミクス（例えば二次元構造、三次元構造、リガンド結合、触媒、蛋白質フォールディング、及び／又は同等事項）を試験するために使用することができる。非天然アミノ酸の組込み部位は例えば蛋白質の該当構造及び／又は機能の特定側面に基づいて選択することができる。従って、例えば、１分類の態様では、非天然アミノ酸の特定部位は蛋白質の活性部位又はリガンド結合部位を含む。関連分類の態様では、非天然アミノ酸の特定部位は蛋白質の活性部位又はリガンド結合部位の近接部位を含む。
【００２５】
１分類の態様では、翻訳系は細胞を含む。同位体標識蛋白質でｉｎ  ｖｉｖｏでデータを収集してもよいし、例えば同位体標識蛋白質を含む細胞抽出液、精製又は部分精製同位体標識蛋白質等でｉｎ  ｖｉｔｒｏで収集してもよい。他の態様では、翻訳系はｉｎ  ｖｉｔｒｏ翻訳系（例えば細胞抽出液）を含む。
【００２６】
関連一般分類の態様は該当蛋白質の特定位置を占有するアミノ酸残基にＮＭＲ共鳴を帰属させる方法を提供する。本方法はＮＭＲ活性同位体を含むアミノ酸残基を特定位置に含む蛋白質を含む第１のサンプルを提供する段階を含む。第１のサンプルにＮＭＲ実験を実施し、第１組のデータを収集する。ＮＭＲ活性同位体をもたない非天然アミノ酸を特定位置に含む蛋白質を含む第２のサンプルを提供する。第２のサンプルにＮＭＲ実験を実施し、第２組のデータを収集する。第１組のデータと第２組のデータを比較することにより、第１組に存在し且つ第２組に存在しない共鳴を特定位置のアミノ酸残基に帰属させる。
【００２７】
１好適分類の態様では、蛋白質をコードする核酸を翻訳系で翻訳することにより第２のサンプルを提供する。核酸は蛋白質の特定部位に非天然アミノ酸を組込むためのセレクターコドンを含む。翻訳系はセレクターコドンを認識する直交ｔＲＮＡ（Ｏ−ｔＲＮＡ）と、ＮＭＲ活性ラベルをもたない非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。ＮＭＲ活性同位体は例えば１Ｈ、１５Ｎ、１３Ｃ、又は１９Ｆとすることができる。
【００２８】
例えばＮＭＲ活性同位体、翻訳系の組成、ＮＭＲ技術等に関する上記特徴のほぼ全部が本態様にも適用される。
【００２９】
別の一般分類の態様は非天然アミノ酸を蛋白質に組込んだ後に分光ラベルを非天然アミノ酸に結合する分光標識蛋白質の作製及び／又は分析方法を提供する。本方法では、蛋白質をコードする核酸を翻訳系で翻訳する。核酸は蛋白質の特定部位に非天然アミノ酸を組込むためのセレクターコドンを含む。翻訳系はセレクターコドンを認識する直交ｔＲＮＡ（Ｏ−ｔＲＮＡ）と、非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより特定位置に非天然アミノ酸を含む翻訳蛋白質を作製する。翻訳蛋白質の非天然アミノ酸に分光ラベルを結合（例えば共有結合）することにより、分光標識蛋白質を作製する。場合により翻訳蛋白質を分光ラベルと結合する前に精製する。
【００３０】
１分類の態様では、分光標識蛋白質を分光技術に付し、前記分光技術はＮＭＲ分光法である。
【００３１】
非天然アミノ酸は分光ラベルを結合することができるほぼ任意非天然アミノ酸とすることができる。適切な化学反応性非天然アミノ酸としては限定されないが、ｐ−アセチル−Ｌ−フェニルアラニン、ｍ−アセチル−Ｌ−フェニルアラニン、Ｏ−アリル−Ｌ−チロシン、Ｏ−（２−プロピニル）−Ｌ−チロシン、ｐ−エチルチオカルボニル−Ｌ−フェニルアラニン、ｐ−（３−オキソブタノイル）−Ｌ−フェニルアラニン、ｐ−アジド−Ｌ−フェニルアラニン、及びｐ−ベンゾイル−Ｌ−フェニルアラニンが挙げられる。
【００３２】
同様に、分光ラベルもほぼ任意分光ラベルとすることができる。例えば、１分類の態様では、分光ラベルはフルオロフォアを含む。別例として、分光ラベルは同位体ラベル、例えば本明細書に記載するもの等のＮＭＲ活性同位体を含むことができる。
【００３３】
１側面では、分光ラベルはスピンラベルを含む。例えば、１分類の態様では、スピンラベルはニトロキシド基を含み；例えばスピンラベルは２，２，６，６−テトラメチルピペリジン−１−オキシル（ＴＥＭＰＯ）又は２，２，５，５−テトラメチルピロリン−１−オキシルとすることができる。関連分類の態様では、分光ラベルは常磁性金属用キレート剤、例えばＭｎ２＋、Ｃｕ２＋、Ｚｎ２＋、Ｃｏ２＋、又はＧｄ３＋用ＥＤＴＡキレート剤を含む。この分類の態様では、分光ラベルを非天然アミノ酸に結合するには、場合によりキレート剤を非天然アミノ酸に共有結合し、常磁性金属をキレート剤と結合する。金属とキレート剤の結合はキレート剤を非天然アミノ酸に結合する前に実施してもよいし、後に実施してもよい。
【００３４】
１側面では、分光標識蛋白質を分光技術（例えばＥＰＲ分光法、紫外線分析法、Ｘ線分光法、質量分析法、蛍光分光法、又は振動（例えば赤外又はラマン）分光法）に付す。１好適分類の態様では、分光技術はＮＭＲ分光法である。１典型的分類のＮＭＲ態様では、分光ラベルはキレート剤と、キレート剤と結合した常磁性金属を含む。別の典型的分類のＮＭＲ態様では、分光ラベルはスピンラベルを含む。この分類の態様では、場合により分光標識蛋白質にＮＭＲ実験を実施し、第１組のデータを収集した後に、分光標識蛋白質を還元し、分光標識蛋白質の還元形を提供し、分光標識蛋白質の還元形にＮＭＲ実験を実施し、第２組のデータを収集する。
【００３５】
分光技術は例えば蛋白質の構造、機能、存在度、及び／又はダイナミクスに関する情報を得るために使用することができる。例えば、１分類の態様では、本方法は分光標識蛋白質を分光技術に付す段階と、分光標識蛋白質の三次元構造に関する情報を生成する段階を含む。１分類の態様では、本方法は分光標識蛋白質を分光技術に付す段階と、分光標識蛋白質の構造又はダイナミクスの１個以上の変化に関する情報を生成する段階を含む。
【００３６】
本方法は蛋白質のリガンド結合、蛋白質のコンホメーション変化、触媒機序、蛋白質−蛋白質相互作用、及び／又は同等事項を分析するために使用することができる。従って、所定態様では、本方法は分光標識蛋白質とリガンド又は基質の間の相互作用を分析する段階を含む。相互作用は例えば分光標識蛋白質のコンホメーション変化及び／又は分光標識蛋白質により実施される触媒反応を含むことができる。
【００３７】
例えば翻訳系の組成、ＮＭＲ活性同位体、ＮＭＲ技術等に関する上記特徴のほぼ全部が本態様にも適用される。
【００３８】
本発明の任意方法により作製された部位特異的分光標識蛋白質は本発明の別の特徴を形成する。同様に、このような分光標識蛋白質と例えば分光計を含むシステムも本発明の特徴である。
（定義）
【００３９】
本発明を詳細に記載する前に、本発明は特定装置又は生物系に限定されず、当然のことながら種々のものに適用できると理解すべきである。同様に、本明細書で使用する用語は特定態様のみの説明を目的とし、限定的でないことも理解すべきである。本明細書と特許請求の範囲で使用する単数形はそうでないことが内容から明白である場合を除き、複数形も含む。従って、例えば「細胞」と言う場合には２個以上の細胞の組合せを含むことができ、「ポリヌクレオチド」と言う場合には実際問題としてそのポリヌクレオチドの多数のコピーを含む。
【００４０】
特に定義しない限り、本明細書で使用する全科学技術用語は本発明が属する分野の当業者に通常理解されている通りの意味をもつ。本発明の試験の実施には本明細書に記載するものと類似又は等価の任意方法及び材料を使用することができるが、好ましい材料及び方法は本明細書に記載する。本発明の記載及び特許請求の範囲において、以下の用語は以下の定義に従って使用する。
【００４１】
直交：本明細書で使用する「直交」なる用語は細胞又は他の翻訳系に内在する対応分子に比較して低効率で細胞又は翻訳系の内在成分と共働するか、あるいは細胞又は翻訳系の内在成分と対合したときに機能できない分子（例えば直交ｔＲＮＡ（Ｏ−ｔＲＮＡ）及び／又は直交アミノアシルｔＲＮＡシンテターゼ（Ｏ−ＲＳ））を意味する。ｔＲＮＡ及びアミノアシルｔＲＮＡシンテターゼに関して直交とは、適切な（例えば相同又は類似）内在ｔＲＮＡが相補的内在ｔＲＮＡシンテターゼと対合したときに共働する能力に比較して直交ｔＲＮＡが内在ｔＲＮＡシンテターゼと共働できないか又は低効率（例えば２０％未満、１０％未満、５％未満、又は１％未満の効率）でしか共働できず、あるいは、適切な内在ｔＲＮＡシンテターゼが相補的内在ｔＲＮＡと対合したときに共働する能力に比較して直交アミノアシルｔＲＮＡシンテターゼが内在ｔＲＮＡと共働できないか又は低効率でしか共働できないことを意味する。直交分子は細胞又は翻訳系内に機能的に正常な天然相補的内在分子をもたない。例えば、細胞中の直交ｔＲＮＡがこの細胞の任意内在ＲＳによりアミノアシル化される効率は内在ｔＲＮＡが内在ＲＳによりアミノアシル化される効率に比較して低いか又は検出不能である。別の例では、直交ＲＳが該当細胞中の任意内在ｔＲＮＡをアミノアシル化する効率は相補的内在ＲＳが内在ｔＲＮＡをアミノアシル化する効率に比較して低いか又は検出不能である。第１の直交分子と対合したときに機能する第２の直交分子を細胞に導入することができる。例えば、直交ｔＲＮＡ／ＲＳ対は対照（例えば対応（類似）するｔＲＮＡ／ＲＳ内在対、又は活性直交対（例えばチロシル又はトリプトファニル直交ｔＲＮＡ／ＲＳ対））の効率に比較して所定の効率（例えば４５％の効率、５０％の効率、６０％の効率、７０％の効率、７５％の効率、８０％の効率、９０％の効率、９５％の効率、又は９９％以上の効率）で細胞中で共働する導入相補成分を含む。
【００４２】
直交ｔＲＮＡ：本明細書で使用する直交ｔＲＮＡ（Ｏ−ｔＲＮＡ）とは該当翻訳系に直交性のｔＲＮＡである。Ｏ−ｔＲＮＡはアミノ酸を負荷した状態でも負荷しない状態でも存在することができる。当然のことながら、本発明のＯ−ｔＲＮＡは翻訳中にセレクターコドンに応答して成長中のポリペプチドに天然又は非天然のいずれかに拘わらず原則的に任意アミノ酸を挿入するために有利に使用される。
【００４３】
直交アミノ酸シンテターゼ：本明細書で使用する直交アミノ酸シンテターゼ（Ｏ−ＲＳ）とは該当翻訳系においてＯ−ｔＲＮＡをアミノ酸で優先的にアミノアシル化する酵素である。
【００４４】
直交チロシルｔＲＮＡ：本明細書で使用する直交チロシルｔＲＮＡ（チロシル−Ｏ−ｔＲＮＡ）とは該当翻訳系に直交性のｔＲＮＡであり、ｔＲＮＡは（１）天然に存在するチロシル−ｔＲＮＡと同一であるか又は実質的に類似しているか、（２）自然又は人工突然変異誘発により天然に存在するチロシルｔＲＮＡから誘導されるか、（３）（１）又は（２）の野生型又は突然変異体チロシルｔＲＮＡ配列の配列を考慮する任意プロセスにより誘導されるか、あるいは（４）野生型又は突然変異体チロシル−ｔＲＮＡと相同である。チロシルｔＲＮＡの例は例えばＷａｎｇら（２００１）Ｓｃｉｅｎｃｅ  ２９２：４９８並びに米国特許出願第１０／１２６，９２７号、１０／１２６，９３１号、１０／８２５，８６７号及び６０／６３４，１５１号に記載されている。チロシルｔＲＮＡはアミノ酸を負荷した状態でも負荷しない状態でも存在することができる。更に当然のことながら、「チロシル−Ｏ−ｔＲＮＡ」は場合によりコグネイトシンテターゼによりチロシン以外のアミノ酸（例えば非天然アミノ酸）を負荷（アミノアシル化）される。実際に、当然のことながら、本発明のチロシル−Ｏ−ｔＲＮＡは翻訳中にセレクターコドンに応答して成長中のポリペプチドに天然又は人工のいずれかに拘わらずほぼ任意アミノ酸を挿入するために有利に使用される。
【００４５】
直交チロシルアミノ酸シンテターゼ：本明細書で使用する直交チロシルアミノ酸シンテターゼ（チロシル−Ｏ−ＲＳ）とは該当翻訳系においてチロシル−Ｏ−ｔＲＮＡをアミノ酸で優先的にアミノアシル化する酵素である。チロシル−Ｏ−ＲＳがチロシル−Ｏ−ｔＲＮＡに負荷するアミノ酸は天然又は人工のいずれかを問わずに任意アミノ酸とすることができ、本発明では限定しない。シンテターゼは場合により（１）天然に存在するチロシルアミノ酸シンテターゼと同一もしくは相同であるか、（２）自然又は人工突然変異誘発により天然に存在するチロシルアミノ酸シンテターゼから誘導されるか、（３）（１）又は（２）の野生型又は突然変異体チロシルアミノ酸シンテターゼ配列の配列を考慮する任意プロセスにより誘導されるか、あるいは（４）野生型又は突然変異体チロシルアミノ酸シンテターゼと相同である。チロシルアミノ酸シンテターゼの例は例えばＷａｎｇら（２００１）Ｓｃｉｅｎｃｅ  ２９２：４９８並びに米国特許出願第１０／１２６，９２７号、１０／１２６，９３１号、１０／８２５，８６７号及び６０／６３４，１５１号に記載されている。
【００４６】
コグネイト：「コグネイト」なる用語は共働する成分、例えば直交ｔＲＮＡと前記直交ｔＲＮＡを優先的にアミノアシル化する直交アミノアシルｔＲＮＡシンテターゼを意味する。これらの成分は「相補的」であると言うこともできる。
【００４７】
優先的にアミノアシル化する：Ｏ−ＲＳはＯ−ＲＳが発現系で任意内在ｔＲＮＡに負荷するよりも効率的にＯ−ｔＲＮＡにアミノ酸を負荷するときにコグネイトＯ−ｔＲＮＡを「優先的にアミノアシル化する」。即ち、Ｏ−ｔＲＮＡと所与の任意内在ｔＲＮＡがほぼ等モル比で翻訳系に存在するとき、Ｏ−ＲＳは内在ｔＲＮＡに負荷するよりも高頻度でＯ−ｔＲＮＡに負荷する。Ｏ−ＲＳにより負荷されるＯ−ｔＲＮＡとＯ−ＲＳにより負荷される内在ｔＲＮＡの相対比は高いことが好ましく、Ｏ−ｔＲＮＡと内在ｔＲＮＡが等モル濃度で翻訳系に存在する場合にはＯ−ＲＳがＯ−ｔＲＮＡに排他的、又はほぼ排他的に負荷することが好ましい。Ｏ−ｔＲＮＡとＯ−ＲＳが等モル濃度で存在する場合にＯ−ＲＳにより負荷されるＯ−ｔＲＮＡと内在ｔＲＮＡの相対比は１：１を上回り、好ましくは少なくとも約２：１、より好ましくは５：１、更に好ましくは１０：１、更に好ましくは２０：１、更に好ましくは５０：１、更に好ましくは７５：１、更に好ましくは９５：１、９８：１、９９：１、１００：１、５００：１、１，０００：１、５，０００：１又はそれ以上である。
【００４８】
（ａ）Ｏ−ＲＳが内在ｔＲＮＡに比較してＯ−ｔＲＮＡを優先的にアミノアシル化するとき、及び（ｂ）Ｏ−ＲＳがＯ−ｔＲＮＡを任意天然アミノ酸でアミノアシル化する場合に比較してそのアミノアシル化が非天然アミノ酸に特異的であるときにＯ−ＲＳは「Ｏ−ｔＲＮＡを非天然アミノ酸で優先的にアミノアシル化する」。即ち、非天然アミノ酸と天然アミノ酸がＯ−ＲＳとＯ−ｔＲＮＡを含む翻訳系に等モル量で存在するとき、Ｏ−ＲＳは天然アミノ酸よりも高頻度で非天然アミノ酸をＯ−ｔＲＮＡに負荷する。非天然アミノ酸を負荷されたＯ−ｔＲＮＡと天然アミノ酸を負荷されたＯ−ｔＲＮＡの相対比は高いことが好ましい。Ｏ−ＲＳはＯ−ｔＲＮＡに排他的、又はほぼ排他的に非天然アミノ酸を負荷することがより好ましい。天然アミノ酸と非天然アミノ酸の両者が等モル濃度で翻訳系に存在するとき、Ｏ−ｔＲＮＡの非天然アミノ酸負荷とＯ−ｔＲＮＡの天然アミノ酸負荷の相対比は１：１を上回り、好ましくは少なくとも約２：１、より好ましくは５：１、更に好ましくは１０：１、更に好ましくは２０：１、更に好ましくは５０：１、更に好ましくは７５：１、更に好ましくは９５：１、９８：１、９９：１、１００：１、５００：１、１，０００：１、５，０００：１又はそれ以上である。
【００４９】
セレクターコドン：「セレクターコドン」なる用語は翻訳プロセスでＯ−ｔＲＮＡにより認識され、一般に内在ｔＲＮＡにより認識されないコドンを意味する。Ｏ−ｔＲＮＡアンチコドンループはｍＲＮＡ上のセレクターコドンを認識し、そのアミノ酸（例えば非天然アミノ酸、例えば分光標識非天然アミノ酸）をポリペプチドのこの部位に組込む。セレクターコドンとしては例えば終止コドン（例えばアンバー、オーカー及びオパールコドン）等のナンセンスコドン、４塩基以上のコドン、レアコドン、天然又は非天然塩基対から誘導されるコドン及び／又は同等物を挙げることができる。
【００５０】
翻訳系：「翻訳系」なる用語は成長中のポリペプチド鎖（蛋白質）にアミノ酸を組込む成分を意味する。翻訳系の成分としては例えばリボソーム、ｔＲＮＡ、シンテターゼ、ｍＲＮＡ等を挙げることができる。本発明のＯ−ｔＲＮＡ及び／又はＯ−ＲＳは例えば非真核細胞（例えば細菌（例えば大腸菌））、又は真核細胞（例えば酵母細胞、哺乳動物細胞、植物細胞、藻類細胞、真菌細胞、昆虫細胞、及び／又は同等物）でｉｎ  ｖｉｔｒｏ又はｉｎ  ｖｉｖｏ翻訳系に付加するか又はその部分とすることができる。
【００５１】
非天然アミノ酸：本明細書で使用する「非天然アミノ酸」なる用語は２０種の標準天然アミノ酸の１種又は微量天然アミノ酸セレノシステインもしくはピロリジン以外の任意アミノ酸、修飾アミノ酸、及び／又はアミノ酸類似体（例えば分光標識非天然アミノ酸）を意味する。
【００５２】
から誘導：本明細書で使用する「から誘導」なる用語は特定分子もしくは生物から単離されているか、あるいは特定分子もしくは生物を使用するか又は特定分子もしくは生物からの情報を使用して作製された成分を意味する。例えば、第２のポリペプチドから誘導されるポリペプチドは第２のポリペプチドのアミノ酸配列と同一又は実質的に同様のアミノ酸配列を含む。ポリペプチドの場合には、誘導種は例えば自然突然変異誘発、人工的特異的突然変異誘発又は人工的ランダム突然変異誘発により得ることができる。ポリペプチドを誘導するために使用される突然変異誘発は意図的に特異的でも意図的にランダムでもよい。第１のポリペプチドから誘導される別のポリペプチドを作製するためのポリペプチドの突然変異誘発は（例えばポリメラーゼの非忠実に起因する）ランダムなイベントとすることができ、誘導されたポリペプチドの同定は偶然とすることができる。ポリペプチドの突然変異誘発は一般にポリペプチドをコードするポリヌクレオチドの操作を伴う。
【００５３】
真核生物：本明細書で使用する「真核生物」なる用語は真核生物界に属する生物を意味する。真核生物はその構成が一般に多細胞であり（但し、例えば酵母のように多細胞ではないものもある）、膜結合核と他の膜結合オルガネラが存在し、遺伝物質が線状であり（即ち染色体が線状）、オペロンが存在せず、イントロン、メッセージキャッピング及びポリＡ  ｍＲＮＡが存在し、更に他の生化学的特徴（例えば特徴的リボソーム構造）により一般に原核細胞から区別できる。真核生物としては例えば動物（例えば哺乳動物、昆虫、爬虫類、鳥類等）、繊毛虫、植物（例えば単子葉植物、双子葉植物、藻類等）、真菌類、酵母、鞭毛虫、微胞子虫、原生生物等が挙げられる。
【００５４】
原核生物：本明細書で使用する「原核生物」なる用語はモネラ界（原核生物界とも言う）に属する生物を意味する。原核生物はその構成が単細胞であり、出芽又は分裂による無性生殖であり、膜結合核又は他の膜結合オルガネラをもたず、染色体が環状であり、オペロンが存在し、イントロン、メッセージキャッピング及びポリＡ  ｍＲＮＡが存在せず、更に他の生化学的特徴（例えば特徴的リボソーム構造）により一般に真核細胞から区別できる。原核生物は真正細菌及び古細菌亜界を含む。シアノバクテリア（藍藻類）とマイコプラズマをモネラ界の別々の分類にすることもある。
【００５５】
〜に応答して：本明細書で使用する「〜に応答して」なる用語は本発明のＯ−ｔＲＮＡがセレクターコドンを認識し、ｔＲＮＡと結合した非天然アミノ酸（例えば分光標識非天然アミノ酸）を成長中のポリペプチド鎖に組込むのを媒介するプロセスを意味する。
【００５６】
コードする：本明細書で使用する「コードする」なる用語は第１の分子又は配列鎖とは異なる第２の分子又は配列鎖の生産を導くためにポリマー巨大分子又は配列鎖中の情報を使用する任意プロセスを意味する。本明細書ではこの用語を広義に使用し、種々に適用することができる。１側面では、「コードする」なる用語は新規に合成された相補的姉妹鎖をＤＮＡ依存性ＤＮＡポリメラーゼによりコードするための鋳型として２本鎖ＤＮＡ分子の一方の鎖を使用する半保存的ＤＮＡ複製プロセスを意味する。
【００５７】
別の側面では、「コードする」なる用語は第１の分子とは異なる化学的性質をもつ第２の分子の生産を導くためにある分子中の情報を使用する任意プロセスを意味する。例えば、ＤＮＡ分子は（例えばＤＮＡ依存性ＲＮＡポリメラーゼ酵素を含む転写プロセスにより）ＲＮＡ分子をコードすることができる。また、ＲＮＡ分子は翻訳プロセスと同様にポリペプチドをコードすることができる。翻訳プロセスについて使用する場合には、「コードする」なる用語はアミノ酸をコードする三重項コドンにも適用する。所定側面では、ＲＮＡ分子は例えばＲＮＡ依存性ＤＮＡポリメラーゼを含む逆転写プロセスによりＤＮＡ分子をコードすることができる。別の側面では、ＤＮＡ分子はポリペプチドをコードすることができ、この場合に使用する「コードする」とは当然のことながら転写プロセスと翻訳プロセスの両者を含む。
【００５８】
核酸：「核酸」又は「ポリヌクレオチド」なる用語はヌクレオチド鎖に対応させることができるモノマー単位の任意物理的連鎖を意味し、例えばヌクレオチドポリマー（例えば典型的ＤＮＡ又はＲＮＡポリマー）、ＰＮＡ、修飾オリゴヌクレオチド（例えば生物ＲＮＡ又はＤＮＡには一般的でないヌクレオチドを含むオリゴヌクレオチド、例えば２’−Ｏ−メチル化オリゴヌクレオチド）等が挙げられる。核酸は例えば１本鎖でも２本鎖でもよい。特に指定しない限り、本発明の特定核酸配列は場合により指定配列以外に相補的配列も含むか又はコードする。
【００５９】
ポリペプチド：「ポリペプチド」（又は「蛋白質」）とは２個以上のアミノ酸残基を含むポリマーである。ポリマーは更にラベル、クエンチャー、保護基等の非アミノ酸エレメントを含むことができ、場合によりグリコシル化等の修飾を含むことができる。ポリペプチドのアミノ酸残基は天然及び／又は非天然とすることができ、置換されていなくても、修飾されていなくても、置換されていても、修飾されていてもよい。
【００６０】
分光ラベル：「分光ラベル」は蛋白質中に存在している場合に分光ラベルをもたない対応する蛋白質に比較して蛋白質の分光特性に測定可能な差異を生じることが可能な部分（例えば原子又は化学基）である。例えば、分光ラベルを含む非天然アミノ酸では、非天然アミノ酸の１個以上の原子を分光ラベルで置換することができ（例えば原子を同位体ラベル又はスピンラベルで置換することができ）、あるいは分光ラベルを非天然アミノ酸に付加することができる（例えばフルオロフォア又はニトロキシド基スピンラベルを非天然アミノ酸に共有結合することができる）。従って、（例えば非天然アミノ酸を蛋白質に組込む前又は後に結合した）分光ラベルをもつ非天然アミノ酸を組込んだ「分光標識蛋白質」は分光ラベルをもたない非天然アミノ酸を組込んだ蛋白質に比較して少なくとも１種の分光特性に測定可能な差異を示す。
【００６１】
同位体標識：「同位体標識」した非天然アミノ酸では、アミノ酸の少なくとも１個の原子位置は所与原子の同位体の自然存在度の混合物により占有されるのではなく、前記原子の単独同位体により排他的又はほぼ排他的に占有される。同位体ラベルは自然存在度が最大の同位体でもよいし、自然存在度の低い同位体でもよい。同位体ラベルとしては限定されないが、ＮＭＲ活性同位体や放射性同位体が挙げられる。
【００６２】
ＮＭＲ活性同位体：「ＮＭＲ活性同位体」はゼロ以外の核スピン（例えば１／２のスピン）をもつ。
【００６３】
スピンラベル：「スピンラベル」は常磁性部分である。スピンラベルは一般に不対電子を含む。
【００６４】
その他の各種用語は本明細書中に定義又は他の方法で説明する。
【発明を実施するための最良の形態】
【００６５】
少数の例外を除き、全公知生物の遺伝コードは同一の２０種のアミノ酸をコードするが、ユニークｔＲＮＡ／アミノアシルｔＲＮＡシンテターゼ対、アミノ酸源、及びアミノ酸を指定するユニークセレクターコドンさえあれば生物のレパートリーに新規アミノ酸を追加することができる（Ｆｕｒｔｅｒ（１９９８）Ｐｒｏｔｅｉｎ  Ｓｃｉ．，７：４１９−４２６）。夫々大腸菌（Ｗａｎｇら，（２０００）Ｊ．Ａｍ．Ｃｈｅｍ．Ｓｏｃ．，１２２：５０１０−５０１１；Ｗａｎｇら，（２００１）Ｓｃｉｅｎｃｅ，２９２：４９８−５００；Ｗａｎｇら，（２００３）Ｐｒｏｃ．Ｎａｔｌ．Ａｃａｄ．Ｓｃｉ．Ｕ．Ｓ．Ａ．，１００：５６−６１；Ｃｈｉｎら，（２００２）Ｐｒｏｃ．Ｎａｔｌ．Ａｃａｄ．Ｓｃｉ．Ｕ．Ｓ．Ａ．，９９：１１０２０−１１０２４）と酵母（Ｃｈｉｎ  ａｎｄ  Ｓｃｈｕｌｔｚ，（２００２）ＣｈｅｍＢｉｏＣｈｅｍ，３：１１３５−１１３７；Ｃｈｉｎら（２００３）Ｓｃｉｅｎｃｅ  ３０１：９６４−９６７）で新規特性をもつ各種アミノ酸を遺伝的にコードするためにアンバーナンセンスコドンＴＡＧを直交Ｍ．ｊａｎｎａｓｃｈｉｉ及び大腸菌ｔＲＮＡ／シンテターゼ対と併用できる。
【００６６】
分光標識非天然アミノ酸等の付加合成アミノ酸を遺伝コードに例えばｉｎ  ｖｉｖｏで付加するためには、翻訳機構で効率的に機能することができるが、対が翻訳系に内在性のシンテターゼとｔＲＮＡから独立して機能するという意味で該当翻訳系に対して「直交性」のアミノアシルｔＲＮＡシンテターゼと適切なｔＲＮＡの直交対が必要である。直交対の所望特徴としては、内在ｔＲＮＡによりデコードされない特定新規コドン（例えばセレクターコドン）のみをデコード又は認識するｔＲＮＡと、そのコグネイトｔＲＮＡを特定非天然アミノ酸のみで優先的にアミノアシル化（又は負荷）するアミノアシルｔＲＮＡシンテターゼが挙げられる。Ｏ−ｔＲＮＡは内在シンテターゼによりアミノアシル化されないことも望ましい。例えば大腸菌では、直交対は例えば大腸菌に存在する４０種の内在ｔＲＮＡのいずれとも交差反応しないアミノアシルｔＲＮＡシンテターゼと、例えば大腸菌に存在する２１種の内在シンテターゼのいずれによっても実質的にアミノアシル化されない直交ｔＲＮＡを含む。
【００６７】
多数のこのようなＯ−ｔＲＮＡ／Ｏ−ＲＳ対が記載されており、その他のものも当業者が作製することができる。このようなＯ−ｔＲＮＡ／Ｏ−ＲＳ対は各種非天然アミノ酸を該当蛋白質の特定部位に組込むために使用することができる。
【００６８】
上記のように、蛋白質の１個以上のアミノ酸をＮＭＲ活性同位体で部位特異的に標識することにより蛋白質ＮＭＲ試験における特定アミノ酸への共鳴帰属を助長することができる。このように、同位体標識非天然アミノ酸の効率的な部位特異的蛋白質組込みは蛋白質のＮＭＲ試験中の共鳴帰属を助長することができる。例えば、（例えば蛋白質−リガンド相互作用、蛋白質コンホメーション変化、又は触媒の溶液試験において）例えばＳＥＡ−ＴＲＯＳＹ実験（Ｐｅｌｌｅｃｃｈｉａら（２００１）Ｊ．Ａｍ．Ｃｈｅｍ．Ｓｏｃ．１２３：４６３３）を使用して活性部位又はリガンド結合部位の単一残基のみを帰属させることは多くの場合に有用であると思われる。１又は数個の部位特異的ＮＭＲラベルをこのような位置に導入すると、帰属の問題を著しく簡単にすることができるため、非常に大きな蛋白質でも詳細なＮＭＲ溶液試験が可能になる。同様に、１個以上のスピンラベル又は常磁性金属の部位特異的導入はＮＭＲシグナル帰属を助長することができる。
【００６９】
蛋白質の部位特異的分光標識はＮＭＲ以外の分光技術（例えばＥＰＲ分光法、Ｘ線分光法、質量分析法、蛍光分光法、又は振動（例えば赤外又はラマン）分光法）の使用にも有用であると思われる。例えば、同位体標識は質量分析法におけるペブチドフラグメントの同定を助長し、フルオロフォア含有非天然アミノ酸（例えばフルオロフォア標識Ｌ−フェニルアラニン又はフルオロフォア標識ｐ−アセチル−Ｌ−フェニルアラニン）の組込みは蛍光分光法を助長し、スピン標識非天然アミノ酸の組込みはＥＰＲを助長すると思われる。
【００７０】
従って、本発明の１側面は直交アミノアシルｔＲＮＡシンテターゼと直交ｔＲＮＡを含む翻訳系を使用して分光標識非天然アミノ酸の部位特異的蛋白質組込みにより分光標識蛋白質を作製する方法を提供する。別の側面は前記翻訳系を使用して同位体標識非天然アミノ酸を蛋白質に部位特異的に組込むことによりＮＭＲ共鳴を帰属させる方法を提供する。本発明の更に別の側面は直交アミノアシルｔＲＮＡシンテターゼと直交ｔＲＮＡを含む翻訳系を使用して非天然アミノ酸を蛋白質に部位特異的に組込んだ後に分光ラベルを非天然アミノ酸に結合することにより分光標識蛋白質を作製する方法を提供する。
直交ｔＲＮＡ、直交アミノアシルｔＲＮＡシンテターゼ、及びその対
【００７１】
１種以上の非天然アミノ酸を含む蛋白質の作製に適した翻訳系は例えば国際公開第ＷＯ２００２／０８６０７５号、発明の名称「直交ｔＲＮＡ−アミノアシルｔＲＮＡシンテターゼ対を作製するための方法及び組成物（Ｍｅｔｈｏｄｓ  ａｎｄ  ｃｏｍｐｏｓｉｔｉｏｎ  ｆｏｒ  ｔｈｅ  ｐｒｏｄｕｃｔｉｏｎ  ｏｆ  ｏｒｔｈｏｇｏｎａｌ  ｔＲＮＡ−ａｍｉｎｏａｃｙｌ−ｔＲＮＡ  ｓｙｎｔｈｅｔａｓｅ  ｐａｉｒｓ）」及びＷＯ２００２／０８５９２３号、発明の名称「非天然アミノ酸のインビボ組込み（Ｉｎ  ｖｉｖｏ  ｉｎｃｏｒｐｏｒａｔｉｏｎ  ｏｆ  ｕｎｎａｔｕｒａｌ  ａｍｉｎｏ  ａｃｉｄｓ）」に記載されている。更に、国際出願第ＰＣＴ／ＵＳ２００４／０１１７８６号（出願日２００４年４月１６日、発明の名称「真核遺伝コードの拡張（Ｅｘｐａｎｄｉｎｇ  ｔｈｅ  Ｅｕｋａｒｙｏｔｉｃ  Ｇｅｎｅｔｉｃ  Ｃｏｄｅ）」）参照。これらの各出願はその開示内容全体を参考資料として本明細書に組込む。このような翻訳系は一般に直交ｔＲＮＡ（Ｏ−ｔＲＮＡ）と、直交アミノアシルｔＲＮＡシンテターゼ（Ｏ−ＲＳ）と、非天然アミノ酸（本発明では分光ラベル（例えば同位体ラベル）を含むアミノ酸がこのような非天然アミノ酸の例である）を含む細胞（例えば大腸菌等の非真核細胞又は酵母等の真核細胞とすることができる）を含み、Ｏ−ＲＳはＯ−ｔＲＮＡを非天然アミノ酸でアミノアシル化する。
【００７２】
一般に、直交対（Ｏ−ｔＲＮＡ（例えばサプレッサーｔＲＮＡ、フレームシフトｔＲＮＡ等）とＯ−ＲＳ）がセレクターコドンを認識し、セレクターコドンに応答してアミノ酸を負荷するとき、直交対はセレクターコドンを「抑圧」すると言う。即ち、翻訳系の（例えば細胞の）内在機構により認識されないセレクターコドンは通常翻訳されないので、非抑圧下で核酸から翻訳されるポリペプチドの生産を阻止することができる。直交対が存在するとき、Ｏ−ＲＳはＯ−ｔＲＮＡを分光標識非天然アミノ酸等の該当非天然アミノ酸でアミノアシル化する。翻訳系（例えば細胞）は例えば該当ポリペプチド（蛋白質）をコードする核酸を介して成長中のポリペプチド鎖に非天然アミノ酸を組込むためにＯ−ｔＲＮＡ／Ｏ−ＲＳ対を使用し、核酸はＯ−ｔＲＮＡにより認識されるセレクターコドンを含む。
【００７３】
本発明の所定態様では、翻訳系は直交アミノアシルｔＲＮＡシンテターゼ（Ｏ−ＲＳ）と、直交ｔＲＮＡ（Ｏ−ｔＲＮＡ）と、分光標識非天然アミノ酸と、該当蛋白質をコードする核酸を含む細胞を含み、核酸はＯ−ｔＲＮＡにより認識されるセレクターコドンを含む。細胞は原核細胞（例えば大腸菌細胞）でも真核細胞（例えば酵母又は哺乳動物細胞）でもよい。一般に、直交対と細胞は異なる起源に由来する（例えば、細胞は大腸菌細胞を含むことができ、Ｏ−ｔＲＮＡとＯ−ＲＳはＭ．ｊａｎｎａｓｃｈｉｉチロシルｔＲＮＡ／ｔＲＮＡシンテターゼ対を含むことができるか、又は細胞は真核細胞を含むことができ、Ｏ−ｔＲＮＡとＯ−ＲＳは原核直交ｔＲＮＡ／ｔＲＮＡシンテターゼ対を含むことができる）。翻訳系は無細胞系でもよく、例えば各種市販「ｉｎ  ｖｉｔｒｏ」転写／翻訳系の任意のものを本明細書に記載するようなＯ−ｔＲＮＡ／ＯＲＳ対及び非天然アミノ酸と併用することができる。
【００７４】
細胞又は他の翻訳系は場合により２種以上の非天然アミノ酸（例えば（同一又は異なる型の分光ラベル、例えば同位体を含む）２種の異なる分光標識非天然アミノ酸、又は分光標識非天然アミノ酸と別種の非天然アミノ酸）を組込むことができるように、複数のＯ−ｔＲＮＡ／Ｏ−ＲＳ対を含む。例えば、細胞は更に別の付加Ｏ−ｔＲＮＡ／Ｏ−ＲＳ対と第２の非天然アミノ酸を含むことができ、この付加Ｏ−ｔＲＮＡは第２のセレクターコドンを認識し、この付加Ｏ−ＲＳはＯ−ｔＲＮＡを第２の非天然アミノ酸で優先的にアミノアシル化する。例えば、Ｏ−ｔＲＮＡ／Ｏ−ＲＳ対（Ｏ−ｔＲＮＡは例えばアンバーセレクターコドンを認識する）を含む細胞は更に第２の直交対を含むことができ、第２のＯ−ｔＲＮＡは別のセレクターコドン（例えばオパール、４塩基コドン等）を認識する。各直交対は異なるセレクターコドンの認識を助長できるように異なる起源に由来することが望ましい。
【００７５】
Ｏ−ｔＲＮＡ及び／又はＯ−ＲＳは天然に存在するものでもよいし、例えば種々の生物の任意のものに由来するｔＲＮＡのライブラリー及び／又はＲＳのライブラリーを作製するか及び／又は種々の利用可能な突然変異ストラテジーの任意のものを使用することにより、天然に存在するｔＲＮＡ及び／又はＲＳの突然変異により誘導してもよい。例えば、直交ｔＲＮＡ／アミノアシルｔＲＮＡシンテターゼ対を作製する１ストラテジーは例えば宿主細胞以外の起源又は多重起源に由来する（宿主に対して）異種のｔＲＮＡ／シンテターゼ対を宿主細胞に導入する方法である。異種シンテターゼ候補の特性としては、例えば宿主細胞ｔＲＮＡに負荷しないことが挙げられ、異種ｔＲＮＡ候補の特性としては、例えば宿主細胞シンテターゼによりアミノアシル化されないことが挙げられる。直交対を作製するための第２のストラテジーはＯ−ｔＲＮＡ又はＯ−ＲＳをスクリーニング及び／又は選択するための突然変異体ライブラリーを作製する方法である。これらのストラテジーを組み合わせてもよい。
直交ｔＲＮＡ（Ｏ−ｔＲＮＡ）
【００７６】
本発明の直交ｔＲＮＡ（Ｏ−ｔＲＮＡ）はＯ−ｔＲＮＡにより認識されるセレクターコドンを含む核酸によりコードされる蛋白質への分光標識非天然アミノ酸等の非天然アミノ酸の例えばｉｎ  ｖｉｖｏ又はｉｎ  ｖｉｔｒｏでの組込みを媒介することが望ましい。Ｏ−ｔＲＮＡはＯ−ｔＲＮＡとして又はＯ−ｔＲＮＡもしくはその一部をコードするポリヌクレオチドとして翻訳系（例えば細胞）に提供することができる。
【００７７】
組換え直交ｔＲＮＡ（Ｏ−ｔＲＮＡ）の作製方法は例えば国際特許出願ＷＯ２００２／０８６０７５、発明の名称「直交ｔＲＮＡ−アミノアシルｔＲＮＡシンテターゼ対を作製するための方法及び組成物（Ｍｅｔｈｏｄｓ  ａｎｄ  ｃｏｍｐｏｓｉｔｉｏｎｓ  ｆｏｒ  ｔｈｅ  ｐｒｏｄｕｃｔｉｏｎ  ｏｆ  ｏｒｔｈｏｇｏｎａｌ  ｔＲＮＡ−ａｍｉｎｏａｃｙｌ  ｔＲＮＡ−ｓｙｎｔｈｅｔａｓｅ  ｐａｉｒｓ）」、ＰＣＴ／ＵＳ２００４／０２２１８７、発明の名称「直交リシルｔＲＮＡとアミノアシルｔＲＮＡシンテターゼの対の組成物及びその使用（Ｃｏｍｐｏｓｉｔｉｏｎｓ  ｏｆ  ｏｒｔｈｏｇｏｎａｌ  ｌｙｓｙｌ−ｔＲＮＡ  ａｎｄ  ａｍｉｎｏａｃｙｌ−ｔＲＮＡ  ｓｙｎｔｈｅｔａｓｅ  ｐａｉｒｓ  ａｎｄ  ｕｓｅｓ  ｔｈｅｒｅｏｆ）」、並びにＵＳＳＮ６０／４７９，９３１及び６０／４９６，５４８、発明の名称「真核遺伝コードの拡張（Ｅｘｐａｎｄｉｎｇ  ｔｈｅ  Ｅｕｋａｒｙｏｔｉｃ  Ｇｅｎｅｔｉｃ  Ｃｏｄｅ）」に記載されている。Ｆｏｒｓｔｅｒら，（２００３）“Ｐｒｏｇｒａｍｍｉｎｇ  ｐｅｐｔｉｄｏｍｉｍｅｔｉｃ  ｓｙｎｔｈｅｔａｓｅｓ  ｂｙ  ｔｒａｎｓｌａｔｉｎｇ  ｇｅｎｅｔｉｃ  ｃｏｄｅｓ  ｄｅｓｉｇｎｅｄ  ｄｅ  ｎｏｖｏ”Ｐｒｏｃ．Ｎａｔｌ．Ａｃａｄ．Ｓｃｉ．ＵＳＡ  １００（１１）：６３５３−６３５７；及びＦｅｎｇら，（２００３）“Ｅｘｐａｎｄｉｎｇ  ｔＲＮＡ  ｒｅｃｏｇｎｉｔｉｏｎ  ｏｆ  ａ  ｔＲＮＡ  ｓｙｎｔｈｅｔａｓｅ  ｂｙ  ａ  ｓｉｎｇｌｅ  ａｍｉｎｏ  ａｃｉｄ  ｃｈａｎｇｅ” Ｐｒｏｃ．Ｎａｔｌ．Ａｃａｄ．Ｓｃｉ．ＵＳＡ  １００（１０）：５６７６−５６８１並びに本明細書に引用する他の文献も参照。
直交アミノアシルｔＲＮＡシンテターゼ（Ｏ−ＲＳ）
【００７８】
本発明のＯ−ＲＳは分光標識非天然アミノ酸等の非天然アミノ酸でＯ−ｔＲＮＡを優先的にｉｎ  ｖｉｔｒｏ又はｉｎ  ｖｉｖｏアミノアシル化する。本発明のＯ−ＲＳはＯ−ＲＳを含むポリペプチド及び／又はＯ−ＲＳ又はその一部をコードするポリヌクレオチドにより翻訳系（例えば細胞）に提供することができる。
【００７９】
Ｏ−ＲＳを作製し、シンテターゼの基質特異性を改変する方法は例えばＷＯ２００２／０８６０７５、発明の名称「直交ｔＲＮＡ−アミノアシルｔＲＮＡシンテターゼ対を作製するための方法及び組成物（Ｍｅｔｈｏｄｓ  ａｎｄ  ｃｏｍｐｏｓｉｔｉｏｎｓ  ｆｏｒ  ｔｈｅ  ｐｒｏｄｕｃｔｉｏｎ  ｏｆ  ｏｒｔｈｏｇｏｎａｌ  ｔＲＮＡ−ａｍｉｎｏａｃｙｌ  ｔＲＮＡ  ｓｙｎｔｈｅｔａｓｅ  ｐａｉｒｓ）」、並びに国際出願第ＰＣＴ／ＵＳ２００４／０１１７８６号（出願日２００４年４月１６日）及びＰＣＴ／ＵＳ２００４／０２２１８７号、発明の名称「直交リシルｔＲＮＡとアミノアシルｔＲＮＡシンテターゼの対の組成物及びその使用（Ｃｏｍｐｏｓｉｔｉｏｎｓ  ｏｆ  ｏｒｔｈｏｇｏｎａｌ  ｌｙｓｙｌ−ｔＲＮＡ  ａｎｄ  ａｍｉｎｏａｃｙｌ−ｔＲＮＡ  ｓｙｎｔｈｅｔａｓｅ  ｐａｉｒｓ  ａｎｄ  ｕｓｅｓ  ｔｈｅｒｅｏｆ）」（出願日２００４年７月７日）並びに本明細書に引用する他の文献に記載されている。
Ｏ−ｔＲＮＡ／Ｏ−ＲＳ対
【００８０】
成長中のポリペプチド鎖への非天然アミノ酸の組込みを媒介することが可能な各種Ｏ−ｔＲＮＡ／Ｏ−ＲＳ対が記載されている。例えば、ＵＳＳＮ１０／１２６，９２７、ＵＳＳＮ１０／１２６，９３１、１０／８２５，８６７、及びＵＳＳＮ６０／６０２，０４８には例えばＯ−メチル−Ｌ−チロシン、Ｌ−３−（２−ナフチル）アラニン、ｐ−アセチル−Ｌ−フェニルアラニン、ｐ−ベンゾイル−Ｌ−フェニルアラニン、ｐ−アジド−Ｌ−フェニルアラニン、及びｐ−ヨード−Ｌ−フェニルアラニン等の各種非天然アミノ酸の組込みを媒介することが可能なＯ−ｔＲＮＡ／Ｏ−ＲＳ対が記載されており；ＰＣＴ／ＵＳ２００３／３２５７６にはケトアミノ酸の組込みを媒介することが可能なＯ−ｔＲＮＡ／Ｏ−ＲＳ対が記載されており；ＰＣＴ／ＵＳ２００４／２２１８７にはホモグルタミンの組込みを媒介することが可能なＯ−ｔＲＮＡ／Ｏ−ＲＳ対が記載されており；ＵＳＳＮ１１／０１６，３４８には５−ヒドロキシトリプトファンの組込みを媒介することが可能なＯ−ｔＲＮＡ／Ｏ−ＲＳ対が記載されており；ＵＳＳＮ６０／６３４，１５１にはアルキニルアミノ酸の組込みを媒介することが可能なＯ−ｔＲＮＡ／Ｏ−ＲＳ対が記載されている。
資源及び宿主生物
【００８１】
本発明の翻訳成分は非真核生物に由来することができる。例えば、直交Ｏ−ｔＲＮＡは非真核生物（又は生物組み合わせ）、例えばＭｅｔｈａｎｏｃｏｃｃｕｓ  ｊａｎｎａｓｃｈｉｉ、Ｍｅｔｈａｎｏｂａｃｔｅｒｉｕｍ  ｔｈｅｒｍｏａｕｔｏｔｒｏｐｈｉｃｕｍ、Ｈａｌｏｂａｃｔｅｒｉｕｍ（例えばＨａｌｏｆｅｒａｘ  ｖｏｌｃａｎｉｉ及びＨａｌｏｂａｃｔｅｒｉｕｍ種ＮＲＣ−１）、Ａｒｃｈａｅｏｇｌｏｂｕｓ  ｆｕｌｇｉｄｕｓ、Ｐｙｒｏｃｏｃｃｕｓ  ｆｕｒｉｏｓｕｓ、Ｐｙｒｏｃｏｃｃｕｓ  ｈｏｒｉｋｏｓｈｉｉ、Ａｅｕｒｏｐｙｒｕｍ  ｐｅｒｎｉｘ、Ｍｅｔｈａｎｏｃｏｃｃｕｓ  ｍａｒｉｐａｌｕｄｉｓ、Ｍｅｔｈａｎｏｐｙｒｕｓ  ｋａｎｄｌｅｒｉ、Ｍｅｔｈａｎｏｓａｒｃｉｎａ  ｍａｚｅｉ、Ｐｙｒｏｂａｃｕｌｕｍ  ａｅｒｏｐｈｉｌｕｍ、Ｐｙｒｏｃｏｃｃｕｓ  ａｂｙｓｓｉ、Ｓｕｌｆｏｌｏｂｕｓ  ｓｏｌｆａｔａｒｉｃｕｓ、Ｓｕｌｆｏｌｏｂｕｓ  ｔｏｋｏｄａｉｉ、Ｔｈｅｒｍｏｐｌａｓｍａ  ａｃｉｄｏｐｈｉｌｕｍ、Ｔｈｅｒｍｏｐｌａｓｍａ  ｖｏｌｃａｎｉｕｍ等の古細菌や、Ｅｓｃｈｅｒｉｃｈｉａ  ｃｏｌｉ，Ｔｈｅｒｍｕｓ  ｔｈｅｒｍｏｐｈｉｌｕｓ，Ｂａｃｉｌｌｕｓ  ｓｔｅａｒｏｔｈｅｒｍｐｈｉｌｕｓ等の真正細菌に由来することができ、直交Ｏ−ＲＳは非真核生物（又は生物組み合わせ）、例えばＭｅｔｈａｎｏｃｏｃｃｕｓ  ｊａｎｎａｓｃｈｉｉ、Ｍｅｔｈａｎｏｂａｃｔｅｒｉｕｍ  ｔｈｅｒｍｏａｕｔｏｔｒｏｐｈｉｃｕｍ、Ｈａｌｏｂａｃｔｅｒｉｕｍ（例えばＨａｌｏｆｅｒａｘ  ｖｏｌｃａｎｉｉ及びＨａｌｏｂａｃｔｅｒｉｕｍ種ＮＲＣ−１）、Ａｒｃｈａｅｏｇｌｏｂｕｓ  ｆｕｌｇｉｄｕｓ、Ｐｙｒｏｃｏｃｃｕｓ  ｆｕｒｉｏｓｕｓ、Ｐｙｒｏｃｏｃｃｕｓ  ｈｏｒｉｋｏｓｈｉｉ、Ａｅｕｒｏｐｙｒｕｍ  ｐｅｒｎｉｘ、Ｍｅｔｈａｎｏｃｏｃｃｕｓ  ｍａｒｉｐａｌｕｄｉｓ、Ｍｅｔｈａｎｏｐｙｒｕｓ  ｋａｎｄｌｅｒｉ、Ｍｅｔｈａｎｏｓａｒｃｉｎａ  ｍａｚｅｉ、Ｐｙｒｏｂａｃｕｌｕｍ  ａｅｒｏｐｈｉｌｕｍ、Ｐｙｒｏｃｏｃｃｕｓ  ａｂｙｓｓｉ、Ｓｕｌｆｏｌｏｂｕｓ  ｓｏｌｆａｔａｒｉｃｕｓ、Ｓｕｌｆｏｌｏｂｕｓ  ｔｏｋｏｄａｉｉ、Ｔｈｅｒｍｏｐｌａｓｍａ  ａｃｉｄｏｐｈｉｌｕｍ、Ｔｈｅｒｍｏｐｌａｓｍａ  ｖｏｌｃａｎｉｕｍ等の古細菌や、Ｅｓｃｈｅｒｉｃｈｉａ  ｃｏｌｉ，Ｔｈｅｒｍｕｓ  ｔｈｅｒｍｏｐｈｉｌｕｓ，Ｂａｃｉｌｌｕｓ  ｓｔｅａｒｏｔｈｅｒｍｐｈｉｌｕｓ等の真正細菌に由来することができる。１態様では、例えば植物、藻類、原生動物、真菌類、酵母、動物（例えば哺乳動物、昆虫、節足動物等）等の真核資源もＯ−ｔＲＮＡ及びＯ−ＲＳ資源として使用することができる。
【００８２】
Ｏ−ｔＲＮＡ／Ｏ−ＲＳ対の個々の成分は同一生物に由来するものでも異なる生物に由来するものでもよい。１態様では、Ｏ−ｔＲＮＡ／Ｏ−ＲＳ対は同一生物に由来する。あるいは、Ｏ−ｔＲＮＡ／Ｏ−ＲＳ対のＯ−ｔＲＮＡとＯ−ＲＳは異なる生物に由来する。
【００８３】
Ｏ−ｔＲＮＡ、Ｏ−ＲＳ又はＯ−ｔＲＮＡ／Ｏ−ＲＳ対はｉｎ  ｖｉｖｏ又はｉｎ  ｖｉｔｒｏで選択又はスクリーニングすることができ、及び／又は該当非天然アミノ酸を組込んだポリペプチドを作製するために細胞（例えば原核（非真核）細胞又は真核細胞）で使用することができる。非真核細胞は種々の資源の任意のものに由来することができ、例えばＥｓｃｈｅｒｉｃｈｉａ  ｃｏｌｉ、Ｔｈｅｒｍｕｓ  ｔｈｅｒｍｏｐｈｉｌｕｓ、Ｂａｃｉｌｌｕｓ  ｓｔｅａｒｏｔｈｅｒｍｐｈｉｌｕｓ等の真正細菌や、Ｍｅｔｈａｎｏｃｏｃｃｕｓ  ｊａｎｎａｓｃｈｉｉ、Ｍｅｔｈａｎｏｂａｃｔｅｒｉｕｍ  ｔｈｅｒｍｏａｕｔｏｔｒｏｐｈｉｃｕｍ、Ｈａｌｏｂａｃｔｅｒｉｕｍ（例えばＨａｌｏｆｅｒａｘ  ｖｏｌｃａｎｉｉ及びＨａｌｏｂａｃｔｅｒｉｕｍ種ＮＲＣ−１）、Ａｒｃｈａｅｏｇｌｏｂｕｓ  ｆｕｌｇｉｄｕｓ、Ｐｙｒｏｃｏｃｃｕｓ  ｆｕｒｉｏｓｕｓ、Ｐｙｒｏｃｏｃｃｕｓ  ｈｏｒｉｋｏｓｈｉｉ、Ａｅｕｒｏｐｙｒｕｍ  ｐｅｒｎｉｘ、Ｍｅｔｈａｎｏｃｏｃｃｕｓ  ｍａｒｉｐａｌｕｄｉｓ、Ｍｅｔｈａｎｏｐｙｒｕｓ  ｋａｎｄｌｅｒｉ、Ｍｅｔｈａｎｏｓａｒｃｉｎａ  ｍａｚｅｉ、Ｐｙｒｏｂａｃｕｌｕｍ  ａｅｒｏｐｈｉｌｕｍ、Ｐｙｒｏｃｏｃｃｕｓ  ａｂｙｓｓｉ、Ｓｕｌｆｏｌｏｂｕｓ  ｓｏｌｆａｔａｒｉｃｕｓ、Ｓｕｌｆｏｌｏｂｕｓ  ｔｏｋｏｄａｉｉ、Ｔｈｅｒｍｏｐｌａｓｍａ  ａｃｉｄｏｐｈｉｌｕｍ、Ｔｈｅｒｍｏｐｌａｓｍａ  ｖｏｌｃａｎｉｕｍ等の古細菌が挙げられる。真核細胞は種々の資源の任意のものに由来することができ、例えば植物（例えば単子葉植物、又は双子葉植物等の複雑な植物）、藻類、原生生物、真菌、酵母（例えばＳａｃｃｈａｒｏｍｙｃｅｓ  ｃｅｒｅｖｉｓｉａｅ）、動物（例えば哺乳動物、昆虫、節足動物等）等が挙げられる。例えば、適切な昆虫宿主細胞としては限定されないが、鱗翅目、Ｓｐｏｄｏｐｔｅｒａ  ｆｒｕｇｉｐｅｒｄａ、Ｂｏｍｂｙｘ  ｍｏｒｉ、Ｈｅｌｉｏｔｈｉｓ  ｖｉｒｅｓｃｅｎｓ、Ｈｅｌｉｏｔｈｉｓ  ｚｅａ、Ｍａｍｅｓｔｒａ  ｂｒａｓｓｉｃａｓ、Ｅｓｔｉｇｍｅｎｅ  ａｃｒｅａ、及びＴｒｉｃｈｏｐｌｕｓｉａ  ｎｉ昆虫細胞が挙げられ、昆虫細胞株の例としては特にＢＴ１−ＴＮ−５Ｂ１−４（Ｈｉｇｈ  Ｆｉｖｅ）、ＢＴＩ−ＴＮ−ＭＧ１、Ｓｆ９、Ｓｆ２１、ＴＮ−３６８、Ｄ．Ｍｅ１−２、及びＳｃｈｎｅｉｄｅｒ  Ｓ−２細胞が挙げられる。非天然アミノ酸を組込んだ蛋白質を発現させるためには、このような昆虫細胞に場合により蛋白質とセレクターコドンをコードする組換えバキュロウイルスベクターを感染させる。各種バキュロウイルス発現システムが当分野で公知であり、及び／又は市販されており、例えばＢａｃｕｌｏＤｉｒｅｃｔ（登録商標）（Ｉｎｖｉｔｒｏｇｅｎ，Ｃａｒｌｓｂａｄ，ＣＡ）やＢＤ  ＢａｃｕｌｏＧｏｌｄ（登録商標）バキュロウイルス発現ベクターシステム（ＢＤ  Ｂｉｏｓｃｉｅｎｃｅｓ，Ｓａｎ  Ｊｏｓｅ，ＣＡ）が挙げられる。本発明の翻訳成分を含む細胞の組成物も本発明の特徴である。
【００８４】
別の種で使用するためにある種でＯ−ｔＲＮＡ及び／又はＯ−ＲＳをスクリーニングする方法については、国際出願第ＰＣＴ／ＵＳ２００４／０１１７８６号（出願日２００４年４月１６日）も参照。
セレクターコドン
【００８５】
本発明のセレクターコドンは蛋白質生合成機構の遺伝子コドン枠を拡張する。例えば、セレクターコドンとしては例えばユニーク３塩基コドン、ナンセンスコドン（例えばアンバーコドン（ＵＡＧ）又はオパールコドン（ＵＧＡ）等の終止コドン）、非天然コドン、少なくとも４塩基のコドン（例えばＡＧＧＡ）、レアコドン等が挙げられる。例えば１個以上、２個以上、３個以上等の多数のセレクターコドンを所望遺伝子に導入することができる。複数の異なるセレクターコドンを使用することにより、複数の直交ｔＲＮＡ／シンテターゼ対を使用することができ、これらの異なるセレクターコドンを使用して複数の異なる非天然アミノ酸を該当蛋白質に同時に部位特異的に組込むことが可能になる。同様に、所与セレクターコドンの２個以上のコピーを所望遺伝子に導入し、該当蛋白質の複数部位（例えば２個以上、３個以上等）に所与非天然アミノ酸を部位特異的に組込むことが可能になる。
【００８６】
慣用部位特異的突然変異誘発法を使用して該当ポリペプチドをコードする核酸の該当部位にセレクターコドンを導入することができる。Ｏ−ＲＳ、Ｏ−ｔＲＮＡ及び該当ポリペプチドをコードする核酸を例えばｉｎ  ｖｉｖｏで併用すると、セレクターコドンに応答して分光標識非天然アミノ酸が組込まれ、特定位置に分光標識非天然アミノ酸を含むポリペプチドが得られる。
【００８７】
分光標識非天然アミノ酸等の非天然アミノ酸のｉｎ  ｖｉｖｏ組込みは宿主細胞をさほど撹乱せずに実施することができる。例えば、大腸菌等の非真核細胞では、終止セレクターコドンであるＵＡＧコドンの抑圧効率はＯ−ｔＲＮＡ（例えばアンバーサプレッサーｔＲＮＡ）と（ＵＡＧコドンと結合してリボソームから成長中のペプチドの放出を開始する）放出因子１（ＲＦ１）の競合に依存するので、例えばＯ−ｔＲＮＡ（例えばサプレッサーｔＲＮＡ）の発現レベルを増加するか又はＲＦ１欠損株を使用することにより抑圧効率を調節することができる。真核細胞では、ＵＡＧコドンの抑圧効率はＯ−ｔＲＮＡ（例えばアンバーサプレッサーｔＲＮＡ）と（終止コドンと結合してリボソームから成長中のペプチドの放出を開始する）真核放出因子１（例えばｅＲＦ）の競合に依存するので、例えばＯ−ｔＲＮＡ（例えばサプレッサーｔＲＮＡ）の発現レベルを増加することにより抑圧効率を調節することができる。更に、例えばジチオスレイトール（ＤＴＴ）等の還元剤等の放出因子作用を調節する付加成分も加えてもよい。
【００８８】
例えば分光標識非天然アミノ酸等の非天然アミノ酸をレアコドンでコードすることもできる。例えば、ｉｎ  ｖｉｔｒｏ蛋白質合成反応でアルギニン濃度を下げると、レアアルギニンコドンＡＧＧはアラニンでアシル化された合成ｔＲＮＡによるＡｌａの挿入に有効であることが分かっている。例えばＭａら，Ｂｉｏｃｈｅｍｉｓｔｒｙ，３２：７９３９（１９９３）参照。この場合には、合成ｔＲＮＡは大腸菌に少量種として存在する天然ｔＲＮＡＡｒｇと競合する。更に、生物によっては全三重項コドンを使用しないものもある。Ｍｉｃｒｏｃｏｃｃｕｓ  ｌｕｔｅｕｓで割り当てられないコドンＡＧＡがｉｎ  ｖｉｔｒｏ転写／翻訳抽出物へのアミノ酸挿入に使用されている。例えばＫｏｗａｌ  ａｎｄ  Ｏｌｉｖｅｒ，Ｎｕｃｌ．Ａｃｉｄ．Ｒｅｓ．，２５：４６８５（１９９７）参照。本発明の成分はこれらのレアコドンをｉｎ  ｖｉｖｏで使用するために作製することができる。
【００８９】
セレクターコドンは更に拡張コドン（例えば４、５、６塩基以上のコドン等の４塩基以上のコドン）も含むことができる。４塩基コドンの例としては例えばＡＧＧＡ、ＣＵＡＧ、ＵＡＧＡ、ＣＣＣＵ等が挙げられる。５塩基コドンの例としては例えばＡＧＧＡＣ、ＣＣＣＣＵ、ＣＣＣＵＣ、ＣＵＡＧＡ、ＣＵＡＣＵ、ＵＡＧＧＣ等が挙げられる。本発明の方法はフレームシフト抑圧に基づく拡張コドンの使用を含むことができる。４塩基以上のコドンは例えば１又は複数の非天然アミノ酸を同一蛋白質に挿入することができる。他の態様では、アンチコドンループは例えば少なくとも４塩基コドン、少なくとも５塩基コドン、又は少なくとも６塩基コドン又はそれ以上のコドンをデコードすることができる。４塩基コドンは２５６種が考えられるので、４塩基以上のコドンを使用すると同一細胞で複数の非天然アミノ酸をコードすることができる。Ａｎｄｅｒｓｏｎら（２００２）“Ｅｘｐｌｏｒｉｎｇ  ｔｈｅ  Ｌｉｍｉｔｓ  ｏｆ  Ｃｏｄｏｎ  ａｎｄ  Ａｎｔｉｃｏｄｏｎ  Ｓｉｚｅ”Ｃｈｅｍｉｓｔｒｙ  ａｎｄ  Ｂｉｏｌｏｇｙ，９：２３７−２４４；及びＭａｇｌｉｅｒｙ（２００１）“Ｅｘｐａｎｄｉｎｇ  ｔｈｅ  Ｇｅｎｅｔｉｃ  Ｃｏｄｅ：Ｓｅｌｅｃｔｉｏｎ  ｏｆ  Ｅｆｆｉｃｉｅｎｔ  Ｓｕｐｐｒｅｓｓｏｒｓ  ｏｆ  Ｆｏｕｒ−ｂａｓｅ  Ｃｏｄｏｎｓ  ａｎｄ  Ｉｄｅｎｔｉｆｉｃａｔｉｏｎ  ｏｆ“Ｓｈｉｆｔｙ”Ｆｏｕｒ−ｂａｓｅ  Ｃｏｄｏｎｓ  ｗｉｔｈ  ａ  Ｌｉｂｒａｒｙ  Ａｐｐｒｏａｃｈ  ｉｎ  Ｅｓｃｈｅｒｉｃｈｉａ  ｃｏｌｉ”Ｊ．Ｍｏｌ．Ｂｉｏｌ．３０７：７５５−７６９も参照。
【００９０】
例えば、ｉｎ  ｖｉｔｒｏ生合成法を使用して非天然アミノ酸を蛋白質に組込むために４塩基コドンが使用されている。例えばＭａら，（１９９３）Ｂｉｏｃｈｅｍｉｓｔｒｙ，３２，７９３９；及びＨｏｈｓａｋａら，（１９９９）Ｊ．Ａｍ．Ｃｈｅｍ．Ｓｏｃ．，１２１：３４参照。２個の化学的にアシル化されたフレームシフトサプレッサーｔＲＮＡを用いて２−ナフチルアラニンとリジンのＮＢＤ誘導体をストレプトアビジンに同時にｉｎ  ｖｉｔｒｏ組込むためにＣＧＧＧとＡＧＧＵが使用されている。例えばＨｏｈｓａｋａら，（１９９９）Ｊ．Ａｍ．Ｃｈｅｍ．Ｓｏｃ．，１２１：１２１９４参照。ｉｎ  ｖｉｖｏ試験では、ＭｏｏｒｅらはＮＣＵＡアンチコドンをもつｔＲＮＡＬｅｕ誘導体がＵＡＧＮコドン（ＮはＵ、Ａ、Ｇ又はＣであり得る）を抑圧する能力を試験し、四重項ＵＡＧＡはＵＣＵＡアンチコドンをもつｔＲＮＡＬｅｕにより１３〜２６％の効率でデコードすることができるが、０又は−１フレームでは殆どデコードできないことを見出した。Ｍｏｏｒｅら，（２０００）Ｊ．Ｍｏｌ．Ｂｉｏｌ．，２９８：１９５参照。１態様では、レアコドン又はナンセンスコドンに基づく拡張コドンを本発明で使用し、他の望ましくない部位でのミスセンス読み飛ばしとフレームシフト抑圧を減らすことができる。
【００９１】
所与系では、セレクターコドンは更に天然３塩基コドンの１種を含むことができ、内在系はこの天然塩基コドンを使用しない（又は殆ど使用しない）。例えば、天然３塩基コドンを認識するｔＲＮＡをもたない系、及び／又は３塩基コドンがレアコドンである系がこれに該当する。
【００９２】
セレクターコドンは場合により非天然塩基対を含む。これらの非天然塩基対は既存遺伝子アルファベットを更に拡張する。塩基対が１個増えると、三重項コドン数は６４から１２５に増す。第３の塩基対の性質としては安定的且つ選択的な塩基対合、高い忠実度でポリメラーゼによるＤＮＡへの効率的な酵素組込み、及び未完成非天然塩基対の合成後の効率的な持続的プライマー伸長が挙げられる。方法と組成物に応用可能な非天然塩基対については、例えばＨｉｒａｏら，（２００２）“Ａｎ  ｕｎｎａｔｕｒａｌ  ｂａｓｅ  ｐａｉｒ  ｆｏｒ  ｉｎｃｏｒｐｏｒａｔｉｎｇ  ａｍｉｎｏ  ａｃｉｄ  ａｎａｌｏｇｕｅｓ  ｉｎｔｏ  ｐｒｏｔｅｉｎ”Ｎａｔｕｒｅ  Ｂｉｏｔｅｃｈｎｏｌｏｇｙ，２０：１７７−１８２に記載されている。Ｗｕ，Ｙ．ら，（２００２）Ｊ．Ａｍ．Ｃｈｅｍ．Ｓｏｃ．１２４：１４６２６−１４６３０も参照。他の関連刊行物は以下に挙げる。
【００９３】
ｉｎ  ｖｉｖｏ使用では、非天然ヌクレオシドは膜透過性であり、リン酸化され、対応する三リン酸塩を形成する。更に、増加した遺伝情報は安定しており、細胞内酵素により破壊されない。Ｂｅｎｎｅｒらによる従来の報告はカノニカルワトソンクリック対とは異なる水素結合パターンを利用しており、そのうちで最も注目される例はイソＣ：イソＧ対である。例えばＳｗｉｔｚｅｒら，（１９８９）Ｊ．Ａｍ．Ｃｈｅｍ．Ｓｏｃ．，１１１：８３２２；及びＰｉｃｃｉｒｉｌｌｉら，（１９９０）Ｎａｔｕｒｅ，３４３：３３；Ｋｏｏｌ，（２０００）Ｃｕｒｒ．Ｏｐｉｎ．Ｃｈｅｍ．Ｂｉｏｌ．，４：６０２参照。これらの塩基は一般に天然塩基とある程度まで誤対合し、酵素複製することができない。Ｋｏｏｌらは水素結合を塩基間の疎水性パッキング相互作用に置き換えることにより塩基対の形成を誘導できることを立証した。Ｋｏｏｌ，（２０００）Ｃｕｒｒ．Ｏｐｉｎ．Ｃｈｅｍ．Ｂｉｏｌ．，４：６０２；及びＧｕｃｋｉａｎ  ａｎｄ  Ｋｏｏｌ，（１９９８）Ａｎｇｅｗ．Ｃｈｅｍ．Ｉｎｔ．Ｅｄ．Ｅｎｇｌ．，３６，２８２５参照。上記全要件を満足する非天然塩基対を開発する目的でＳｃｈｕｌｔｚ，Ｒｏｍｅｒｂｅｒｇらは一連の非天然疎水性塩基を体系的に合成し、試験した。ＰＩＣＳ：ＰＩＣＳ自己対は天然塩基対よりも安定しており、大腸菌ＤＮＡポリメラーゼＩのＫｌｅｎｏｗフラグメント（ＫＦ）によりＤＮＡに効率的に組込むことができる。例えばＭｃＭｉｎｎら，（１９９９）Ｊ．Ａｍ．Ｃｈｅｍ．Ｓｏｃ．，１２１：１１５８６；及びＯｇａｗａら，（２０００）Ｊ．Ａｍ．Ｃｈｅｍ．Ｓｏｃ．，１２２：３２７４参照。生体機能に十分な効率と選択性でＫＦにより３ＭＮ：３ＭＮ自己対を合成することができる。例えばＯｇａｗａら，（２０００）Ｊ．Ａｍ．Ｃｈｅｍ．Ｓｏｃ．，１２２：８８０３参照。しかし、どちらの塩基も後期複製用チェーンターミネーターとして作用するものである。ＰＩＣＳ自己対を複製するために使用できる突然変異体ＤＮＡポリメラーゼが最近開発された。更に、７ＡＩ自己対も複製することができる。例えばＴａｅら，（２００１）Ｊ．Ａｍ．Ｃｈｅｍ．Ｓｏｃ．，１２３：７４３９参照。Ｃｕ（ＩＩ）と結合すると安定な対を形成する新規メタロ塩基対Ｄｉｐｉｃ：Ｐｙも開発された。Ｍｅｇｇｅｒｓら，（２０００）Ｊ．Ａｍ．Ｃｈｅｍ．Ｓｏｃ．，１２２：１０７１４参照。拡張コドンと非天然コドンは天然コドンに本質的に直交性であるので、本発明の方法は天然コドンに直交性のｔＲＮＡを作製するためにこの性質を利用することができる。
【００９４】
翻訳バイパス系を使用して分光標識非天然アミノ酸又は他の非天然アミノ酸を所望ポリペプチドに組込むこともできる。１翻訳バイパス系では、大きい配列が遺伝子に挿入されるが、蛋白質に翻訳されない。この配列はリボソームに配列を飛び越させて挿入の下流の翻訳を再開するための合図として機能する構造を含む。
非天然アミノ酸
【００９５】
本明細書で使用する非天然アミノ酸とはセレノシステイン及び／又はピロリジンと２０種の遺伝的にコードされる以下のα−アミノ酸、即ちアラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、スレオニン、トリプトフアン、チロシン、バリン以外の任意アミノ酸、修飾アミノ酸又はアミノ酸類似体を意味する。α−アミノ酸の一般構造は式Ｉ：
【化１】
2008513806.tif 000002
により表される。
【００９６】
非天然アミノ酸は一般に式Ｉをもつ任意構造であり、式中、Ｒ基は２０種の天然アミノ酸で使用されている以外の任意置換基である。２０種の天然アミノ酸の構造については、例えばＬ．Ｓｔｒｙｅｒ著Ｂｉｏｃｈｅｍｉｓｔｒｙ，第３版，１９８８，Ｆｒｅｅｍａｎ  ａｎｄ  Ｃｏｍｐａｎｙ，Ｎｅｗ  Ｙｏｒｋ参照。なお、本発明の非天然アミノ酸は上記２０種のα−アミノ酸以外の天然化合物（又は、当然のことながら人工的に製造した合成化合物）でもよい。
【００９７】
本発明の非天然アミノ酸は一般に側鎖が天然アミノ酸と異なるので、天然蛋白質と同様に他のアミノ酸（例えば天然又は非天然アミノ酸）とアミド結合を形成する。一方、非天然アミノ酸は天然アミノ酸と異なる側鎖基をもつ。
【００９８】
非天然アミノ酸では、例えば、式ＩにおけるＲは場合によりアルキル、アリール、アシル、ケト、アジド、ヒドロキシル、ヒドラジン、シアノ、ハロ、ヒドラジド、アルケニル、アルキニル、エーテル、チオール、セレノ、スルホニル、硼酸、ボロン酸、ホスホ、ホスホノ、ホスフィン、複素環、エノン、イミン、アルデヒド、エステル、チオ酸、ヒドロキシルアミン、アミン基等又はその任意組合せを含む。他の該当非天然アミノ酸としては限定されないが、光架橋基をもつアミノ酸、スピン標識アミノ酸、蛍光アミノ酸、フルオロフォア標識アミノ酸、発光性アミノ酸、金属結合性アミノ酸、金属含有アミノ酸、放射性アミノ酸、新規官能基をもつアミノ酸、他の分子と共有又は非共有的に相互作用するアミノ酸、フォトケージド及び／又は光異性化可能なアミノ酸、ビオチン又はビオチン類似体を含有するアミノ酸、ケト含有アミノ酸、グリコシル化アミノ酸、ポリエチレングリコール又はポリエーテルを含むアミノ酸、化学分解性又は光分解性アミノ酸、天然アミノ酸に比較して延長側鎖（例えばポリエーテル又は例えば約５もしくは約１０炭素長を上回る長鎖炭化水素等）をもつアミノ酸、炭素結合糖含有アミノ酸、レドックス活性アミノ酸、アミノチオ酸含有アミノ酸、重原子含有アミノ酸、分光標識非天然アミノ酸、及び１個以上の毒性部分を含むアミノ酸が挙げられる。所定態様では、非天然アミノ酸は光架橋基をもつ。１態様では、非天然アミノ酸はアミノ酸側鎖に結合した糖部分及び／又は他の糖鎖修飾をもつ。
【００９９】
新規側鎖を含む非天然アミノ酸に加え、非天然アミノ酸は更に場合により例えば式ＩＩ及びＩＩＩ：
【化２】
2008513806.tif 000003
の構造により表されるような修飾主鎖構造を含み、上記式中、Ｚは一般にＯＨ、ＮＨ２、ＳＨ、ＮＨ−Ｒ’又はＳ−Ｒ’を含み、ＸとＹは同一でも異なっていてもよく、一般にＳ又はＯであり、ＲとＲ’は場合により同一又は異なり、一般に式Ｉをもつ非天然アミノ酸について上記に記載したＲ基と同一の基及び水素から選択される。例えば、本発明の非天然アミノ酸は場合により式ＩＩ及びＩＩＩにより表されるようにアミノ又はカルボキシル基に置換を含む。この種の非天然アミノ酸としては限定されないが、例えば２０種の標準天然アミノ酸に対応する側鎖又は非天然側鎖をもつα−ヒドロキシ酸、α−チオ酸、α−アミノチオカルボキシレートが挙げられる。更に、α−炭素の置換は場合によりＬ、Ｄ又はα，α−ジ置換アミノ酸（例えばＤ−グルタミン酸、Ｄ−アラニン、Ｄ−メチル−Ｏ−チロシン、アミノ酪酸等）を含む。他の代替構造としては環状アミノ酸（例えばプロリン類似体や、３、４、６、７、８及び９員環プロリン類似体）、β及びγアミノ酸（例えば置換β−アラニン及びγ−アミノ酪酸）が挙げられる。本発明のその他の非天然アミノ酸構造としては例えばメチレン又はアミノ基がα炭素に隣接してサンドイッチされているホモβ型構造が挙げられ、例えばホモβ−チロシン、α−ヒドラジノチロシンの異性体が挙げられる。例えば、下記参照。
【化３】
2008513806.tif 000004
【０１００】
多くの非天然アミノ酸は天然アミノ酸（例えばチロシン、グルタミン、フェニルアラニン等）をベースとする。例えば、チロシン類似体としてはパラ置換チロシン、オルト置換チロシン、及びメタ置換チロシンが挙げられ、置換チロシンはアセチル基、ベンゾイル基、アミノ基、ヒドラジン、ヒドロキシアミン、チオール基、カルボキシ基、イソプロピル基、メチル基、Ｃ６−Ｃ２０直鎖又は分岐鎖炭化水素、飽和又は不飽和炭化水素、Ｏ−メチル基、ポリエーテル基、ニトロ基、ハロゲン原子等を含む。更に、多置換アリール環も考えられる。本発明のグルタミン類似体としては限定されないが、α−ヒドロキシ誘導体、γ置換誘導体、環状誘導体及びアミド置換グルタミン誘導体が挙げられる。フェニルアラニン類似体の例としては限定されないが、パラ置換フェニルアラニン、オルト置換フェニルアラニン、及びメタ置換フェニルアラニンが挙げられ、置換基はヒドロキシ基、メトキシ基、メチル基、アリル基、アルデヒド又はケト基、ハロゲン原子等を含む。非天然アミノ酸の特定例としては限定されないが、ホモグルタミン、３，４−ジヒドロキシ−Ｌ−フェニルアラニン、ｐ−アセチル−Ｌ−フェニルアラニン、ｍ−アセチル−Ｌ−フェニルアラニン、ｐ−プロパルギルオキシフェニルアラニン、Ｏ−メチル−Ｌ−チロシン（ｐ−メトキシフェニルアラニンとも言う）、Ｌ−３−（２−ナフチル）アラニン、３−メチルフェニルアラニン、Ｏ−４−アリル−Ｌ−チロシン、４−プロピル−Ｌ−チロシン、Ｏ−（２−プロピニル）−Ｌ−チロシン、ｐ−エチルチオカルボニル−Ｌ−フェニルアラニン、ｐ−（３−オキソブタノイル）−Ｌ−フェニルアラニン、トリ−Ｏ−アセチル−β−ＧｌｃＮＡｃ−Ｌ−セリン、トリ−Ｏ−アセチル−α−ＧａｌＮＡｃ−Ｌ−スレオニン、β−ＧｌｃＮＡｃ−セリン、α−ＧａｌＮＡｃ−スレオニン、Ｌ−Ｄｏｐａ、フッ素化フェニルアラニン、イソプロピル−Ｌ−フェニルアラニン、ｐ−アジド−Ｌ−フェニルアラニン、ｐ−アシル−Ｌ−フェニルアラニン、ｐ−ベンゾイル−Ｌ−フェニルアラニン、Ｌ−ホスホセリン、ホスホノセリン、ホスホノチロシン、ｐ−アミノ−Ｌ−フェニルアラニン、イソプロピル−Ｌ−フェニルアラニン、ｐ−ブロモ−Ｌ−フェニルアラニン（Ｌ−４−ブロモフェニルアラニンとも言う）、Ｌ−３−ブロモフェニルアラニン、Ｌ−２−ブロモフェニルアラニン、Ｌ−３−ブロモチロシン、Ｌ−２−ブロモチロシン等が挙げられる。
【０１０１】
（上記のように、例えばスピン標識アミノ酸、フルオロフォア標識アミノ酸等の所定の非天然アミノ酸は予め分光ラベルを含むことができるが、例えば予め加えていない場合に）分光ラベルを加えるように修飾することができる可能な全非天然アミノ酸を明記しようとするものではない。分光標識非天然アミノ酸の少数の例を以下に挙げるが、当業者に自明の通り、非常に多数の標識非天然アミノ酸を本発明に応用できる。
【０１０２】
１側面では、分光標識非天然アミノ酸は同位体標識非天然アミノ酸を含む。例えば、非天然アミノ酸は放射性同位体又はＮＭＲ活性同位体を含むことができる。各種ＮＭＲ活性同位体が当分野で公知であり、限定されないが、２Ｈ、１３Ｃ、１５Ｎ、３Ｈ、７Ｌｉ、１３Ｂ、１４Ｎ、１７Ｏ、１９Ｆ、２３Ｎａ、２７Ａｌ、２９Ｓｉ、３１Ｐ、３５Ｃｌ、３７Ｃｌ、３９Ｋ、５９Ｃｏ、７７Ｓｅ、８１Ｂｒ、１１３Ｃｄ、１１９Ｓｎ、及び１９５Ｐｔが挙げられる。
【０１０３】
ＮＭＲ活性（又は他の）同位体は非天然アミノ酸の適当なほぼ任意位置に結合又は組込むことができる（例えば同位体を非天然アミノ酸に付加することもよいし、非天然アミノ酸のある原子に置換してもよい）。ほんの数例を挙げると、ＮＭＲ活性同位体はメチル基、アミノ基、アジド基、ケト基、カルボキシ基、シアノ基、アルキル基、アルコキシ基、アルキニル基、チオール基、ハロゲン原子、アリール基、糖残基、光架橋性部分、又は光感受性基の部分とすることができる。
【０１０４】
１例として、α−アミノ酸の窒素を１５Ｎで置換することによりほぼ任意非天然アミノ酸を同位体標識することができる。例えば、ｐ−メトキシフェニルアラニンをこのように標識し、１５Ｎ標識ｐ−メトキシフェニルアラニンとする。
【０１０５】
別例として、Ｏ−メチル−Ｌ−チロシン（ｐ−メトキシフェニルアラニンとも言う）のメチル基を同位体（例えば１３Ｃ、２Ｈ、及び／又は３Ｈ）で標識したメチル基で置換することができる。ほぼ任意非天然アミノ酸の多数の位置に同様に炭素及び水素同位体を組込むことができる。
【０１０６】
更に別例として、リン含有非天然アミノ酸（例えばＬ−ホスホセリン、Ｌ−ホスホチロシン、Ｌ−ホスホスレオニン、ホスホノセリン、又はホスホノチロシン）を３１Ｐで同位体標識することができる。更に別例として、臭素化非天然アミノ酸（例えばｐ−ブロモ−Ｌ−フェニルアラニン、Ｌ−３−ブロモフェニルアラニン、Ｌ−２−ブロモフェニルアラニン、Ｌ−３−ブロモチロシン、又はＬ−２−ブロモチロシン）を８１Ｂｒで同位体標識することができる。同様に、１９Ｆ、又は適当な他のほぼ任意同位体ラベルを非天然アミノ酸に組込むことができる。
【０１０７】
別の側面では、分光標識非天然アミノ酸はスピン標識アミノ酸を含む。このようなラベルは例えばＮＭＲ及び／又はＥＰＲで有用であると思われる。１分類の態様では、スピン標識アミノ酸はニトロキシド基（例えば２，２，６，６−テトラメチルピペリジン−１−オキシル（ＴＥＭＰＯ）又は２，２，５，５−テトラメチルピロリン−１−オキシル）を含む。代表的なスピン標識アミノ酸は４−アミノ−２，２，６，６−テトラメチルピペリジン−１−オキシル−４−カルボン酸（ＴＯＡＣ）である。Ｃｏｒｎｉｓｈら（１９９４）“Ｓｉｔｅ−ｓｐｅｃｉｆｉｃ  ｉｎｃｏｒｐｏｒａｔｉｏｎ  ｏｆ  ｂｉｏｐｈｙｓｉｃａｌ  ｐｒｏｂｅｓ  ｉｎｔｏ  ｐｒｏｔｅｉｎｓ”Ｐｒｏｃ．Ｎａｔｌ．Ａｃａｄ．Ｓｃｉ．ＵＳＡ  ９１：２９１０−４のスピン標識アミノ酸１−３も参照。同様に、非天然アミノ酸は常磁性金属用キレート剤（例えばＭｎ２＋、Ｃｕ２＋、Ｚｎ２＋、Ｃｏ２＋、又はＧｄ３＋等の常磁性金属用ＥＤＴＡキレート剤）を含むことができる。常磁性金属の例としては限定されないが、Ｍｎ２＋、Ｃｕ２＋、Ｚｎ２＋、Ｃｏ２＋、Ｇｄ３＋、Ｃｅ３＋、Ｔｂ３＋、Ｄｙ３＋、Ｈｏ３＋、Ｅｒ３＋、Ｔｍ３＋、Ｙｂ３＋、及び他のランタニドが挙げられる。例えばＰｉｎｔａｃｕｄａら（２００４）Ｊ．Ｂｉｏｍｏｌｅｃ．ＮＭＲ  ２９：３５１−３６１；Ｊａｈｎｋｅ（２００２）ＣｈｅｍＢｉｏＣｈｅｍ  ３：１６７−１７３；Ｊａｈｎｋｅら（２００１）Ｊ．Ａｍ．Ｃｈｅｍ．Ｓｏｃ．１２３：３１４９−３１５０；及びＪａｈｎｋｅら（２０００）Ｊ．Ａｍ．Ｃｈｅｍ．Ｓｏｃ．１２２：７３９４−７３９５参照。
非天然アミノ酸の化学的合成
【０１０８】
上記非天然アミノ酸の多くは例えばＳｉｇｍａ（米国）やＡｌｄｒｉｃｈ（Ｍｉｌｗａｕｋｅｅ，ＷＩ，米国）から市販されている。市販されていない分光標識非天然アミノ酸は場合により各種刊行物に記載されている方法や当業者に公知の標準方法を使用して合成される。有機合成技術については例えばＦｅｓｓｅｎｄｏｎ  ａｎｄ  Ｆｅｓｓｅｎｄｏｎ著Ｏｒｇａｎｉｃ  Ｃｈｅｍｉｓｔｒｙ（１９８２，第２版，Ｗｉｌｌａｒｄ  Ｇｒａｎｔ  Ｐｒｅｓｓ，Ｂｏｓｔｏｎ  Ｍａｓｓ．）；Ｍａｒｃｈ著Ａｄｖａｎｃｅｄ  Ｏｒｇａｎｉｃ  Ｃｈｅｍｉｓｔｒｙ（第３版，１９８５，Ｗｉｌｅｙ  ａｎｄ  Ｓｏｎｓ，Ｎｅｗ  Ｙｏｒｋ）；及びＣａｒｅｙ  ａｎｄ  Ｓｕｎｄｂｅｒｇ著Ａｄｖａｎｃｅｄ  Ｏｒｇａｎｉｃ  Ｃｈｅｍｉｓｔｒｙ（第３版，Ｐａｒｔｓ  Ａ  ａｎｄ  Ｂ，１９９０，Ｐｌｅｎｕｍ  Ｐｒｅｓｓ，Ｎｅｗ  Ｙｏｒｋ）参照。非天然アミノ酸の合成について記載しているその他の刊行物としては例えばＷＯ２００２／０８５９２３、発明の名称「非天然アミノ酸のインビボ組込み（Ｉｎ  ｖｉｖｏ  ｉｎｃｏｒｐｏｒａｔｉｏｎ  ｏｆ  Ｕｎｎａｔｕｒａｌ  Ａｍｉｎｏ  Ａｃｉｄｓ）」；Ｍａｔｓｏｕｋａｓら（１９９５）Ｊ．Ｍｅｄ．Ｃｈｅｍ．，３８，４６６０−４６６９；Ｋｉｎｇ  ａｎｄ  Ｋｉｄｄ（１９４９）“Ａ  Ｎｅｗ  Ｓｙｎｔｈｅｓｉｓ  ｏｆ  Ｇｌｕｔａｍｉｎｅ  ａｎｄ  ｏｆ  γ−Ｄｉｐｅｐｔｉｄｅｓ  ｏｆ  Ｇｌｕｔａｍｉｃ  Ａｃｉｄ  ｆｒｏｍ  Ｐｈｔｈｙｌａｔｅｄ  Ｉｎｔｅｒｍｅｄｉａｔｅｓ”Ｊ．Ｃｈｅｍ．Ｓｏｃ．３３１５−３３１９；Ｆｒｉｅｄｍａｎ  ａｎｄ  Ｃｈａｔｔｅｒｒｊｉ（１９５９）“Ｓｙｎｔｈｅｓｉｓ  ｏｆ  Ｄｅｒｉｖａｔｉｖｅｓ  ｏｆ  Ｇｌｕｔａｍｉｎｅ  ａｓ  Ｍｏｄｅｌ  Ｓｕｂｓｔｒａｔｅｓ  ｆｏｒ  Ａｎｔｉ−Ｔｕｍｏｒ  Ａｇｅｎｔｓ”Ｊ．Ａｍ．Ｃｈｅｍ．Ｓｏｃ．８１，３７５０−３７５２；Ｃｒａｉｇら（１９８８）“Ａｂｓｏｌｕｔｅ  Ｃｏｎｆｉｇｕｒａｔｉｏｎ  ｏｆ  ｔｈｅ  Ｅｎａｎｔｉｏｍｅｒｓ  ｏｆ  ７−Ｃｈｌｏｒｏ−４［［４−（ｄｉｅｔｈｙｌａｍｉｎｏ）−１−ｍｅｔｈｙｌｂｕｔｙｌ］ａｍｉｎｏ］ｑｕｉｎｏｌｉｎｅ（Ｃｈｌｏｒｏｑｕｉｎｅ）”Ｊ．Ｏｒｇ．Ｃｈｅｍ．５３，１１６７−１１７０；Ａｚｏｕｌａｙら（１９９１）“Ｇｌｕｔａｍｉｎｅ  ａｎａｌｏｇｕｅｓ  ａｓ  Ｐｏｔｅｎｔｉａｌ  Ａｎｔｉｍａｌａｒｉａｌｓ”Ｅｕｒ．Ｊ．Ｍｅｄ．Ｃｈｅｍ．２６，２０１−５；Ｋｏｓｋｉｎｅｎ  ａｎｄ  Ｒａｐｏｐｏｒｔ（１９８９）“Ｓｙｎｔｈｅｓｉｓ  ｏｆ  ４−Ｓｕｂｓｔｉｔｕｔｅｄ  Ｐｒｏｌｉｎｅｓ  ａｓ  Ｃｏｎｆｏｒｍａｔｉｏｎａｌｌｙ  Ｃｏｎｓｔｒａｉｎｅｄ  Ａｍｉｎｏ  Ａｃｉｄ  Ａｎａｌｏｇｕｅｓ”Ｊ．Ｏｒｇ．Ｃｈｅｍ．５４，１８５９−１８６６；Ｃｈｒｉｓｔｉｅ  ａｎｄ  Ｒａｐｏｐｏｒｔ（１９８５）“Ｓｙｎｔｈｅｓｉｓ  ｏｆ  Ｏｐｔｉｃａｌｌｙ  Ｐｕｒｅ  Ｐｉｐｅｃｏｌａｔｅｓ  ｆｒｏｍ  Ｌ−Ａｓｐａｒａｇｉｎｅ：Ａｐｐｌｉｃａｔｉｏｎ  ｔｏ  ｔｈｅ  Ｔｏｔａｌ  Ｓｙｎｔｈｅｓｉｓ  ｏｆ（＋）−Ａｐｏｖｉｎｃａｍｉｎｅ  ｔｈｒｏｕｇｈ  Ａｍｉｎｏ  Ａｃｉｄ  Ｄｅｃａｒｂｏｎｙｌａｔｉｏｎ  ａｎｄ  Ｉｍｉｎｉｕｍ  Ｉｏｎ  Ｃｙｃｌｉｚａｔｉｏｎ”Ｊ．Ｏｒｇ．Ｃｈｅｍ．１９８９：１８５９−１８６６；Ｂａｒｔｏｎら（１９８７）“Ｓｙｎｔｈｅｓｉｓ  ｏｆ  Ｎｏｖｅｌ  α−Ａｍｉｎｏ−Ａｃｉｄｓ  ａｎｄ  Ｄｅｒｉｖａｔｉｖｅｓ  Ｕｓｉｎｇ  Ｒａｄｉｃａｌ  Ｃｈｅｍｉｓｔｒｙ：Ｓｙｎｔｈｅｓｉｓ  ｏｆ  Ｌ−ａｎｄ  Ｄ−α−Ａｍｉｎｏ−Ａｄｉｐｉｃ  Ａｃｉｄｓ，Ｌ−α−ａｍｉｎｏｐｉｍｅｌｉｃ  Ａｃｉｄ  ａｎｄ  Ａｐｐｒｏｐｒｉａｔｅ  Ｕｎｓａｔｕｒａｔｅｄ  Ｄｅｒｉｖａｔｉｖｅｓ”Ｔｅｔｒａｈｅｄｒｏｎ  Ｌｅｔｔ．４３：４２９７−４３０８；及びＳｕｂａｓｉｎｇｈｅら（１９９２）“Ｑｕｉｓｑｕａｌｉｃ  ａｃｉｄ  ａｎａｌｏｇｕｅｓ：ｓｙｎｔｈｅｓｉｓ  ｏｆ  ｂｅｔａ−ｈｅｔｅｒｏｃｙｃｌｉｃ  ２−ａｍｉｎｏｐｒｏｐａｎｏｉｃ  ａｃｉｄ  ｄｅｒｉｖａｔｉｖｅｓ  ａｎｄ  ｔｈｅｉｒ  ａｃｔｉｖｉｔｙ  ａｔ  ａ  ｎｏｖｅｌ  ｑｕｉｓｑｕａｌａｔｅ−ｓｅｎｓｉｔｉｚｅｄ  ｓｉｔｅ”Ｊ．Ｍｅｄ．Ｃｈｅｍ．３５：４６０２−７が挙げられる。国際出願第ＰＣＴ／ＵＳ０３／４１３４６号、発明の名称「蛋白質アレー（Ｐｒｏｔｅｉｎ  Ａｒｒａｙｓ）」（出願日２００３年１２月２２日）も参照。
非天然アミノ酸の細胞取込み
【０１０９】
細胞による非天然アミノ酸取り込みは例えば蛋白質に組込むように非天然アミノ酸を設計及び選択する場合に一般に考慮される問題の１つである。例えば、α−アミノ酸は電荷密度が高いため、これらの化合物は細胞に浸透しにくいと思われる。天然アミノ酸は異なる程度のアミノ酸特異性を示すことが多い一連の蛋白質輸送システムにより細胞に取り込まれる。非天然アミノ酸が細胞に取り込まれる場合にはどの非天然アミノ酸が取り込まれるかを判断する迅速なスクリーニングを実施することができる。例えば国際出願第ＰＣＴ／ＵＳ０３／４１３４６号、前出；及びＬｉｕ  ａｎｄ  Ｓｃｈｕｌｔｚ（１９９９）“Ｐｒｏｇｒｅｓｓ  ｔｏｗａｒｄ  ｔｈｅ  ｅｖｏｌｕｔｉｏｎ  ｏｆ  ａｎ  ｏｒｇａｎｉｓｍ  ｗｉｔｈ  ａｎ  ｅｘｐａｎｄｅｄ  ｇｅｎｅｔｉｃ  ｃｏｄｅ” Ｐｒｏｃ．Ｎａｔｌ．Ａｃａｄ．Ｓｃｉ．ＵＳＡ  ９６：４７８０−４７８５における毒性アッセイ参照。取込みは種々の方法で容易に分析されるが、細胞取込み経路に利用可能な非天然アミノ酸を設計する代替方法は、アミノ酸をｉｎ  ｖｉｖｏ作製する生合成経路を提供する方法である。
非天然アミノ酸の生合成
【０１１０】
細胞にはアミノ酸と他の化合物を生産するために多数の生合成経路が元々存在している。特定非天然アミノ酸の生合成法は自然界（例えば細胞中）には存在しないと思われるが、本発明はこのような方法を提供する。例えば、非天然アミノ酸の生合成経路は場合により新規酵素を付加するか又は既存宿主細胞経路を改変することにより宿主細胞で作製される。付加新規酵素は場合により天然酵素又は人工的に進化させた酵素である。例えば、（ＷＯ２００２／０８５９２３、前出の実施例に記載されているような）ｐ−アミノフェニルアラニンの生合成は他の生物に由来する公知酵素の組合せの付加に依存している。これらの酵素の遺伝子はこれらの遺伝子を含むプラスミドで細胞を形質転換することにより細胞に導入することができる。これらの遺伝子は細胞で発現されると、所望化合物を合成するための酵素経路を提供する。場合により付加される酵素種の例は下記実施例に記載する。その他の酵素配列は例えばＧｅｎｂａｎｋから入手できる。人工的に進化させた酵素も場合により同様に細胞に付加する。このように、非天然アミノ酸を生産するように細胞機構と細胞資源を操作する。
【０１１１】
実際に、生合成経路で使用する新規酵素を生産するため又は非天然アミノを生産するように既存経路をｉｎ  ｖｉｔｒｏもしくはｉｎ  ｖｉｖｏで進化させるためには種々の方法の任意のものを使用することができる。非天然アミノ酸を生産するため（又は、実際に新規基質特異性もしくは他の該当活性をもつようにシンテターゼを進化させるため）には、酵素又は他の生合成経路成分を進化させる方法として入手可能な多数の方法を本発明に適用することができる。例えば、非天然アミノ酸を生産（又は新規シンテターゼを生産）するように新規酵素及び／又は前記酵素の経路をｉｎ  ｖｉｔｒｏ又はｉｎ  ｖｉｖｏで開発するためには、場合によりＤＮＡシャフリングを使用する。例えばＳｔｅｍｍｅｒ（１９９４）“Ｒａｐｉｄ  ｅｖｏｌｕｔｉｏｎ  ｏｆ  ａ  ｐｒｏｔｅｉｎ  ｉｎ  ｖｉｔｒｏ  ｂｙ  ＤＮＡ  ｓｈｕｆｆｌｉｎｇ”Ｎａｔｕｒｅ  ３７０（４）：３８９−３９１；及びＳｔｅｍｍｅｒ（１９９４）“ＤＮＡ  ｓｈｕｆｆｌｉｎｇ  ｂｙ  ｒａｎｄｏｍ  ｆｒａｇｍｅｎｔａｔｉｏｎ  ａｎｄ  ｒｅａｓｓｅｍｂｌｙ：Ｉｎ  ｖｉｔｒｏ  ｒｅｃｏｍｂｉｎａｔｉｏｎ  ｆｏｒ  ｍｏｌｅｃｕｌａｒ  ｅｖｏｌｕｔｉｏｎ”Ｐｒｏｃ．Ｎａｔｌ．Ａｃａｄ．Ｓｃｉ．ＵＳＡ．９１：１０７４７−１０７５１参照。関連アプローチは所望特性をもつ酵素を迅速に進化させるために関連（例えば相同）遺伝子のファミリーをシャフリングする。このような「ファミリー遺伝子シャフリング」法の１例はＣｒａｍｅｒｉら（１９９８）“ＤＮＡ  ｓｈｕｆｆｌｉｎｇ  ｏｆ  ａ  ｆａｍｉｌｙ  ｏｆ  ｇｅｎｅｓ  ｆｒｏｍ  ｄｉｖｅｒｓｅ  ｓｐｅｃｉｅｓ  ａｃｃｅｌｅｒａｔｅｓ  ｄｉｒｅｃｔｅｄ  ｅｖｏｌｕｔｉｏｎ”Ｎａｔｕｒｅ，３９１（６６６４）：２８８−２９１に記載されている。（生合成経路成分であるか又はシンテターゼであるかを問わずに）新規酵素は例えばＯｓｔｅｒｍｅｉｅｒら（１９９９）“Ａ  ｃｏｍｂｉｎａｔｏｒｉａｌ  ａｐｐｒｏａｃｈ  ｔｏ  ｈｙｂｒｉｄ  ｅｎｚｙｍｅｓ  ｉｎｄｅｐｅｎｄｅｎｔ  ｏｆ  ＤＮＡ  ｈｏｍｏｌｏｇｙ” Ｎａｔｕｒｅ  Ｂｉｏｔｅｃｈ  １７：１２０５に記載されているような「ハイブリッド酵素作製用インクリメンタルトランケーション（ｉｎｃｒｅｍｅｎｔａｌ  ｔｒｕｎｃａｔｉｏｎ  ｆｏｒ  ｔｈｅ  ｃｒｅａｔｉｏｎ  ｏｆ  ｈｙｂｒｉｄ  ｅｎｚｙｍｅｓ：ＩＴＣＨＹ）として知られるＤＮＡ組換え法を使用して作製することもできる。このアプローチは１種以上のｉｎ  ｖｉｔｒｏ又はｉｎ  ｖｉｖｏ組換え法の基質として使用することができる酵素又は他の経路変異体のライブラリーを作製するために使用することもできる。Ｏｓｔｅｒｍｅｉｅｒら（１９９９）“Ｃｏｍｂｉｎａｔｏｒｉａｌ  Ｐｒｏｔｅｉｎ  Ｅｎｇｉｎｅｅｒｉｎｇ  ｂｙ  Ｉｎｃｒｅｍｅｎｔａｌ  Ｔｒｕｎｃａｔｉｏｎ”Ｐｒｏｃ．Ｎａｔｌ．Ａｃａｄ．Ｓｃｉ．ＵＳＡ，９６：３５６２−６７，及びＯｓｔｅｒｍｅｉｅｒら（１９９９）“Ｉｎｃｒｅｍｅｎｔａｌ  Ｔｒｕｎｃａｔｉｏｎ  ａｓ  ａ  Ｓｔｒａｔｅｇｙ  ｉｎ  ｔｈｅ  Ｅｎｇｉｎｅｅｒｉｎｇ  ｏｆ  Ｎｏｖｅｌ  Ｂｉｏｃａｔａｌｙｓｔｓ” Ｂｉｏｌｏｇｉｃａｌ  ａｎｄ  Ｍｅｄｉｃｉｎａｌ  Ｃｈｅｍｉｓｔｒ���，７：２１３９−４４も参照。別のアプローチは例えば非天然アミノ酸（又は新規シンテターゼ）の生産に関連する生合成反応を触媒する能力について選択する酵素又は他の経路変異体のライブラリーを作製するために指数的集合突然変異誘発を使用する。このアプローチでは、該当配列中の小群の残基を並行してランダム化し、機能的蛋白質をもたらすアミノ酸を各変異位置で同定する。非天然アミノ酸（又は新規シンテターゼ）の生産用新規酵素を作製するように本発明に応用することができるこのような方法の例はＤｅｌｅｇｒａｖｅ  ａｎｄ  Ｙｏｕｖａｎ（１９９３）Ｂｉｏｔｅｃｈｎｏｌｏｇｙ  Ｒｅｓｅａｒｃｈ  １１：１５４８−１５５２に記載されている。更に別のアプローチでは、例えばＡｒｋｉｎ  ａｎｄ  Ｙｏｕｖａｎ（１９９２）“Ｏｐｔｉｍｉｚｉｎｇ  ｎｕｃｌｅｏｔｉｄｅ  ｍｉｘｔｕｒｅｓ  ｔｏ  ｅｎｃｏｄｅ  ｓｐｅｃｉｆｉｃ  ｓｕｂｓｅｔｓ  ｏｆ  ａｍｉｎｏ  ａｃｉｄｓ  ｆｏｒ  ｓｅｍｉ−ｒａｎｄｏｍ  ｍｕｔａｇｅｎｅｓｉｓ”Ｂｉｏｔｅｃｈｎｏｌｏｇｙ  １０：２９７−３００；又はＲｅｉｄｈａａｒ−Ｏｌｓｏｎら（１９９１）“Ｒａｎｄｏｍ  ｍｕｔａｇｅｎｅｓｉｓ  ｏｆ  ｐｒｏｔｅｉｎ  ｓｅｑｕｅｎｃｅｓ  ｕｓｉｎｇ  ｏｌｉｇｏｎｕｃｌｅｏｔｉｄｅ  ｃａｓｓｅｔｔｅｓ”Ｍｅｔｈｏｄｓ  Ｅｎｚｙｍｏｌ．２０８：５６４−８６の一般突然変異誘発法を使用することにより、酵素及び／又は経路成分操作にドープ又は縮重オリゴヌクレオチドを使用するランダム又は半ランダム突然変異誘発を使用することができる。ポリヌクレオチドリアセンブリと部位飽和突然変異誘発を使用する更に別のアプローチ（「非確率論的」突然変異誘発と呼ぶことが多い）を使用すると、酵素及び／又は経路成分を作製した後に、（例えば非天然アミノ酸のｉｎ  ｖｉｖｏ生産のための）１種以上のシンテターゼ又は生合成経路機能を実施する能力についてスクリーニングすることができる。例えばＳｈｏｒｔ“Ｎｏｎ−Ｓｔｏｃｈａｓｔｉｃ  Ｇｅｎｅｒａｔｉｏｎ  ｏｆ  Ｇｅｎｅｔｉｃ  Ｖａｃｃｉｎｅｓ  ａｎｄ  Ｅｎｚｙｍｅｓ”ＷＯ００／４６３４４参照。
【０１１２】
このような突然変異法の代替方法は生物の全ゲノムを組換え、得られた子孫を特定経路機能について選択する方法である（「全ゲノムシャフリング」と呼ぶことが多い）。このアプローチは、例えばゲノム組換えと非天然アミノ酸（又はその中間体）の生産能に関する生物（例えば大腸菌又は他の細胞）の選択により本発明に適用することができる。例えば、非天然アミノ酸をｉｎ  ｖｉｖｏ生産するように細胞で既存及び／又は新規経路を進化させるための経路設計には、以下の刊行物に教示されている方法を適用することができる：Ｐａｔｎａｉｋら（２００２）“Ｇｅｎｏｍｅ  ｓｈｕｆｆｌｉｎｇ  ｏｆ  ｌａｃｔｏｂａｃｉｌｌｕｓ  ｆｏｒ  ｉｍｐｒｏｖｅｄ  ａｃｉｄ  ｔｏｌｅｒａｎｃｅ”Ｎａｔｕｒｅ  Ｂｉｏｔｅｃｈｎｏｌｏｇｙ，２０（７）：７０７−７１２；及びＺｈａｎｇら（２００２）“Ｇｅｎｏｍｅ  ｓｈｕｆｆｌｉｎｇ  ｌｅａｄｓ  ｔｏ  ｒａｐｉｄ  ｐｈｅｎｏｔｙｐｉｃ  ｉｍｐｒｏｖｅｍｅｎｔ  ｉｎ  ｂａｃｔｅｒｉａ”Ｎａｔｕｒｅ，Ｆｅｂｒｕａｒｙ  ７，４１５（６８７２）：６４４−６４６。
【０１１３】
例えば所望化合物を生産するための他の生物及び代謝経路操作技術も利用可能であり、同様に非天然アミノ酸の生産に適用することができる。有用な経路操作アプローチを教示している刊行物の例としては、Ｎａｋａｍｕｒａ  ａｎｄ  Ｗｈｉｔｅ（２００３）“Ｍｅｔａｂｏｌｉｃ  ｅｎｇｉｎｅｅｒｉｎｇ  ｆｏｒ  ｔｈｅ  ｍｉｃｒｏｂｉａｌ  ｐｒｏｄｕｃｔｉｏｎ  ｏｆ  １，３  ｐｒｏｐａｎｅｄｉｏｌ”Ｃｕｒｒ．Ｏｐｉｎ．Ｂｉｏｔｅｃｈｎｏｌ．１４（５）：４５４−９；Ｂｅｒｒｙら（２００２）“Ａｐｐｌｉｃａｔｉｏｎ  ｏｆ  Ｍｅｔａｂｏｌｉｃ  Ｅｎｇｉｎｅｅｒｉｎｇ  ｔｏ  ｉｍｐｒｏｖｅ  ｂｏｔｈ  ｔｈｅ  ｐｒｏｄｕｃｔｉｏｎ  ａｎｄ  ｕｓｅ  ｏｆ  Ｂｉｏｔｅｃｈ  Ｉｎｄｉｇｏ”Ｊ．Ｉｎｄｕｓｔｒｉａｌ  Ｍｉｃｒｏｂｉｏｌｏｇｙ  ａｎｄ  Ｂｉｏｔｅｃｈｎｏｌｏｇｙ  ２８：１２７−１３３；Ｂａｎｔａら（２００２）“Ｏｐｔｉｍｉｚｉｎｇ  ａｎ  ａｒｔｉｆｉｃｉａｌ  ｍｅｔａｂｏｌｉｃ  ｐａｔｈｗａｙ：Ｅｎｇｉｎｅｅｒｉｎｇ  ｔｈｅ  ｃｏｆａｃｔｏｒ  ｓｐｅｃｉｆｉｃｉｔｙ  ｏｆ  Ｃｏｒｙｎｅｂａｃｔｅｒｉｕｍ  ２，５−ｄｉｋｅｔｏ−Ｄ−ｇｌｕｃｏｎｉｃ  ａｃｉｄ  ｒｅｄｕｃｔａｓｅ  ｆｏｒ  ｕｓｅ  ｉｎ  ｖｉｔａｍｉｎ  Ｃ  ｂｉｏｓｙｎｔｈｅｓｉｓ”Ｂｉｏｃｈｅｍｉｓｔｒｙ，４１（２０），６２２６−３６；Ｓｅｌｉｖｏｎｏｖａら（２００１）“Ｒａｐｉｄ  Ｅｖｏｌｕｔｉｏｎ  ｏｆ  Ｎｏｖｅｌ  Ｔｒａｉｔｓ  ｉｎ  Ｍｉｃｒｏｏｒｇａｎｉｓｍｓ”Ａｐｐｌｉｅｄ  ａｎｄ  Ｅｎｖｉｒｏｎｍｅｎｔａｌ  Ｍｉｃｒｏｂｉｏｌｏｇｙ，６７：３６４５、及び他の多数の文献が挙げられる。
【０１１４】
使用する方法に関係なく、一般に本発明の人工生合成経路を使用して生産される非天然アミノ酸は効率的な蛋白質生合成に十分な濃度（例えば天然細胞量）で生産されるが、他の細胞内アミノ酸濃度を有意に変化させたり細胞資源を枯渇させる程ではない。このようにｉｎ  ｖｉｖｏ生産される典型的な濃度は約１０ｍＭ〜約０．０５ｍＭである。特定経路に所望される酵素を生産するように細胞を操作し、非天然アミノ酸を作製したら、場合によりｉｎ  ｖｉｖｏ選択を使用してリボソーム蛋白質合成と細胞増殖の両方に適合するように非天然アミノ酸の生産を更に最適化させる。
突然変異誘発及び他の分子生物学技術
【０１１５】
本発明のポリヌクレオチドとポリペプチド及び本発明で使用されるポリヌクレオチドとポリペプチドは分子生物学技術を使用して操作することができる。分子生物学技術について記載している一般教科書としてはＢｅｒｇｅｒ  ａｎｄ  Ｋｉｍｍｅｌ，Ｇｕｉｄｅ  ｔｏ  Ｍｏｌｅｃｕｌａｒ  Ｃｌｏｎｉｎｇ  Ｔｅｃｈｎｉｑｕｅｓ，Ｍｅｔｈｏｄｓ  ｉｎ  Ｅｎｚｙｍｏｌｏｇｙ  ｖｏｌｕｍｅ  １５２  Ａｃａｄｅｍｉｃ  Ｐｒｅｓｓ，Ｉｎｃ．，Ｓａｎ  Ｄｉｅｇｏ，ＣＡ；Ｓａｍｂｒｏｏｋら，Ｍｏｌｅｃｕｌａｒ  Ｃｌｏｎｉｎｇ−Ａ  Ｌａｂｏｒａｔｏｒｙ  Ｍａｎｕａｌ（第３版），Ｖｏｌ．１−３，Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ，Ｎｅｗ  Ｙｏｒｋ，２００１；及びＣｕｒｒｅｎｔ  Ｐｒｏｔｏｃｏｌｓ  ｉｎ  Ｍｏｌｅｃｕｌａｒ  Ｂｉｏｌｏｇｙ，Ｆ．Ｍ．Ａｕｓｕｂｅｌら編，Ｃｕｒｒｅｎｔ  Ｐｒｏｔｏｃｏｌｓ，ａ  ｊｏｉｎｔ  ｖｅｎｔｕｒｅ  ｂｅｔｗｅｅｎ  Ｇｒｅｅｎｅ  Ｐｕｂｌｉｓｈｉｎｇ  Ａｓｓｏｃｉａｔｅｓ，Ｉｎｃ．ａｎｄ  Ｊｏｈｎ  Ｗｉｌｅｙ  ａｎｄ  Ｓｏｎｓ，Ｉｎｃ．，（２００５年補遺）が挙げられる。これらの教科書は突然変異誘発法、ベクターの使用、プロモーター及び他の多くの関連事項について記載しており、例えば非天然アミノ酸を組込んだ蛋白質を生産するためのセレクターコドンを含む遺伝子を含む核酸の作製や、直交ｔＲＮＡ、直交シンテターゼ及びその対の作製についても記載している。
【０１１６】
例えば非天然アミノ酸をコードするセレクターコドンを該当蛋白質の核酸（例えば蛋白質を生産するために翻訳すべきＲＮＡをコードするＲＮＡ）に挿入するために、本発明では場合により各種突然変異誘発法を使用する。これらの方法としては限定されないが、部位特異的突然変異誘発、ランダム点突然変異誘発、相同組換え、ＤＮＡシャフリング又は他の帰納的突然変異誘発法、キメラ構築、ウラシル含有鋳型を使用する突然変異誘発、オリゴヌクレオチド特異的突然変異誘発、ホスホロチオエート修飾ＤＮＡ突然変異誘発、ギャップデュプレクスＤＮＡを使用する突然変異誘発等、又はその任意組み合わせが挙げられる。他の適切な方法としては点ミスマッチ修復、修復欠損宿主株を使用する突然変異誘発、制限−選択及び制限−精製、欠失突然変異誘発、完全遺伝子合成による突然変異誘発、２本鎖切断修復等が挙げられる。
【０１１７】
該当核酸（例えばＯ−ｔＲＮＡ、Ｏ−ＲＳ、又はセレクターコドンを含む該当蛋白質をコードする核酸）を例えばクローニングベクター又は発現ベクターに導入し、宿主細胞を遺伝子組換え（例えば形質転換、形質導入又はトランスフェクション）する。例えば、直交ｔＲＮＡ、直交ｔＲＮＡシンテターゼ、及び修飾すべき蛋白質のコーディング領域を所望宿主細胞で機能的な遺伝子発現制御エレメントに機能的に連結する。典型的なベクターは転写及び翻訳ターミネーターと、転写及び翻訳開始配列と、特定ターゲット核酸の発現の調節に有用なプロモーターを含む。ベクターは場合により少なくとも１個の独立ターミネーター配列と、真核生物又は原核生物又は両者（例えばシャトルベクター）でカセットの複製を可能にする配列と、原核系と真核系の両者の選択マーカーを含む包括的発現カセットを含む。ベクターは原核生物、真核生物、又は好ましくは両者での複製及び／又は組込みに適している。Ｇｉｌｉｍａｎ  ａｎｄ  Ｓｍｉｔｈ（１９７９）Ｇｅｎｅ  ８：８１；Ｒｏｂｅｒｔｓら（１９８７）Ｎａｔｕｒｅ，３２８：７３１；Ｓｃｈｎｅｉｄｅｒら（１９９５）Ｐｒｏｔｅｉｎ  Ｅｘｐｒ．Ｐｕｒｉｆ．６４３５：１０；Ａｕｓｕｂｅｌ，Ｓａｍｂｒｏｏｋ，Ｂｅｒｇｅｒ（いずれも前出）参照。ベクターは例えばプラスミド、細菌、ウイルス、裸のポリヌクレオチド又はポリヌクレオチドコンジュゲートの形態とすることができる。ベクターはエレクトロポレーション（Ｆｒｏｍら（１９８５）Ｐｒｏｃ．Ｎａｔｌ．Ａｃａｄ．Ｓｃｉ．ＵＳＡ  ８２，５８２４）、ウイルスベクターによる感染、核酸を小ビーズもしくは粒子のマトリックスに埋込むか又は表面に付着させて小粒子形態で高速射入する方法（Ｋｌｅｉｎら（１９８７）Ｎａｔｕｒｅ  ３２７，７０−７３）、及び／又は同等方法等の標準方法により細胞及び／又は微生物に導入する。
【０１１８】
クローニングに有用な細菌とバクテリオファージのカタログは例えばＡＴＣＣから入手でき、例えばＡＴＣＣから刊行されたＴｈｅ  ＡＴＣＣ  Ｃａｔａｌｏｇｕｅ  ｏｆ  Ｂａｃｔｅｒｉａ  ａｎｄ  Ｂａｃｔｅｒｉｏｐｈａｇｅ（１９９６）Ｇｈｅｒｎａら（編）が挙げられる。その他のシーケンシング、クローニング及び分子生物学の他の側面の基本手順と基礎理論事項もＳａｍｂｒｏｏｋ（前出）、Ａｕｓｕｂｅｌ（前出）、及びＷａｔｓｏｎら（１９９２）Ｒｅｃｏｍｂｉｎａｎｔ  ＤＮＡ  Ｓｅｃｏｎｄ  Ｅｄｉｔｉｏｎ，Ｓｃｉｅｎｔｉｆｉｃ  Ａｍｅｒｉｃａｎ  Ｂｏｏｋｓ（Ｎｅｗ  Ｙｏｒｋ）に記載されている。更に、Ｍｉｄｌａｎｄ  Ｃｅｒｔｉｆｉｅｄ  Ｒｅａｇｅｎｔ  Ｃｏｍｐａｎｙ（Ｍｉｄｌａｎｄ，ＴＸ；ワールドワイドウェブｍｃｒｃ．ｃｏｍで販売）、Ｔｈｅ  Ｇｒｅａｔ  Ａｍｅｒｉｃａｎ  Ｇｅｎｅ  Ｃｏｍｐａｎｙ（Ｒａｍｏｎａ，ＣＡ，ワールドワイドウェブｇｅｎｃｏ．ｃｏｍで販売）、ＥｘｐｒｅｓｓＧｅｎ  Ｉｎｃ．（Ｃｈｉｃａｇｏ，ＩＬ，ワールドワイドウェブｅｘｐｒｅｓｓｇｅｎ．ｃｏｍで販売）、Ｏｐｅｒｏｎ  Ｔｅｃｈｎｏｌｏｇｉｅｓ  Ｉｎｃ．（Ａｌａｍｅｄａ，ＣＡ）及び他の多数の企業等の各種販売会社からほぼ任意核酸（及び標準又は標準外を問わずほぼ任意標識核酸）をオーダーメード又は標準注文することができる。
【０１１９】
遺伝子組換えした宿主細胞は例えばスクリーニング段階、プロモーター活性化又は形質転換細胞選択等の操作に合うように適宜改変した慣用栄養培地で培養することができる。これらの細胞は場合によりトランスジェニック生物で培養することができる。（例えば後期核酸単離のための）例えば細胞単離及び培養に関する他の有用な文献としてはＦｒｅｓｈｎｅｙ（２０００）Ｃｕｌｔｕｒｅ  ｏｆ  Ａｎｉｍａｌ  Ｃｅｌｌｓ，ａ  Ｍａｎｕａｌ  ｏｆ  Ｂａｓｉｃ  Ｔｅｃｈｎｉｑｕｅ，第５版，Ｗｉｌｅｙ−Ｌｉｓｓ，Ｎｅｗ  Ｙｏｒｋとその引用文献；Ｈｉｇｇｉｎｓ  ａｎｄ  Ｈａｍｅｓ（編）（１９９９）Ｐｒｏｔｅｉｎ  Ｅｘｐｒｅｓｓｉｏｎ：Ａ  Ｐｒａｃｔｉｃａｌ  Ａｐｐｒｏａｃｈ，Ｐｒａｃｔｉｃａｌ  Ａｐｐｒｏａｃｈ  Ｓｅｒｉｅｓ，  Ｏｘｆｏｒｄ  Ｕｎｉｖｅｒｓｉｔｙ  Ｐｒｅｓｓ；Ｓｈｕｌｅｒら（編）（１９９４）Ｂａｃｕｌｏｖｉｒｕｓ  Ｅｘｐｒｅｓｓｉｏｎ  Ｓｙｓｔｅｍｓ  ａｎｄ  Ｂｉｏｐｅｓｔｉｃｉｄｅｓ，Ｗｉｌｅｙ−Ｌｉｓｓ；Ｐａｙｎｅら（１９９２）Ｐｌａｎｔ  Ｃｅｌｌ  ａｎｄ  Ｔｉｓｓｕｅ  Ｃｕｌｔｕｒｅ  ｉｎ  Ｌｉｑｕｉｄ  Ｓｙｓｔｅｍｓ  Ｊｏｈｎ  Ｗｉｌｅｙ  ａｎｄ  Ｓｏｎｓ，Ｉｎｃ．Ｎｅｗ  Ｙｏｒｋ，ＮＹ；Ｇａｍｂｏｒｇ  ａｎｄ  Ｐｈｉｌｌｉｐｓ（編）（１９９５）Ｐｌａｎｔ  Ｃｅｌｌ，Ｔｉｓｓｕｅ  ａｎｄ  Ｏｒｇａｎ  Ｃｕｌｔｕｒｅ；Ｆｕｎｄａｍｅｎｔａｌ  Ｍｅｔｈｏｄｓ  Ｓｐｒｉｎｇｅｒ  Ｌａｂ  Ｍａｎｕａｌ，Ｓｐｒｉｎｇｅｒ−Ｖｅｒｌａｇ（Ｂｅｒｌｉｎ  Ｈｅｉｄｅｌｂｅｒｇ  Ｎｅｗ  Ｙｏｒｋ）及びＡｔｌａｓ  ａｎｄ  Ｐａｒｋｓ（編）Ｔｈｅ  Ｈａｎｄｂｏｏｋ  ｏｆ  Ｍｉｃｒｏｂｉｏｌｏｇｉｃａｌ  Ｍｅｄｉａ（１９９３）ＣＲＣ  Ｐｒｅｓｓ，Ｂｏｃａ  Ｒａｔｏｎ，ＦＬが挙げられる。
標識蛋白質の作製方法と得られる組成物
【０１２０】
上記のように、本発明の１側面は分光標識蛋白質の作製方法を提供する。第１の一般分類の態様は蛋白質をコードする核酸を翻訳系で翻訳する方法を提供する。核酸はセレクターコドンを含む。翻訳系はセレクターコドンを認識する直交ｔＲＮＡ（Ｏ−ｔＲＮＡ）と、分光ラベルを含む非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより分光標識蛋白質を作製する。Ｏ−ｔＲＮＡ／Ｏ−ＲＳ対を含む翻訳系の例、セレクターコドンの例、及び非天然アミノ酸の例については上述した通りである。
【０１２１】
別の一般分類の態様は蛋白質をコードする核酸を翻訳系で翻訳する方法を提供する。核酸は蛋白質の特定部位に非天然アミノ酸を組込むためのセレクターコドンを含む。翻訳系はセレクターコドンを認識する直交ｔＲＮＡ（Ｏ−ｔＲＮＡ）と、非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより特定位置に非天然アミノ酸を含む翻訳蛋白質を作製する。翻訳蛋白質の非天然アミノ酸に分光ラベルを結合（例えば共有結合）することにより、分光標識蛋白質を作製する。翻訳蛋白質を分光ラベルと結合する前に場合により精製する。Ｏ−ｔＲＮＡ／Ｏ−ＲＳ対を含む翻訳系の例、セレクターコドンの例、及び非天然アミノ酸の例については上述した通りである。
【０１２２】
非天然アミノ酸は分光ラベルを結合することができるほぼ任意非天然アミノ酸とすることができる。適切な化学反応性非天然アミノ酸としては限定されないが、ケトアミノ酸、ｐ−アセチル−Ｌ−フェニルアラニン、ｍ−アセチル−Ｌ−フェニルアラニン、Ｏ−アリル−Ｌ−チロシン、Ｏ−（２−プロピニル）−Ｌ−チロシン、ｐ−エチルチオカルボニル−Ｌ−フェニルアラニン、ｐ−（３−オキソブタノイル）−Ｌ−フェニルアラニン、及び光架橋可能なアミノ酸（例えばｐ−アジド−Ｌ−フェニルアラニンやｐ−ベンゾイル−Ｌ−フェニルアラニン）が挙げられる。例えばＣｈｉｎら（２００２）ＪＡＣＳ  １２４：９０２６−７，Ｃｈｉｎら（２００２）ＰＮＡＳ  ９９：１１０２０−４、及びＷａｎｇ  ａｎｄ  Ｓｃｈｕｌｔｚ（２００４）Ａｎｇｅｗ．Ｃｈｅｍ．Ｉｎｔ．Ｅｄ．４３：２−４３、並びにその引用文献参照。
【０１２３】
分光ラベルは当分野で公知の各種技術の任意のものにより非天然アミノ酸に共有又は非共有結合することができる。一般に、分光ラベルは化学反応性非天然アミノ酸と結合するように官能化される。例えば、側鎖がカルボニル基を含むケトアミノ酸は例えば分光ラベルのヒドラジド及びヒドロキシルアミン誘導体で選択的に修飾するように付加及び脱カルボキシル反応からアルドール縮合までの多数の反応に関与することができる。例えば、特にフルオレセインヒドラジドとｐ−アセチル−Ｌ−フェニルアラニンとの反応によるフルオロフォアと非天然アミノ酸の共有結合について記載する米国特許出願第１０／５３０，４２１号（Ｓｃｈｕｌｔｚら，発明の名称「ケトアミノ酸の部位特異的蛋白質組込み（Ｓｉｔｅ  Ｓｐｅｃｉｆｉｃ  Ｉｎｃｏｒｐｏｒａｔｉｏｎ  ｏｆ  Ｋｅｔｏ  Ａｍｉｎｏ  Ａｃｉｄｓ  ｉｎｔｏ  Ｐｒｏｔｅｉｎｓ）」）参照。別例として、チオールをメタンチオスルホン酸（１−オキシル−２，２，５，５−テトラメチルピロリン−３−メチル）（例えばＲｅａｎａｌ（ブダペスト）から市販）と反応させることにより遊離チオール基をもつ非天然アミノ酸にスピンラベルを結合することができる。更に別例として、非天然アミノ酸をラベルのオキシム、ヒドラジン、ヒドラジド、アリル又はホスフィン誘導体（例えばＴＥＭＰＯのオキシム、ヒドラジン、ヒドラジド、アリル又はホスフィン誘導体）と反応させることによりスピンラベル（又は他の分光ラベル）を非天然アミノ酸に結合することができる。例えば、Ｓａｘｏｎら（２０００）“Ａ  ‘Ｔｒａｃｅｌｅｓｓ’  Ｓｔａｕｄｉｎｇｅｒ  ｌｉｇａｔｉｏｎ  ｆｏｒ  ｃｈｅｍｏｓｅｌｅｃｔｉｖｅ  ｓｙｎｔｈｅｓｉｓ  ｏｆ  ａｍｉｄｅ  ｂｏｎｄｓ”Ｏｒｇ．Ｌｅｔｔｅｒｓ，２：２１４１−３及びＫｏｈｎ  ａｎｄ  Ｂｒｅｉｎｂａｕｅｒ（２００４）“Ｔｈｅ  Ｓｔａｕｄｉｎｇｅｒ  ｌｉｇａｔｉｏｎ−Ａ  ｇｉｆｔ  ｔｏ  ｃｈｅｍｉｃａｌ  ｂｉｏｌｏｇｙ”  Ｒ．Ａｎｇｅｗ  Ｃｈｅｍ  Ｉｎｔ  Ｅｄ  Ｅｎｇｌ．４３：３１０６−１６参照。例えば、ＴＥＭＰＯ（又は別の分光ラベル）のホスフィン誘導体をｐ−アジド−Ｌ−フェニルアラニンと反応させることができ、あるいはＴＥＭＰＯ（又は別の分光ラベル）のオキシム、ヒドラジン、又はヒドラジド誘導体をｐ−アセチル−Ｌ−フェニルアラニン又はｍ−アセチル−Ｌ−フェニルアラニンと反応させることができる。同様に、４−アミノ−ＴＥＭＰＯをｐ−アセチル−Ｌ−フェニルアラニン又はｍ−アセチル−Ｌ−フェニルアラニンと反応させ、ＴＥＭＰＯスピンラベルをこれらの非天然アミノ酸のいずれかと結合することができる。多種多様なこのような官能化分光ラベルが市販されており、及び／又は当業者により容易に合成することができる。反応性市販スピンラベル化合物としては限定されないが、例えば、メタンチオスルホン酸（１−オキシル−２，２，５，５−テトラメチルピロリン−３−メチル）、４−アミノ−２，２，６，６−テトラメチルピペリジン−１−オキシル、４−イソチオシアナト−２，２，６，６−テトラメチルピペリジン−１−オキシル、３−カルバモイル−２，２，５，５−テトラメチル−３−ピロリン−１−オキシル、４−（２−ブロモアセトアミド）−２，２，６，６−テトラメチルピペリジン−１−オキシル、４−（２−ヨードアセトアミド）−２，２，６，６−テトラメチルピペリジン−１−オキシル、４−シアノ−２，２，６，６−テトラメチルピペリジン−１−オキシル、４−マレイミド−２，２，６，６−テトラメチルピペリジン−１−オキシル、４−オキソ−２，２，６，６−テトラメチルピペリジン−１−オキシル、及び４−カルボキシ−２，２，６，６−テトラメチルピペリジン−１−オキシルが挙げられる。
【０１２４】
本発明の任意方法により作製された蛋白質（例えば部位特異的に分光標識された蛋白質）も本発明の特徴である。場合により、本発明の蛋白質は翻訳後修飾を含む。賦形剤（例えば医薬的に許容可能な賦形剤）、又はより一般には（例えば１種以上の緩衝液、塩類、希釈剤等を含有する）適当な溶液も蛋白質に添加することができる。
【０１２５】
注目すべき点として、分光標識蛋白質の作製方法は分光標識非天然アミノ酸を組込んだ蛋白質を大量の有用な量で合成することができる。即ち、１側面では、分光標識非天然アミノ酸（又は複数の非天然アミノ酸）を含む蛋白質を例えば少なくとも１０μｇ、少なくとも５０μｇ、少なくとも７５μｇ、少なくとも１００μｇ、少なくとも２００μｇ、少なくとも２５０μｇ、少なくとも５００μｇ、少なくとも１ｍｇ、少なくとも１０ｍｇ、少なくとも５０ｍｇ、又は少なくとも１００ｍｇ以上含有するか、あるいはｉｎ  ｖｉｖｏ蛋白質生産方法で達成可能な量で含有する組成物を提供する（組換え蛋白質生産及び精製に関する詳細は本明細書に記載する）。別の側面では、蛋白質は場合により例えば細胞溶解液、緩衝液、医薬緩衝液、又は他の懸濁液中（例えば約１ｎＬ〜約１００Ｌの任意の容量中）に例えば少なくとも１０μｇ蛋白質／ｌ、少なくとも５０μｇ蛋白質／ｌ、少なくとも７５μｇ蛋白質／ｌ、少なくとも１００μｇ蛋白質／ｌ、少なくとも２００μｇ蛋白質／ｌ、少なくとも２５０μｇ蛋白質／ｌ、少なくとも５００μｇ蛋白質／ｌ、少なくとも１ｍｇ蛋白質／ｌ、又は少なくとも１０ｍｇ蛋白質／ｌ以上の濃度で組成物中に存在する。少なくとも１種の分光標識非天然アミノ酸を組込んだ蛋白質を細胞で大量（例えば他の方法、例えばｉｎ  ｖｉｔｒｏ翻訳で一般に可能な量よりも多量）に生産することも本発明の特徴である。
【０１２６】
本発明の１側面では、組成物は少なくとも１個、場合により少なくとも２個、少なくとも３個、少なくとも４個、少なくとも５個、少なくとも６個、少なくとも７個、少なくとも８個、少なくとも９個、又は少なくとも１０個以上の非天然アミノ酸（例えば分光標識非天然アミノ酸及び／又は他の非天然アミノ酸）を組込んだ少なくとも１種の蛋白質を含有する。非天然アミノ酸は同一でも異なっていてもよく、例えば１、２、３、４、５、６、７、８、９、又は１０種以上の異なる非天然アミノ酸を含む１、２、３、４、５、６、７、８、９、又は１０個以上の異なる部位が蛋白質に存在することができる。別の側面では、組成物は蛋白質に存在する特定アミノ酸の全部よりは少ないが少なくとも１個が分光標識非天然アミノ酸で置換された蛋白質を含有する。２個以上の非天然アミノ酸を組込んだ所与蛋白質では、非天然アミノ酸は同一でも異なっていてもよい（例えば蛋白質は２個以上の異なる型の非天然アミノ酸を組込んでもよいし、２個の同一非天然アミノ酸を組込んでもよい）。３個以上の非天然アミノ酸を組込んだ所与蛋白質では、非天然アミノ酸は同一でも異なっていてもよいし、同一種の複数の非天然アミノ酸と少なくとも１個の別の非天然アミノ酸の組み合わせでもよい。
【０１２７】
本明細書に記載する組成物と方法を使用し、非天然アミノ酸を組込むか又は複数の異なる非天然アミノ酸をコードするほぼ任意蛋白質（又はその部分）（及び例えば１個以上のセレクターコドンを含む対応する任意コーディング核酸）を作製することができる。例えば該当翻訳系に１個以上の適当なセレクターコドンを含むように入手可能な任意突然変異法を調整することにより１種以上の非天然アミノ酸を組込むように改変することができる数十万種の公知蛋白質を列挙するには及ばない。公知蛋白質の一般的な配列寄託機関としてはＧｅｎＢａｎｋ、ＥＭＢＬ、ＤＤＢＪ及びＮＣＢＩが挙げられる。他の寄託機関もインターネットを検索することにより容易に確認できる。
【０１２８】
一般に、蛋白質は入手可能な任意蛋白質（例えば治療用蛋白質、診断用蛋白質、産業用酵素、又はそのドメインもしくは他の部分等）と例えば少なくとも６０％、少なくとも７０％、少なくとも７５％、少なくとも８０％、少なくとも９０％、少なくとも９５％、又は少なくとも９９％以上一致しており、１個以上の非天然アミノ酸を含む。分光標識非天然アミノ酸を組込むように、該当構造をもつほぼ任意蛋白質を改変することができる。１個以上の分光標識非天然アミノ酸を組込むように改変することができる治療用、診断用、及び他の蛋白質の例としては限定されないが、国際出願第ＰＣＴ／ＵＳ２００４／０１１７８６号、出願日２００４年４月１６日、発明の名称「真核遺伝コードの拡張（Ｅｘｐａｎｄｉｎｇ  ｔｈｅ  Ｅｕｋａｒｙｏｔｉｃ  Ｇｅｎｅｔｉｃ  Ｃｏｄｅ）」、及びＷＯ２００２／０８５９２３、発明の名称「非天然アミノ酸のインビボ組込み（Ｉｎ  ｖｉｖｏ  ｉｎｃｏｒｐｏｒａｔｉｏｎ  ｏｆ  ｕｎｎａｔｕｒａｌ  ａｍｉｎｏ  ａｃｉｄｓ）」に記載されているものが挙げられる。１個以上の分光標識非天然アミノ酸を組込むように改変することができる治療用、診断用、及び他の蛋白質の例としては限定されないが、例えばα１アンチトリプシン、アンジオスタチン、抗血友病因子、抗体（抗体の詳細については後述する）、アポリポ蛋白質、アポ蛋白質、心房性ナトリウム利尿因子、心房性ナトリウム利尿ポリペプチド、心房性ペプチド、Ｃ−Ｘ−Ｃケモカイン（例えばＴ３９７６５、ＮＡＰ−２、ＥＮＡ−７８、Ｇｒｏ−ａ、Ｇｒｏ−ｂ、Ｇｒｏ−ｃ、ＩＰ−１０、ＧＣＰ−２、ＮＡＰ−４、ＳＤＦ−１、ＰＦ−４、ＭＩＧ）、カルシトニン、ＣＣケモカイン（例えば単球化学誘引蛋白質−１、単球化学誘引蛋白質−２、単球化学誘引蛋白質−３、単球炎症性蛋白質−１α、単球炎症性蛋白質−１β、ＲＡＮＴＥＳ、Ｉ３０９、Ｒ８３９１５、Ｒ９１７３３、ＨＣＣ１、Ｔ５８８４７、Ｄ３１０６５、Ｔ６４２６２）、ＣＤ４０リガンド、Ｃキットリガンド、コラーゲン、コロニー刺激因子（ＣＳＦ）、補体因子５ａ、補体阻害剤、補体受容体１、サイトカイン（例えば上皮好中球活性化ペプチド−７８、ＧＲＯα／ＭＧＳＡ、ＧＲＯβ、ＧＲＯγ、ＭＩＰ−１α、ＭＩＰ−１δ、ＭＣＰ−１）、表皮増殖因子（ＥＧＦ）、エリスロポエチン（「ＥＰＯ」）、表皮剥離毒素Ａ及びＢ、ＩＸ因子、ＶＩＩ因子、ＶＩＩＩ因子、Ｘ因子、繊維芽細胞増殖因子（ＦＧＦ）、フィブリノーゲン、フィブロネクチン、Ｇ−ＣＳＦ、ＧＭ−ＣＳＦ、グルコセレブロシダーゼ、ゴナドトロピン、増殖因子、ヘッジホッグ蛋白質（例えばソニック、インディアン、デザート）、ヘモグロビン、肝細胞増殖因子（ＨＧＦ）、ヒルジン、ヒト血清アルブミン、インスリン、インスリン様増殖因子（ＩＧＦ）、インターフェロン（例えばＩＦＮ−α、ＩＦＮ−β、ＩＦＮ−γ）、インターロイキン（例えばＩＬ−１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２等）、ケラチノサイト増殖因子（ＫＧＦ）、ラクトフェリン、白血病阻害因子、ルシフェラーゼ、ニュールチュリン、好中球阻害因子（ＮＩＦ）、オンコスタチンＭ、骨形成蛋白質、副甲状腺ホルモン、ＰＤ−ＥＣＳＦ、ＰＤＧＦ、ペプチドホルモン（例えばヒト成長ホルモン）、プレイオトロピン、プロテインＡ、プロテインＧ、発熱外毒素Ａ、Ｂ及びＣ、リラキシン、レニン、ＳＣＦ、可溶性補体受容体Ｉ、可溶性Ｉ−ＣＡＭ１、可溶性インターロイキン受容体（ＩＬ−１、２、３、４、５、６、７、９、１０、１１、１２、１３、１４、１５）、可溶性ＴＮＦ受容体、ソマトメジン、ソマトスタチン、ソマトトロピン、ストレプトキナーゼ、スーパー抗原即ちブドウ球菌エンテロトキシン（ＳＥＡ、ＳＥＢ、ＳＥＣ１、ＳＥＣ２、ＳＥＣ３、ＳＥＤ、ＳＥＥ）、スーパーオキシドジスムターゼ（ＳＯＤ）、毒素性ショック症候群毒素（ＴＳＳＴ−１）、チモシンα１、組織プラスミノーゲンアクチベーター、腫瘍壊死因子β（ＴＮＦβ）、腫瘍壊死因子受容体（ＴＮＦＲ）、腫瘍壊死因子α（ＴＮＦα）、血管内皮増殖因子（ＶＥＧＥＦ）、ウロキナーゼ及び他の多数の蛋白質が挙げられる。
【０１２９】
本明細書に記載する分光標識非天然アミノ酸のｉｎ  ｖｉｖｏ組込み用組成物及び方法を使用して作製することができる１分類の蛋白質としては転写モジュレーター又はその部分が挙げられる。転写モジュレーターの例としては細胞増殖、分化、制御等を調節する遺伝子及び転写モジュレーター蛋白質が挙げられる。転写モジュレーターは原核生物、ウイルス及び真核生物（例えば真菌、植物、酵母、昆虫、及び哺乳動物を含む動物）に存在し、広範な治療ターゲットを提供する。当然のことながら、発現及び転写アクチベーターは例えば受容体との結合、シグナル伝達カスケードの刺激、転写因子の発現調節、プロモーターやエンハンサーとの結合、プロモーターやエンハンサーと結合する蛋白質との結合、ＤＮＡ巻き戻し、プレｍＲＮＡスプライシング、ＲＮＡポリアデニル化及びＲＮＡ分解等の多数のメカニズムにより転写を調節する。
【０１３０】
別の分類の本発明の蛋白質（例えば１個以上の分光標識非天然アミノ酸を組込んだ蛋白質）としては発現アクチベーター（例えばサイトカイン、炎症性分子、増殖因子、その受容体、及び腫瘍遺伝子産物、例えばインターロイキン（例えばＩＬ−１、ＩＬ−２、ＩＬ−８等）、インターフェロン、ＦＧＦ、ＩＧＦ−Ｉ、ＩＧＦ−ＩＩ、ＦＧＦ、ＰＤＧＦ、ＴＮＦ、ＴＧＦ−α、ＴＧＦ−β、ＥＧＦ、ＫＧＦ、ＳＣＦ／ｃ−キット、ＣＤ４０Ｌ／ＣＤ４０、ＶＬＡ−４／ＶＣＡＭ−１、ＩＣＡＭ−１／ＬＦＡ−１及びヒアルリン／ＣＤ４４）；シグナル伝達分子及び対応する腫瘍遺伝子産物（例えばＭｏｓ、Ｒａｓ、Ｒａｆ及びＭｅｔ）；並びに転写アクチベーター及びサプレッサー（例えばｐ５３、Ｔａｔ、Ｆｏｓ、Ｍｙｃ、Ｊｕｎ、Ｍｙｂ、Ｒｅｌ、及びステロイドホルモン受容体（例えばエストロゲン、プロゲステロン、テストステロン、アルドステロン、ＬＤＬ受容体リガンド及びコルチコステロン））が挙げられる。
【０１３１】
少なくとも１個の分光標識非天然アミノ酸を組込んだ酵素（例えば産業用酵素）又はその部分も本発明により提供される。酵素の例としては限定されないが、例えばアミダーゼ、アミノ酸ラセマーゼ、アシラーゼ、デハロゲナーゼ、ジオキシゲナーゼ、ジアリールプロパンペルオキシダーゼ、エピメラーゼ、エポキシドヒドロラーゼ、エステラーゼ、イソメラーゼ、キナーゼ、グルコースイソメラーゼ、グリコシダーゼ、グリコシルトランスフェラーゼ、ハロペルオキシダーゼ、モノオキシゲナーゼ（例えばｐ４５０類）、リパーゼ、リグニンペルオキシダーゼ、ニトリルヒドラターゼ、ニトリラーゼ、プロテアーゼ、ホスファターゼ、スブチリシン、トランスアミナーゼ及びヌクレアーゼが挙げられる。
【０１３２】
これらの蛋白質の多くは市販されており（例えばＳｉｇｍａ  ＢｉｏＳｃｉｅｎｃｅｓ  ２００３カタログ及び価格表参照）、対応する蛋白質配列と遺伝子及び、一般に多くのその変異体も周知である（例えばＧｅｎｂａｎｋ参照）。例えば蛋白質の構造及び／又は特性の決定を助長するために、本発明に従って１個以上の分光標識非天然アミノ酸又は他の非天然アミノ酸を挿入することによりこれらの蛋白質の任意のものを改変することができる。
【０１３３】
他の各種蛋白質も本発明の１個以上の分光標識非天然アミノ酸を組込むように改変することができる。例えば、本発明は例えば感染性真菌（例えばＡｓｐｅｒｇｉｌｌｕｓ、Ｃａｎｄｉｄａ種）；細菌、特に病原細菌モデルとして利用できる大腸菌や医学的に重要な細菌（例えばＳｔａｐｈｙｌｏｃｏｃｃｉ（例えばａｕｒｅｕｓ）又はＳｔｒｅｐｔｏｃｏｃｃｉ（例えばｐｎｅｕｍｏｎｉａｅ））；原生動物（例えば胞子虫類（例えばＰｌａｓｍｏｄｉａ）、根足虫類（例えばＥｎｔａｍｏｅｂａ）及び鞭毛虫類（Ｔｒｙｐａｎｏｓｏｍａ、Ｌｅｉｓｈｍａｎｉａ、Ｔｒｉｃｈｏｍｏｎａｓ、Ｇｉａｒｄｉａ等））；ウイルス（例えば（＋）ＲＮＡウイルス（例えばポックスウイルス（例えばワクシニア）、ピコルナウイルス（例えばポリオ）、トガウイルス（例えば風疹）、フラビウイルス（例えばＨＣＶ）、及びコロナウイルス）、（−）ＲＮＡウイルス（例えばラブドウイルス（例えばＶＳＶ）、パラミクソウイルス（例えばＲＳＶ）、オルトミクソウイルス（例えばインフルエンザ）、ブンヤウイルス及びアレナウイルス）、ｄｓＤＮＡウイルス（例えばレオウイルス）、ＲＮＡ→ＤＮＡウイルス（即ちレトロウイルス、例えばＨＩＶ及びＨＴＬＶ）、及び所定のＤＮＡ→ＲＮＡウイルス（例えばＢ型肝炎））に由来する蛋白質において、１種以上のワクチン蛋白質中の１個以上の天然アミノ酸を分光標識非天然アミノ酸で置換することができる。
【０１３４】
昆虫耐性蛋白質（例えばＣｒｙ蛋白質）、澱粉及び脂質産生酵素、植物及び昆虫毒素、毒素耐性蛋白質、マイコトキシン解毒蛋白質、植物成長酵素（例えばリブロース１，５−ビスリン酸カルボキシラーゼ／オキシゲナーゼ、「ＲＵＢＩＳＣＯ」）、リポキシゲナーゼ（ＬＯＸ）及びホスホエノールピルビン酸（ＰＥＰ）カルボキシラーゼ等の農業関連蛋白質も分光標識非天然アミノ酸又は他の非天然アミノ酸修飾の適切なターゲットである。
【０１３５】
所定態様では、本発明の方法及び／又は組成物における該当蛋白質（又はその部分）は核酸によりコードされる。一般に、核酸は少なくとも１個のセレクターコドン、少なくとも２個のセレクターコドン、少なくとも３個のセレクターコドン、少なくとも４個のセレクターコドン、少なくとも５個のセレクターコドン、少なくとも６個のセレクターコドン、少なくとも７個のセレクターコドン、少なくとも８個のセレクターコドン、少なくとも９個のセレクターコドン、又は１０個以上のセレクターコドンを含む。
【０１３６】
該当蛋白質をコードする核酸（例えば遺伝子）は例えば分光標識非天然アミノ酸を組込むための１個以上のセレクターコドンを付加するように本明細書の「突然変異誘発及び他の分子生物学技術」のセクションに記載する当業者に周知の方法を使用して突然変異誘発することができる。例えば、１個以上のセレクターコドンを付加するように該当蛋白質の核酸を突然変異誘発し、１個以上の分光標識非天然アミノ酸を挿入できるようにする。本発明は例えば少なくとも１個の分光標識非天然アミノ酸を組込んだ任意蛋白質のこのような任意変異体（例えば突然変異体、変形）を含む。同様に、本発明は対応する核酸、即ち１個以上の分光標識非天然アミノ酸をコードする１個以上のセレクターコドンをもつ任意核酸も含む。
【０１３７】
分光標識非天然アミノ酸を組込んだ蛋白質を作製するためには、直交ｔＲＮＡ／ＲＳ対による分光標識非天然アミノ酸のｉｎ  ｖｉｖｏ組込みに適した宿主細胞及び生物を使用することができる。直交ｔＲＮＡ、直交ｔＲＮＡシンテターゼ、及び修飾すべき蛋白質をコードするベクターを発現する１個以上のベクターで宿主細胞を遺伝子組換え（例えば形質転換、形質導入又はトランスフェクション）する。これらの成分の各々を同一ベクターに配置してもよいし、各々別々のベクターに配置してもよいし、２成分を第１のベクターに配置し、第３の成分を第２のベクターに配置してもよい。ベクターは例えばプラスミド、細菌、ウイルス、裸のポリヌクレオチド又はポリヌクレオチドコンジュゲートの形態とすることができる。
蛋白質分光法
【０１３８】
上記のように、分光標識非天然アミノ酸の効率的な部位特異的蛋白質組込み又は非天然アミノ酸の効率的な部位特異的蛋白質組込み後に分光ラベルを結合すると、分光技術による蛋白質試験が助長され、このような分光技術としては限定されないが、ＮＭＲ分光法、ＥＰＲ分光法、Ｘ線分光法、紫外線分析法、質量分析法、蛍光分光法、及び振動（例えば赤外又はラマン）分光法が挙げられる。
分光標識蛋白質の使用方法
【０１３９】
上記のように、第１の一般分類の態様は蛋白質をコードする核酸を翻訳系で翻訳する分光標識蛋白質の作製方法を提供する。核酸はセレクターコドンを含む。翻訳系はセレクターコドンを認識する直交ｔＲＮＡ（Ｏ−ｔＲＮＡ）と、分光ラベルを含む非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより分光標識蛋白質を作製する。
【０１４０】
本分類の態様では、前記方法は場合により限定されないが、ＮＭＲ分光法、ＥＰＲ分光法、紫外線分析法、（例えば放射線検出用）Ｘ線分光法、質量分析法、蛍光分光法、又は振動（例えば赤外又はラマン）分光法等の分光技術に分光標識蛋白質を付す段階を含む。単に１例として、１態様において、分光標識蛋白質は１５Ｎ同位体を含み、分光技術は溶媒露出アミン横緩和最適化分光法（ＳＥＡ−ＴＲＯＳＹ）実験を含む。別の特定例として、分光標識蛋白質は１９Ｆ同位体を含み、分光技術は（例えばコンホメーション変化、リガンド結合等を試験するために）一次元非プロトンＮＭＲ実験を含むことができる。他の多数の分光技術（例えばＮＯＥＳＹ、ＨＳＱＣ、ＨＳＱＣ−ＮＯＥＳＹ、ＴＲＯＳＹ、ＳＥＡ−ＴＲＯＳＹ、及びＴＲＯＳＹ−ＨＳＱＣ等のＮＭＲ技術）も当分野で周知であり、本発明の方法に応用することができ、下記「分光技術」のセクションには多数のこのような技術を記載する。
【０１４１】
別の一般分類の態様は非天然アミノ酸を蛋白質に組込んだ後に分光ラベルを非天然アミノ酸に結合する分光標識蛋白質の作製方法を提供する。本方法では、前記蛋白質をコードする核酸を翻訳系で翻訳する。核酸は蛋白質の特定部位に非天然アミノ酸を組込むためのセレクターコドンを含む。翻訳系はセレクターコドンを認識する直交ｔＲＮＡ（Ｏ−ｔＲＮＡ）と、非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。非天然アミノ酸は翻訳されるにつれて蛋白質に組込まれ、それにより特定位置に非天然アミノ酸を含む翻訳蛋白質を作製する。翻訳蛋白質の非天然アミノ酸に分光ラベルを結合（例えば共有結合）することにより、分光標識蛋白質を作製する。
【０１４２】
本分類の態様では、前記方法は場合により限定されないが、ＮＭＲ分光法、ＥＰＲ分光法、紫外線分析法、（例えば放射線検出用）Ｘ線分光法、質量分析法、蛍光分光法、又は振動（例えば赤外又はラマン）分光法等の分光技術に分光標識蛋白質を付す段階を含む。単に１例として、１態様において、分光技術はＮＭＲ分光法であり、分光ラベルはキレート剤と、キレート剤と結合した常磁性金属を含む。分光技術がＮＭＲ分光法である別の特定例では、分光ラベルはスピンラベルを含む。スピン標識蛋白質のＮＭＲ分析を実施する場合には、場合により分光標識蛋白質にＮＭＲ実験を実施し、第１組のデータを収集した後に、（例えばアスコルビン酸等の還元剤を加えることにより）分光標識蛋白質を還元し、分光標識蛋白質の還元形を提供し、分光標識蛋白質の還元形にＮＭＲ実験を実施し、第２組のデータを収集し、参照スペクトルを提供する。他の多数の分光技術（例えばＮＭＲ技術）も当分野で周知であり、本発明の方法に応用することができ、下記「分光技術」のセクションには多数のこのような技術を記載する。
【０１４３】
いずれの一般分類の態様でも、場合により分光標識蛋白質にｉｎ  ｖｉｖｏ（例えば無傷の細胞、無傷の組織等）で分光技術を実施する。あるいは、分光標識蛋白質にｉｎ  ｖｉｔｒｏ（例えば細胞抽出液中、精製又は部分精製蛋白質等）で分光技術を実施することもできる。
【０１４４】
いずれの一般分類の態様でも、分光技術は例えば蛋白質の構造、機能、存在度、及び／又はダイナミクス（例えば二次元構造、三次元構造、コンホメーション変化、リガンド結合、触媒機序、蛋白質フォールディング、蛋白質濃度、及び／又は同等事項）に関する情報を得るために使用することができる。例えば、１分類の態様では、本方法は分光標識蛋白質を分光技術に付す段階と、分光標識蛋白質の構造又はダイナミクスの１個以上の変化に関する情報を生成する段階を含む。所定態様では、本方法は分光標識蛋白質とリガンド又は基質の間の相互作用を分析する段階を含む。相互作用は例えば分光標識蛋白質のコンホメーション変化、分光ラベルの近傍の特定部位とリガンドの結合、及び／又は分光標識蛋白質により実施される触媒反応を含むことができる。
同位体標識蛋白質を使用するＮＭＲ共鳴帰属方法
【０１４５】
該当蛋白質の特定アミノ酸に共鳴を帰属させることはＮＭＲ試験の重要な段階である。一般に、共鳴（ＮＭＲスペクトルの個々のシグナル）は特定原子（例えば特定アミノ酸のα炭素）又は区別できない原子群（例えばメチル基の３個のプロトン）に帰属する。
【０１４６】
例えばＮＭＲ活性同位体を含む非天然アミノ酸を使用する蛋白質の部位特異的同位体標識は帰属させる共鳴が多数であるか、少数であるか、単独であるかに関係なく、共鳴帰属方法を著しく簡単にすることができる。例えば、蛋白質の三次元構造のＮＭＲ試験では、例えば他の技術により帰属させにくい共鳴でも、蛋白質の同位体標識により該当共鳴をその対応するアミノ酸に帰属し易くすることができる。別の例として、単一残基（又は少数の残基）のみを活性部位、リガンド結合部位、蛋白質−蛋白質界面等又はその近傍に帰属させることが望ましい場合があるが、このような場合に、該当残基の同位体標識により非常に大きな蛋白質でも詳細なＮＭＲ分析を助長することができる。
【０１４７】
従って、第１の一般分類の態様はＮＭＲ共鳴を該当蛋白質の１個以上のアミノ酸残基に帰属させる方法を提供する。本方法では、ＮＭＲ活性同位体を含む非天然アミノ酸を提供し、翻訳系に組込み、該当同位体標識蛋白質を作製する。翻訳系は該当蛋白質をコードし、蛋白質の特定部位（例えば蛋白質のアミノ酸配列の選択位置）に非天然アミノ酸を組込むための少なくとも１個のセレクターコドンを含む核酸と、セレクターコドンを認識する直交ｔＲＮＡ（Ｏ−ｔＲＮＡ）と、Ｏ−ｔＲＮＡを非天然アミノ酸で優先的にアミノアシル化する直交アミノアシルｔＲＮＡシンテターゼ（Ｏ−ＲＳ）を含む。同位体標識蛋白質にＮＭＲ実験を実施し、非天然アミノ酸のＮＭＲ活性同位体と近接原子の相互作用により生成されたデータを分析することにより、１個以上のＮＭＲ共鳴を蛋白質の１個以上のアミノ酸残基に帰属させる。
【０１４８】
Ｏ−ｔＲＮＡ／Ｏ−ＲＳ対を含む翻訳系の例、セレクターコドンの例、及び非天然アミノ酸の例については上述した通りである。非天然アミノ酸上のＮＭＲ活性同位体は適切なほぼ任意同位体とすることができ、例えば２Ｈ、１３Ｃ、１５Ｎ、３Ｈ、７Ｌｉ、１３Ｂ、１４Ｎ、１７Ｏ、１９Ｆ、２３Ｎａ、２７Ａｌ、２９Ｓｉ、３１Ｐ、３５Ｃｌ、３７Ｃｌ、３９Ｋ、５９Ｃｏ、７７Ｓｅ、８１Ｂｒ、１１３Ｃｄ、１１９Ｓｎ、及び１９５Ｐｔが挙げられる。
【０１４９】
各種ＮＭＲ技術が当分野で周知であり、本発明の方法に適用することができる。例えば、ＮＭＲ実験はＨＳＱＣ実験、ＴＲＯＳＹ実験、ＳＥＡ−ＴＲＯＳＹ実験、ＴＲＯＳＹ−ＨＳＱＣ実験、ＮＯＥＳＹ実験、ＨＳＱＣ−ＮＯＥＳＹ実験、又は当分野で公知及び／又は下記「分光技術」のセクションに記載する他の適切な実験の任意のものとすることができる。
【０１５０】
同位体標識非天然アミノ酸を組込む特定部位は該当するほぼ任意部位とすることができる。例えば、非天然アミノ酸の特定部位は蛋白質の活性部位又はリガンド結合部位を含むことができ、あるいは蛋白質の活性部位又はリガンド結合部位の近接部位を含むことができる。
【０１５１】
ＮＭＲ実験はｉｎ  ｖｉｖｏでもｉｎ  ｖｉｔｒｏでも実施することができる。従って、例えば、同位体標識蛋白質でｉｎ  ｖｉｖｏで、同位体標識蛋白質を含む細胞抽出液、又は精製もしくは実質的に精製した同位体標識蛋白質でデータを収集することができる。
【０１５２】
関連一般分類の態様は更に共鳴帰属方法を提供する。該当蛋白質の特定位置を占有するアミノ酸残基にＮＭＲ共鳴を帰属させるこれらの方法では、本方法は蛋白質を含む第１のサンプルを提供する段階を含む。この第１のサンプルにおいて、蛋白質はＮＭＲ活性同位体を含むアミノ酸残基を特定位置に含む。第１のサンプルにＮＭＲ実験を実施し、第１組のデータを収集する。ＮＭＲ活性同位体をもたない非天然アミノ酸を特定位置に含む蛋白質を含む第２のサンプルを提供する。第２のサンプルにＮＭＲ実験を実施し、第２組のデータを収集する。第１組のデータと第２組のデータを比較することにより、第１組に存在し且つ第２組に存在しない共鳴を特定位置のアミノ酸残基に帰属させる。
【０１５３】
１好適分類の態様では、蛋白質をコードする核酸を翻訳系で翻訳することにより第２のサンプルを提供する。核酸は蛋白質の特定部位に非天然アミノ酸を組込むためのセレクターコドンを含む。翻訳系はセレクターコドンを認識する直交ｔＲＮＡ（Ｏ−ｔＲＮＡ）と、ＮＭＲ活性ラベルをもたない非天然アミノ酸と、Ｏ−ｔＲＮＡを非天然アミノ酸で優先的にアミノアシル化する直交アミノアシルｔＲＮＡシンテターゼ（Ｏ−ＲＳ）を含む。ＮＭＲ活性同位体は例えば１Ｈ、１５Ｎ、１３Ｃ、又は１９Ｆとすることができる。
【０１５４】
これらの方法は例えば蛋白質の三次元構造の決定中に例えば共鳴帰属の曖昧さを解決するために有用であると思われる。例えば、完全に１５Ｎ及び／又は１３Ｃで標識した蛋白質について共鳴を帰属させる場合には、他の手段で完全に標識した蛋白質に未標識非天然アミノ酸を組込むことができ、この残基からのシグナルの消滅により、共鳴を帰属させることができる。例えば、非天然アミノ酸の組込みが蛋白質の構造を撹乱しないと仮定すると、特定チロシン残基を１５Ｎで標識しないＯ−メチルチロシンで置換するならば、このチロシン残基の１５Ｎシグナルを帰属させることができる。本方法は１Ｈスペクトル、部分的に１５Ｎ及び／又は１３Ｃで標識した蛋白質、及び／又は同等物にも適用することができる。
【０１５５】
例えばＮＭＲ活性同位体、翻訳系の組成、ＮＭＲ技術等に関する上記特徴のほぼ全部が本態様にも適用される。上記態様については、非天然アミノ酸が組込まれる特定部位は蛋白質のほぼ任意該当部位とすることができる。
分光技術
【０１５６】
各種分光技術が当分野で公知であり、本発明の方法に応用することができる。例えば蛋白質ＮＭＲ分光法は例えばＣａｖａｎａｇｈら（１９９５）Ｐｒｏｔｅｉｎ  ＮＭＲ  Ｓｐｅｃｔｒｏｓｃｏｐｙ：Ｐｒｉｎｃｉｐｌｅｓ  ａｎｄ  Ｐｒａｃｔｉｃｅ，Ａｃａｄｅｍｉｃ  Ｐｒｅｓｓ；Ｌｅｖｉｔｔ（２００１）Ｓｐｉｎ  Ｄｙｎａｍｉｃｓ：Ｂａｓｉｃｓ  ｏｆ  Ｎｕｃｌｅａｒ  Ｍａｇｎｅｔｉｃ  Ｒｅｓｏｎａｎｃｅ，Ｊｏｈｎ  Ｗｉｌｅｙ  ＆  Ｓｏｎｓ；Ｅｖａｎｓ（１９９５）Ｂｉｏｍｏｌｅｃｕｌａｒ  ＮＭＲ  Ｓｐｅｃｔｒｏｓｃｏｐｙ，Ｏｘｆｏｒｄ  Ｕｎｉｖｅｒｓｉｔｙ  Ｐｒｅｓｓ；Ｗｕｔｈｒｉｃｈ（１９８６）ＮＭＲ  ｏｆ  Ｐｒｏｔｅｉｎｓ  ａｎｄ  Ｎｕｃｌｅｉｃ  Ａｃｉｄｓ（Ｂａｋｅｒ  Ｌｅｃｔｕｒｅ  Ｓｅｒｉｅｓ），Ｋｕｒｔ  Ｗｉｌｅｙ−Ｉｎｔｅｒｓｃｉｅｎｃｅ；Ｎｅｕｈａｕｓ  ａｎｄ  Ｗｉｌｌｉａｍｓｏｎ（２０００）Ｔｈｅ  Ｎｕｃｌｅａｒ  Ｏｖｅｒｈａｕｓｅｒ  Ｅｆｆｅｃｔ  ｉｎ  Ｓｔｒｕｃｔｕｒａｌ  ａｎｄ  Ｃｏｎｆｏｒｍａｔｉｏｎａｌ  Ａｎａｌｙｓｉｓ，２ｎｄ  Ｅｄｉｔｉｏｎ，Ｗｉｌｅｙ−ＶＣＨ；Ｍａｃｏｍｂｅｒ（１９９８）Ａ  Ｃｏｍｐｌｅｔｅ  Ｉｎｔｒｏｄｕｃｔｉｏｎ  ｔｏ  Ｍｏｄｅｒｎ  ＮＭＲ  Ｓｐｅｃｔｒｏｓｃｏｐｙ，Ｗｉｌｅｙ−Ｉｎｔｅｒｓｃｉｅｎｃｅ；Ｄｏｗｎｉｎｇ（２００４）Ｐｒｏｔｅｉｎ  ＮＭＲ  Ｔｅｃｈｎｉｑｕｅｓ（Ｍｅｔｈｏｄｓ  ｉｎ  Ｍｏｌｅｃｕｌａｒ  Ｂｉｏｌｏｇｙ），２ｎｄ  ｅｄｉｔｉｏｎ，Ｈｕｍａｎａ  Ｐｒｅｓｓ；Ｃｌｏｒｅ  ａｎｄ  Ｇｒｏｎｅｎｂｏｒｎ（１９９４）ＮＭＲ  ｏｆ  Ｐｒｏｔｅｉｎｓ（Ｔｏｐｉｃｓ  ｉｎ  Ｍｏｌｅｃｕｌａｒ  ａｎｄ  Ｓｔｒｕｃｔｕｒａｌ  Ｂｉｏｌｏｇｙ），ＣＲＣ  Ｐｒｅｓｓ；Ｒｅｉｄ（１９９７）Ｐｒｏｔｅｉｎ  ＭＭＲ，Ｔｅｃｈｎｉｑｕｅｓ，Ｈｕｍａｎａ  Ｐｒｅｓｓ；Ｋｒｉｓｈｎａ  ａｎｄ  Ｂｅｒｌｉｎｅｒ（２００３）Ｐｒｏｔｅｉｎ  ＮＭＲ  ｆｏｒ  ｔｈｅ  Ｍｉｌｌｅｎｉｕｍ（Ｂｉｏｌｏｇｉｃａｌ  Ｍａｇｎｅｔｉｃ  Ｒｅｓｏｎａｎｃｅ），Ｋｌｕｗｅｒ  Ａｃａｄｅｍｉｃ  Ｐｕｂｌｉｓｈｅｒｓ；Ｋｉｉｈｎｅ  ａｎｄ  Ｄｅ  Ｇｒｏｏｔ（２００１）Ｐｅｒｓｐｅｃｔｉｖｅｓ  ｏｎ  Ｓｏｌｉｄ  Ｓｔａｔｅ  ＮＭＲ  ｉｎ  Ｂｉｏｌｏｇｙ（Ｆｏｃｕｓ  ｏｎ  Ｓｔｒｕｃｔｕｒａｌ  Ｂｉｏｌｏｇｙ，１），Ｋｌｕｗｅｒ  Ａｃａｄｅｍｉｃ  Ｐｕｂｌｉｓｈｅｒｓ；及びＪｏｎｅｓら（１９９３）Ｓｐｅｃｔｒｏｓｃｏｐｉｃ  Ｍｅｔｈｏｄｓ  ａｎｄ  Ａｎａｌｙｓｅｓ：ＮＭＲ，Ｍａｓｓ  Ｓｐｅｃｔｒｏｍｅｔｒｙ，ａｎｄ  Ｒｅｌａｔｅｄ  Ｔｅｃｈｎｉｑｕｅｓ（Ｍｅｔｈｏｄｓ  ｉｎ  Ｍｏｌｅｃｕｌａｒ  Ｂｉｏｌｏｇｙ，Ｖｏｌ．１７），Ｈｕｍａｎａ  Ｐｒｅｓｓに記載されている。
【０１５７】
溶液及び固体ＮＭＲ技術の両者を含む各種一次元（１Ｄ）及び多次元（例えば２Ｄ、３Ｄ及び４Ｄ）ＮＭＲ分光技術が記載されている。このような技術としては例えば特に、１Ｄ異種核相関実験、１Ｄ異種核フィルター実験、ＣＯＳＹ、ＮＯＥＳＹ、ＨＳＱＣ（１Ｈ−１５Ｎ異種核一量子相関分光法）、ＨＳＱＣ−ＮＯＥＳＹ、ＨＥＴＣＯＲ、ＴＲＯＳＹ（横緩和最適化分光法）、ＳＥＡ−ＴＲＯＳＹ（溶媒露出アミン横緩和最適化分光法）、ＴＲＯＳＹ−ＨＳＱＣ、ＣＲＩＮＥＰＴ−ＴＲＯＳＹ、ＣＲＩＰＴ−ＴＲＯＳＹ、ＰＩＳＥＭＡ（マジックアングルスピン交換による分極反転）、ＭＡＳ（マジックアングルスピニング）、及びＭＡＯＳＳ（マジックアングルシングルスピニング）が挙げられる。例えば、上記ＮＭＲ文献に加え、Ｗｉｄｅｒ（２０００）ＢｉｏＴｅｃｈｎｉｑｕｅｓ  ２９：１２７８−１２９４；Ｐｅｌｌｅｃｃｈｉａら（２００２）Ｎａｔｕｒｅ  Ｒｅｖ．Ｄｒｕｇ  Ｄｉｓｃｏｖ．（２００２）１：２１１−２  １９；Ａｒｏｒａ  ａｎｄ  Ｔａｍｍ（２００１）Ｃｕｒｒ．Ｏｐｉｎ．Ｓｔｒｕｃｔ．Ｂｉｏｌ．１１：５４０−５４７；Ｆｌａｕｘら（２００２）Ｎａｔｕｒｅ  ４１８：２０７−２１１；Ｐｅｌｌｅｃｃｈｉａら（２００１）Ｊ．Ａｍ．Ｃｈｅｍ．Ｓｏｃ．１２３：４６３３−４６３４；及びＰｅｒｖｕｓｈｉｎら（１９９７）Ｐｒｏｃ．Ｎａｔｌ．Ａｃａｄ．Ｓｃｉ．ＵＳＡ  ９４：１２３６６−１２３７１参照。
【０１５８】
各種スピンラベルが例えば蛋白質構造及びダイナミクスのＮＭＲ試験におけるスピンラベルの多数の用途と共に文献に記載されている。例えば、スピンラベルを含む均質に同位体（例えば１５Ｎ）で標識された蛋白質のＮＭＲ共鳴はスピンラベルに対するレポーター基の距離（〜Ｒ６）に依存する常磁性緩和増加により広幅化する。既知構造の蛋白質では、この方法を共鳴帰属のために特に（Ｃｕｔｔｉｎｇら（２００４）“ＮＭＲ  ｒｅｓｏｎａｎｃｅ  ａｓｓｉｇｎｍｅｎｔ  ｏｆ  ｓｅｌｅｃｔｉｖｅｌｙ  ｌａｂｅｌｅｄ  ｐｒｏｔｅｉｎｓ  ｂｙ  ｔｈｅ  ｕｓｅ  ｏｆ  ｐａｒａｍａｇｎｅｔｉｃ  ｌｉｇａｎｄｓ”  Ｊ．Ｂｉｏｍｏｌ．ＮＭＲ  ３０：２０５−１０に記載されている技術と同様の）アミノ酸種選択的標識蛋白質と併用することができる。本明細書に記載するようなスピンラベルの部位特異的蛋白質導入はスピンラベルの近傍部位とのリガンド結合をスクリーニングするために使用することもできる（例えばＳＬＡＰＳＴＩＣ法，Ｊａｈｎｋｅら（２００１）ＪＡＣＳ  １２３：３１４９−５０参照）。更に、本明細書に記載するような部位特異的スピン標識による常磁性緩和増加は蛋白質構造計算のための距離制限（例えば長距離制限）を提供することができる（Ｂａｔｔｉｓｔｅ  ａｎｄ  Ｗａｇｎｅｒ（２０００）Ｂｉｏｃｈｅｍｉｓｔｒｙ  ３９：５３５５−６５）。この技術は膜蛋白質を含む大きな蛋白質の構造決定を含むＮＭＲによる構造決定を助長することができる。当然のことながら、スピン標識基を含む非天然アミノ酸は（前記基をアミノ酸の蛋白質組込み前に結合するか又は後に結合するかに関係なく）一般にそれ自体は分光分析されず、蛋白質全体で他のＮＭＲ活性核に及ぼすスピンラベルの効果が一般に分光分析される。スピンラベルを含む非天然アミノ酸により直接又はスピンラベルの結合点を提供する非天然アミノ酸により間接的に非天然アミノ酸を使用してスピンラベルを蛋白質に部位特異的に導入すると、（例えばシステイン突然変異体とのＳ−Ｓ結合形成による）現行スピンラベル導入法よりも有意利点があり、例えば、本発明の方法では、スピンラベルをシステイン残基により占有されない（又は占有できない）部位に容易に組込むことができる。スピンラベルはその酸化形態で常磁性であるが、還元するとその有用性を失うので、例えば常磁性緩和増加のＮＭＲ測定前の最終段階でスピンラベルを蛋白質に結合することにより、一般にラベルを酸化から保護する。例えばスピン標識蛋白質を含むＮＭＲサンプルにアスコルビン酸等の還元剤を加えた後に一般に還元形で参照スペクトルを収集する。
【０１５９】
スピンラベル及びＮＭＲのその他の詳細については、例えばＪａｈｎｋｅ（２００２）“Ｓｐｉｎ  ｌａｂｅｌｓ  ａｓ  ａ  ｔｏｏｌ  ｔｏ  ｉｄｅｎｔｉｆｙ  ａｎｄ  ｃｈａｒａｃｔｅｒｉｚｅ  ｐｒｏｔｅｉｎ−ｌｉｇａｎｄ  ｉｎｔｅｒａｃｔｉｏｎｓ  ｂｙ  ＮＭＲ  ｓｐｅｃｔｒｏｓｃｏｐｙ”  ＣｈｅｍＢｉｏＣｈｅｍ  ３：１６７−１７３；Ｒ．Ａ．Ｄｗｅｋ（１９７３）Ｍｏｎｏｇｒａｐｈｓ  ｏｎ  Ｐｈｙｓｉｃａｌ  Ｂｉｏｃｈｅｍｉｓｔｒｙ：Ｎｕｃｌｅａｒ  Ｍａｇｎｅｔｉｃ  Ｒｅｓｏｎａｎｃｅ（Ｎ．Ｍ．Ｒ．）ｉｎ  Ｂｉｏｃｈｅｍｉｓｔｒｙ．Ａｐｐｌｉｃａｔｉｏｎｓ  ｔｏ  ｅｎｚｙｍｅ  ｓｙｓｔｅｍｓ  Ｏｘｆｏｒｄ  Ｕｎｉｖｅｒｓｉｔｙ  Ｐｒｅｓｓ，Ｎｅｗ  Ｙｏｒｋ；Ｐ．Ａ．Ｋｏｓｅｎ（１９８９）Ｍｅｔｈｏｄｓ  Ｅｎｚｙｍｏｌ．１７７：８６；Ｈｕｂｂｅｌｌ（１９９６）“Ｗａｔｃｈｉｎｇ  ｐｒｏｔｅｉｎｓ  ｍｏｖｅ  ｕｓｉｎｇ  ｓｉｔｅ−ｄｉｒｅｃｔｅｄ  ｓｐｉｎ  ｌａｂｅｌｉｎｇ”  Ｓｔｒｕｃｔｕｒｅ  ４：７８１；Ｈｕｓｔｅｄｔ  ａｎｄ  Ｂｅｔｈ（１９９９）“Ｎｉｔｒｏｘｉｄｅ  ｓｐｉｎ−ｓｐｉｎ  ｉｎｔｅｒａｃｔｉｏｎｓ：Ａｐｐｌｉｃａｔｉｏｎｓ  ｔｏ  Ｐｒｏｔｅｉｎ  Ｓｔｒｕｃｔｕｒｅ  ａｎｄ  Ｄｙｎａｍｉｃｓ”  Ａｎｎｕａｌ  Ｒｅｖｉｅｗ  ｏｆ  Ｂｉｏｐｈｙｓｉｃｓ  ａｎｄ  Ｂｉｏｍｏｌｅｃｕｌａｒ  Ｓｔｒｕｃｔｕｒｅ  ２８：１２９−１５３：Ｂｅｒｌｉｎｅｒ，ｅｄ．（１９７６）Ｓｐｉｎ  Ｌａｂｅｌｉｎｇ：Ｔｈｅｏｒｙ  ａｎｄ  Ａｐｐｌｉｃａｔｉｏｎｓ  Ｎｅｗ  Ｙｏｒｋ：Ａｃａｄｅｍｉｃ；Ｂｅｒｌｉｎｅｒ，ｅｄ．（１９７９）Ｓｐｉｎ  Ｌａｂｅｌｉｎｇ  ＩＩ：Ｔｈｅｏｒｙ  ａｎｄ  Ａｐｐｌｉｃａｔｉｏｎｓ  Ｎｅｗ  Ｙｏｒｋ：Ａｃａｄｅｍｉｃ；Ｂｅｒｌｉｎｅｒ  ａｎｄ  Ｒｅｕｂｅｎ，ｅｄｓ．（１９８９）Ｂｉｏｌｏｇｉｃａｌ  Ｍａｇｎｅｔｉｃ  Ｒｅｓｏｎａｎｃｅ．Ｖｏｌ．ＶＩＩＩ：Ｓｐｉｎ  Ｌａｂｅｌｉｎｇ  Ｔｈｅｏｒｙ  ａｎｄ  Ａｐｐｌｉｃａｔｉｏｎｓ  Ｎｅｗ  Ｙｏｒｋ：Ｐｌｅｎｕｍ、例えばＨｉｄｅｇ  ａｎｄ  Ｈａｎｋｏｖｓｚｋｙ  “Ｃｈｅｍｉｓｔｒｙ  ｏｆ  ｓｐｉｎ−ｌａｂｅｌｅｄ  ａｍｉｎｏ  ａｃｉｄｓ  ａｎｄ  ｐｅｐｔｉｄｅｓ．Ｓｏｍｅ  ｎｅｗ  ｍｏｎｏ−ａｎｄ  ｂｉｆｕｎｃｔｉｏｎａｌｉｚｅｄ  ｎｉｔｒｏｘｉｄｅ  ｆｒｅｅ  ｒａｄｉｃａｌｓ”  ｐｐ．４２７−４８８；Ｈａｎｓｏｎら（１９９８）“Ｅｌｅｃｔｒｏｎ  ｓｐｉｎ  ｒｅｓｏｎａｎｃｅ  ａｎｄ  ｓｔｒｕｃｔｕｒａｌ  ａｎａｌｙｓｉｓ  ｏｆ  ｗａｔｅｒ  ｓｏｌｕｂｌｅ，ａｌａｎｉｎｅ−ｒｉｃｈ  ｐｅｐｔｉｄｅｓ  ｉｎｃｏｒｐｏｒａｔｉｎｇ  ＴＯＡＣ”  Ｍｏｌ．Ｐｈｙｓ．９５：９５７６６；Ｈａｎｓｏｎ  Ｐら（１９９６）“Ｄｉｓｔｉｎｇｕｉｓｈｉｎｇ  ｈｅｌｉｘ  ｃｏｎｆｏｒｍａｔｉｏｎｓ  ｉｎ  ａｌａｎｉｎｅ−ｒｉｃｈ  ｐｅｐｔｉｄｅｓ  ｕｓｉｎｇ  ｔｈｅ  ｕｎｎａｔｕｒａｌ  ａｍｉｎｏ  ａｃｉｄ  ＴＯＡＣ  ａｎｄ  ｅｌｅｃｔｒｏｎ  ｓｐｉｎ  ｒｅｓｏｎａｎｃｅ”  Ｊ．Ａｍ．Ｃｈｅｍ．Ｓｏｃ．１１８：２７１；Ｈａｎｓｏｎら（１９９６）“ＥＳＲ  ｃｈａｒａｃｔｅｒｉｚａｔｉｏｎ  ｏｆ  ｈｅｘａｍｅｒｉｃ，ｈｅｌｉｃａｌ  ｐｅｐｔｉ���ｅｓ  ｕｓｉｎｇ  ｄｏｕｂｌｅ  ＴＯＡＣ  ｓｐｉｎ  ｌａｂｅｌｉｎｇ”  Ｊ．Ａｍ．Ｃｈｅｍ．Ｓｏｃ．１１８：７６１８；Ｒａｓｓａｔ  ａｎｄ  Ｒｅｙ（１９６７）Ｂｕｌｌ．Ｓｏｃ．Ｃｈｉｍ．Ｆｒａｎｃｅ  ３：８１５−８１７；Ｊａｈｎｋｅら（２００１）Ｊ．Ａｍ．Ｃｈｅｍ．Ｓｏｃ．１２３：３１４９−３１５０；Ｍｃｈａｏｕｒａｂら（１９９６）“Ｍｏｔｉｏｎ  ｏｆ  ｓｐｉｎ−ｌａｂｅｌｅｄ  ｓｉｄｅ  ｃｈａｉｎｓ  ｉｎ  Ｔ４  ｌｙｓｏｚｙｍｅ．Ｃｏｒｒｅｌａｔｉｏｎ  ｗｉｔｈ  ｐｒｏｔｅｉｎ  ｓｔｒｕｃｔｕｒｅ  ａｎｄ  ｄｙｎａｍｉｃｓ”  Ｂｉｏｃｈｅｍｉｓｔｒｙ  ３５：７６９２−７７０４；及びＣｏｌｕｍｂｕｓら（２００１）“Ｍｏｌｅｃｕｌａｒ  ｍｏｔｉｏｎ  ｏｆ  ｓｐｉｎ  ｌａｂｅｌｅｄ  ｓｉｄｅ  ｃｈａｉｎｓ  ｉｎ  α−ｈｅｌｉｃｅｓ：Ａｎａｌｙｓｉｓ  ｂｙ  ｖａｒｉａｔｉｏｎ  ｏｆ  ｓｉｄｅ  ｃｈａｉｎ  ｓｔｒｕｃｔｕｒｅ”  Ｂｉｏｃｈｅｍｉｓｔｒｙ  ４０：３８２８−３８４６参照。
【０１６０】
常磁性金属用キレート剤とＮＭＲ試験におけるその使用も同様に詳細に記載されている。前記キレート剤は例えば、ＮＭＲ蛋白質構造精密化（Ｄｏｎａｌｄｓｏｎら（２００１）“Ｓｔｒｕｃｔｕｒａｌ  ｃｈａｒａｃｔｅｒｉｚａｔｉｏｎ  ｏｆ  ｐｒｏｔｅｉｎｓ  ｗｉｔｈ  ａｎ  ａｔｔａｃｈｅｄ  ＡＴＣＵＮ  ｍｏｔｉｆ  ｂｙ  ｐａｒａｍａｇｎｅｔｉｃ  ｒｅｌａｘａｔｉｏｎ  ｅｎｈａｎｃｅｍｅｎｔ  ＮＭＲ  ｓｐｅｃｔｒｏｓｃｏｐｙ”Ｊ．Ａｍ．Ｃｈｅｍ．Ｓｏｃ．１２３：９８４３−９８４７及びＰｉｎｔａｃｕｄａら（２００４）“Ｓｉｔｅ−ｓｐｅｃｉｆｉｃ  ｌａｂｅｌｌｉｎｇ  ｗｉｔｈ  ａ  ｍｅｔａｌ  ｃｈｅｌａｔｏｒ  ｆｏｒ  ｐｒｏｔｅｉｎ−ｓｔｒｕｃｔｕｒｅ  ｒｅｆｉｎｅｍｅｎｔ”Ｊ．Ｂｉｏｍｏｌｅｃｕｌａｒ  ＮＭＲ  ２９：３５１−３６１）、共鳴帰属（Ｐｉｎｔａｃｕｄａら（２００４）“Ｆａｓｔ  ｓｔｒｕｃｔｕｒｅ−ｂａｓｅｄ  ａｓｓｉｇｎｍｅｎｔ  ｏｆ  １５Ｎ  ＨＳＱＣ  ｓｐｅｃｔｒａ  ｏｆ  ｓｅｌｅｃｔｉｖｅｌｙ  １５Ｎ−ｌａｂｅｌｅｄ  ｐａｒａｍａｇｎｅｔｉｃ  ｐｒｏｔｅｉｎｓ”Ｊ．Ａｍ．Ｃｈｅｍ．Ｓｏｃ．１２６：２９６３−２９７０）、及び残留双極子カップリング測定のための蛋白質の磁気整列（Ｂａｒｂｉｅｒｉら（２００２）“Ｓｔｒｕｃｔｕｒｅ−ｉｎｄｅｐｅｎｄｅｎｔ  ｃｒｏｓｓ−ｖａｌｉｄａｔｉｏｎ  ｂｅｔｗｅｅｎ  ｒｅｓｉｄｕａｌ  ｄｉｐｏｌａｒ  ｃｏｕｐｌｉｎｇｓ  ｏｒｉｇｉｎａｔｉｎｇ  ｆｒｏｍ  ｉｎｔｅｒｎａｌ  ａｎｄ  ｅｘｔｅｒｎａｌ  ｏｒｉｅｎｔｉｎｇ  ｍｅｄｉａ”Ｊ．Ｂｉｏｍｏｌｅｃｕｌａｒ  ＮＭＲ  ２２：３６５−３６８及びＢａｒｂｉｅｒｉら（２００２）“Ｐａｒａｍａｇｎｅｔｉｃａｌｌｙ  ｉｎｄｕｃｅｄ  ｒｅｓｉｄｕａｌ  ｄｉｐｏｌａｒ  ｃｏｕｐｌｉｎｇｓ  ｆｏｒ  ｓｏｌｕｔｉｏｎ  ｓｔｒｕｃｔｕｒｅ  ｄｅｔｅｒｍｉｎａｔｉｏｎ  ｏｆ  ｌａｎｔｈａｎｉｄｅ  ｂｉｎｄｉｎｇ  ｐｒｏｔｅｉｎｓ”Ｊ．Ａｍ．Ｃｈｅｍ．Ｓｏｃ．１２４：５５８１−５５８７、並びにその引用文献）に使用することができる。例えば常磁性金属をキレート剤に加える前に、キレート剤を含み且つ常磁性金属を含まない蛋白質の１形態で場合により参照スペクトルを収集する。
【０１６１】
ＥＰＲ分光法（電子常磁性共鳴分光法、電子スピン共鳴又はＥＳＲ分光法とも言う）はＮＭＲと類似しているが、基本的な相違はＥＰＲが電子スピン状態の磁気誘導分割に関連するのに対し、ＮＭＲは核スピン状態間の遷移に関する点である。ＥＰＲ分光法は紫外線分析法、Ｘ線分光法、質量分析法、蛍光分光法、及び振動（例えば赤外又はラマン）分光法）と同様に文献に詳細に記載されている。例えばＷｅｉｌら（１９９４）Ｅｌｅｃｔｒｏｎ  Ｐａｒａｍａｇｎｅｔｉｃ  Ｒｅｓｏｎａｎｃｅ：Ｅｌｅｍｅｎｔａｒｙ  Ｔｈｅｏｒｙ  ａｎｄ  Ｐｒａｃｔｉｃａｌ  Ａｐｐｌｉｃａｔｉｏｎｓ，Ｗｉｌｅｙ−Ｉｎｔｅｒｓｃｉｅｎｃｅ；Ｃａｒｍｏｎａら（１９９７）Ｓｐｅｃｔｒｏｓｃｏｐｙ  ｏｆ  Ｂｉｏｌｏｇｉｃａｌ  Ｍｏｌｅｃｕｌｅｓ：Ｍｏｄｅｒｎ  Ｔｒｅｎｄｓ，Ｋｌｕｗｅｒ  Ａｃａｄｅｍｉｃ  Ｐｕｂｌｉｓｈｅｒｓ；Ｈｅｓｔｅｒら（１９９６）Ｓｐｅｃｔｒｏｓｃｏｐｙ  ｏｆ  Ｂｉｏｌｏｇｉｃａｌ  Ｍｏｌｅｃｕｌｅｓ，Ｓｐｅｃｉａｌ  Ｐｕｂｌｉｃａｔｉｏｎ  Ｒｏｙａｌ  Ｓｏｃｉｅｔｙ  ｏｆ  Ｃｈｅｍｉｓｔｒｙ（Ｇｒｅａｔ  Ｂｒｉｔａｉｎ）；Ｓｐｉｒｏ（１９８７）Ｂｉｏｌｏｇｉｃａｌ  Ａｐｐｌｉｃａｔｉｏｎｓ  ｏｆ  Ｒａｍａｎ  Ｓｐｅｃｔｒｏｓｃｏｐｙ，Ｊｏｈｎ  Ｗｉｌｅｙ  ＆  Ｓｏｎｓ  Ｉｎｃ．；及びＪｏｎｅｓら（１９９３）Ｓｐｅｃｔｒｏｓｃｏｐｉｃ  Ｍｅｔｈｏｄｓ  ａｎｄ  Ａｎａｌｙｓｅｓ：ＮＭＲ，Ｍａｓｓ  Ｓｐｅｃｔｒｏｍｅｔｒｙ，ａｎｄ  Ｒｅｌａｔｅｄ  Ｔｅｃｈｎｉｑｕｅｓ（Ｍｅｔｈｏｄｓ  ｉｎ  Ｍｏｌｅｃｕｌａｒ  Ｂｉｏｌｏｇｙ，Ｖｏｌ．１７），Ｈｕｍａｎａ  Ｐｒｅｓｓ参照。
【０１６２】
各種分光計が市販されている。例えば、ＮＭＲ分光計は例えばＶａｒｉａｎ（Ｐａｌｏ  Ａｌｔｏ，ＣＡ；ワールドワイドウェブｖａｒｉａｎｉｎｃ．ｃｏｍで販売）とＢｒｕｋｅｒ（ドイツ；ワールドワイドウェブｂｒｕｋｅｒ．ｃｏｍで販売）から市販されている。
蛋白質精製
【０１６３】
標識蛋白質の分光分析は未精製、部分精製、又は精製蛋白質にｉｎ  ｖｉｖｏ又はｉｎ  ｖｉｔｒｏで実施することができる。分光（例えば同位体）標識蛋白質又はこのように標識すべき蛋白質を翻訳系から精製することが所望される場合には、当分野で周知の多数の方法の任意のものによりこのような精製を実施することができ、例えば硫安又はエタノール沈殿、遠心分離、酸又は塩基抽出、カラムクラマトグラフィー、アフィニティーカラムクラマトグラフィー、アニオン又はカチオン交換クロマトグラフィー、ホスホセルロースクロマトグラフィー、高性能液体クロマトグラフィー（ＨＰＬＣ）、ゲル濾過、疎水性相互作用クロマトグラフィー、ヒドロキシアパタイトクロマトグラフィー、レクチンクロマトグラフィー、ゲル電気泳動等が挙げられる。
【０１６４】
本明細書に記載する他の方法に加え、各種蛋白質精製法が当分野で周知であり、例えばＲ．Ｓｃｏｐｅｓ，Ｐｒｏｔｅｉｎ  Ｐｕｒｉｆｉｃａｔｉｏｎ，Ｓｐｒｉｎｇｅｒ−Ｖｅｒｌａｇ，Ｎ．Ｙ．（１９８２）；Ｄｅｕｔｓｃｈｅｒ，Ｍｅｔｈｏｄｓ  ｉｎ  Ｅｎｚｙｍｏｌｏｇｙ  Ｖｏｌ．１８２：Ｇｕｉｄｅ  ｔｏ  Ｐｒｏｔｅｉｎ  Ｐｕｒｉｆｉｃａｔｉｏｎ，Ａｃａｄｅｍｉｃ  Ｐｒｅｓｓ，Ｉｎｃ．Ｎ．Ｙ．（１９９０）；Ｓａｎｄａｎａ（１９９７）Ｂｉｏｓｅｐａｒａｔｉｏｎ  ｏｆ  Ｐｒｏｔｅｉｎｓ，Ａｃａｄｅｍｉｃ  Ｐｒｅｓｓ，Ｉｎｃ．；Ｂｏｌｌａｇら（１９９６）Ｐｒｏｔｅｉｎ  Ｍｅｔｈｏｄｓ，２ｎｄ  Ｅｄｉｔｉｏｎ  Ｗｉｌｅｙ−Ｌｉｓｓ，ＮＹ；Ｗａｌｋｅｒ（１９９６）Ｔｈｅ  Ｐｒｏｔｅｉｎ  Ｐｒｏｔｏｃｏｌｓ  Ｈａｎｄｂｏｏｋ  Ｈｕｍａｎａ  Ｐｒｅｓｓ，ＮＪ；Ｈａｒｒｉｓ  ａｎｄ  Ａｎｇａｌ（１９９０）Ｐｒｏｔｅｉｎ  Ｐｕｒｉｆｉｃａｔｉｏｎ  Ａｐｐｌｉｃａｔｉｏｎｓ：Ａ  Ｐｒａｃｔｉｃａｌ  Ａｐｐｒｏａｃｈ  ＩＲＬ  Ｐｒｅｓｓ  ａｔ  Ｏｘｆｏｒｄ，Ｏｘｆｏｒｄ，Ｅｎｇｌａｎｄ；Ｓｃｏｐｅｓ（１９９３）Ｐｒｏｔｅｉｎ  Ｐｕｒｉｆｉｃａｔｉｏｎ：Ｐｒｉｎｃｉｐｌｅｓ  ａｎｄ  Ｐｒａｃｔｉｃｅ  ３ｒｄ  Ｅｄｉｔｉｏｎ  Ｓｐｒｉｎｇｅｒ  Ｖｅｒｌａｇ，ＮＹ；Ｊａｎｓｏｎ  ａｎｄ  Ｒｙｄｅｎ（１９９８）Ｐｒｏｔｅｉｎ  Ｐｕｒｉｆｉｃａｔｉｏｎ：Ｐｒｉｎｃｉｐｌｅｓ，Ｈｉｇｈ  Ｒｅｓｏｌｕｔｉｏｎ  Ｍｅｔｈｏｄｓ  ａｎｄ  Ａｐｐｌｉｃａｔｉｏｎｓ，Ｓｅｃｏｎｄ  Ｅｄｉｔｉｏｎ  Ｗｉｌｅｙ−ＶＣＨ，ＮＹ；及びＷａｌｋｅｒ（１９９８）Ｐｒｏｔｅｉｎ  Ｐｒｏｔｏｃｏｌｓ  ｏｎ  ＣＤ−ＲＯＭ  Ｈｕｍａｎａ  Ｐｒｅｓｓ，ＮＪ；並びにその引用文献に記載されている方法が挙げられる。
【０１６５】
蛋白質が細胞内合成、単離又は精製中に変性する場合には蛋白質の活性コンホメーションを得るために必要に応じて周知蛋白質リフォールディング技術を使用することができる。蛋白質の還元、変性及び再生方法も当業者に周知である（上記文献に加え、Ｄｅｂｉｎｓｋｉら（１９９３）Ｊ．Ｂｉｏｌ．Ｃｈｅｍ．，２６８：１４０６５−１４０７０；Ｋｒｅｉｔｍａｎ  ａｎｄ  Ｐａｓｔａｎ（１９９３）Ｂｉｏｃｏｎｊｕｇ．Ｃｈｅｍ．，４：５８１−５８５；及びＢｕｃｈｎｅｒら（１９９２）Ａｎａｌ．Ｂｉｏｃｈｅｍ．，２０５：２６３−２７０参照）。
【０１６６】
ポリペプチドをコードするヌクレオチド配列は場合によりポリペプチドの精製を助長するか及び／又は融合ポリペプチドと粒子、固体支持体又は別の試薬の結合を助長するモジュール（例えばドメイン又はタグ）をコードする配列とインフレーム融合することができる。このようなモジュールとしては限定されないが、固相化金属上の精製及び／又は前記金属との結合を可能にするヒスチジン−トリプトファンモジュール（例えばヘキサヒスチジンタグ）等の金属キレート化ペプチド、グルタチオンと結合する配列（例えばＧＳＴ）、ヘマグルチニン（ＨＡ）タグ（インフルエンザヘマグルチニン蛋白質に由来するエピトープに対応；Ｗｉｌｓｏｎら（１９８４）Ｃｅｌｌ  ３７：７６７）、マルトース結合蛋白質配列、ＦＬＡＧＳ伸長／アフィニティー精製システムで使用されるＦＬＡＧエピトープ（Ｉｍｍｕｎｅｘ  Ｃｏｒｐ，Ｓｅａｔｔｌｅ，ＷＡ）等が挙げられる。プロテアーゼで開裂可能なポリペプチドリンカー配列を精製ドメインと本発明の配列の間に挿入すると、ポリペプチドの精製後、又は精製中にモジュールを除去するのに有用である。
【０１６７】
当然のことながら、本明細書に記載する実施例と態様は例証の目的に過ぎず、これらの記載に鑑み、種々の変形又は変更が当業者に示唆され、このような変形又は変更も本願の精神と範囲及び特許請求の範囲に含むものとする。従って、以下の実施例は特許請求の範囲に記載する発明を例証するものであり、これを限定するものではない
【実施例１】
【０１６８】
ＮＭＲ試験のための蛋白質の部位特異的ＩＮ  ＶＩＶＯ標識
以下、ＮＭＲのための蛋白質の部位特異的標識を実証する一連の実験について記載する。同位体標識アミノ酸を蛋白質に組込み、蛋白質のＮＭＲ試験（例えば共鳴帰属）を助長する。
【０１６９】
Ｍ．ｊａｎｎａｓｃｈｉｉチロシルｔＲＮＡ／ｔＲＮＡシンテターゼ対は大腸菌で直交性であることが立証されており、即ちｔＲＮＡもシンテターゼも内在大腸菌ｔＲＮＡ又はシンテターゼと交差反応しないことが立証されている。ナンセンス及びフレームシフトコドンに応答してケト、糖、アジド、アルキニル、及び光架橋性アミノ酸を含む多数の非天然アミノ酸の選択的且つ効率的な組込みを可能にするように、前記及び他の直交ｔＲＮＡ−シンテターゼ対の特異性を進化させることができる（Ａｌｆｏｎｔａら（２００３）Ｊ．Ａｍ．Ｃｈｅｍ．Ｓｏｃ．１２５：１４６６２，Ｄｅｉｔｅｒｓら（２００３）Ｊ．Ａｍ．Ｃｈｅｍ．Ｓｏｃ．１２５：１１７８２，Ｚｈａｎｇら（２００３）Ｂｉｏｃｈｅｍｉｓｔｒｙ  ４２：６７３５，及びＣｈｉｎら（２００２）Ｐｒｏｃ．Ｎａｔｌ．Ａｃａｄ．Ｓｃｉ．９９：１１０２０）。同位体標識アミノ酸をこの方法により大腸菌の蛋白質に選択的に導入するためには、２０種の標準アミノ酸に対して顕著な構造差異がなければならない。任意特定標準アミノ酸の野生型シンテターゼは同位体置換アミノ酸を十分に識別することができず、蛋白質全体に組込んでしまうため、同位体自体にこの差異を求めることはできない。従って、１５Ｎ標識フェニルアラニン誘導体２を市販材料１から４段階で総収率７６％にて合成した（図１）。反応シーケンスはアミノ基のＢｏｃ保護（Ｂｏｃ２Ｏ，Ｅｔ３Ｎ，ジオキサン／Ｈ２Ｏ）、ヒドロキシ基とカルボキシ基の同時メチル化（ＭｅＩ，Ｋ２ＣＯ３，ＤＭＦ）、Ｂｏｃ基の除去（ＨＣｌ，ＭｅＯＨ）、及びその後のエステルの鹸化（ＮａＯＨ，ＭｅＯＨ／Ｈ２Ｏ）から構成される。メトキシ基は大腸菌の翻訳機構がフェニルアラニン、チロシン、及び他の天然アミノ酸から区別するために十分でありながら、該当蛋白質内の構造撹乱を最小にするために十分小さい。
【０１７０】
２を蛋白質のユニーク部位に組込むために、ｐ−メトキシフェニルアラニンを遺伝的にコードするように大腸菌で既に進化させた直交ＴｙｒＲＳ／ｔＲＮＡＣＵＡ対を使用した。このｔＲＮＡシンテターゼ対を使用してｐ−メトキシフェニルアラニンはジヒドロ葉酸レダクターゼに高い忠実度と効率で組込まれている（Ｗａｎｇら（２００１）Ｓｃｉｅｎｃｅ  ２９２：４９８）。本実施例では、このｔＲＮＡＣＵＡ／ＴｙｒＲＳ対を使用し、数十年来構造及び運動試験の中心となっている筋肉内酸素貯蔵に関与するモノマー１５３残基ヘム蛋白質であるマッコウクジラミオグロビンに２を選択的に組込む（Ｒｅｅｄｙ  ａｎｄ  Ｇｉｂｎｅｙ（２００４）Ｃｈｅｍ．Ｒｅｖ．１０４：６１７とその引用文献）。鉄ポルフィリン補欠分子族を抽出することによりミオグロビンから誘導されるアポミオグロビンは蛋白質フォールディングのモデルシステムとして広く研究されている（Ｕｚａｗａら（２００４）Ｐｒｏｃ．Ｎａｔｌ．Ａｃａｄ．Ｓｃｉ．ＵＳＡ  １０１：１１７１とその引用文献、及びＷｒｉｇｈｔ  ａｎｄ  Ｂａｌｄｗｉｎ（２０００）ｉｎ  Ｆｒｏｎｔｉｅｒｓ  ｉｎ  Ｍｏｌｅｃｕｌａｒ  Ｂｉｏｌｏｇｙ：Ｍｅｃｈａｎｉｓｍｓ  ｏｆ  Ｐｒｏｔｅｉｎ  Ｆｏｌｄｉｎｇ，Ｒ．Ｐａｉｎ，ｅｄ．，Ｏｘｆｏｒｄ  Ｕｎｉｖｅｒｓｉｔｙ  Ｐｒｅｓｓ，Ｌｏｎｄｏｎ，ｐｐ．３０９）。従って、ミオグロビンは蛋白質フォールディングの今後の研究でＮＭＲプローブの部位特異的導入を利用するために魅力的なモデルシステムである。部位特異的に１５Ｎ標識したミオグロビンを作製するために、４番目のコドン（Ｓｅｒ４）をＴＡＧに突然変異させ、Ｃ末端６×Ｈｉｓタグを付加した。突然変異体ＭｊＴｙｒＲＳ、ｔＲＮＡＣＵＡ、及び２（液体最小培地中１ｍＭ）の存在下で、Ｎｉ−アフィニティークロマトグラフィーによる精製後に収量１ｍｇ／Ｌで全長ミオグロビンが生成され、ＳＤＳ−Ｐａｇｅ及びＧｅｌｃｏｄｅ  Ｂｌｕｅ染色により、＞９０％均質であることが確認された。２の不在下ではミオグロビンは認められず、２の組込みの忠実度は＞９９％であることが判明した（図２）。
【０１７１】
精製蛋白質を５０ｍＭリン酸緩衝液（ｐＨ５．６）で透析し、濃縮し、ｉｎ  ｖｉｔｒｏ法（Ｅｌｌｍａｎら（１９９２）Ｊ．Ａｍ．Ｃｈｅｍ．Ｓｏｃ．１１４：７９５９）では生産することが非常に困難であった部位特異的標識蛋白質の量である５５μＭ  ＮＭＲサンプル（９０％：１０％Ｈ２Ｏ／Ｄ２Ｏ）０．５ｍＬを得た。非標識ｐ−メトキシフェニルアラニンを使用して同様のサンプルを調製した。Ｂｒｕｋｅｒ  Ａｖａｎｃｅ  ６００で３００Ｋにて６４ｔ１インクリメントとスキャン数５１２／インクリメントを使用して得られた１Ｈ−１５Ｎ  ＨＳＱＣ実験で両者サンプルを使用した。１５Ｎ標識蛋白質のスペクトルはアミドプロトン８．８６ｐｐｍ（１Ｈ化学シフト）及びアミド窒素共鳴１２０．６ｐｐｍ（１５Ｎ化学シフト）で単一アミド相関ピークを示す。未標識ミオグロビンサンプルについて同一条件下で得られたＨ−１５Ｎ  ＨＳＱＣ実験の同一領域は相関ピークを示さない（図３）。
【０１７２】
要約すると、ＮＭＲ試験に十分な量の部位特異的標識蛋白質を得るために遺伝的にコードされた同位体標識アミノ酸を使用することができる。（注目すべき点として、ｘ線結晶構造解析による蛋白質構造決定に同様の標識技術が使用されており、１個以上の重原子を含む非天然アミノ酸の組込みにより位相決定を助長している；ＵＳＳＮ  ６０／６０２，０４８参照。）本発明のｉｎ  ｖｉｖｏ実験システムは１５Ｎラベルの組込みに加えて規定最小培地を使用するので、大きな蛋白質の完全又は部分的に重水素化した蛋白質サンプルを作製することができる。ｐ−メトキシフェニルアラニン、又は他の非天然アミノ酸の付加位置も例えば２Ｈ及び１３Ｃ同位体で標識することができる。部位特異性標識蛋白質の作製は酵母でも可能である（Ｃｈｉｎら（２００３）Ｓｃｉｅｎｃｅ  ３０１：９６４）ので、転写後修飾をもつ蛋白質を獲得するための経路を確立する。従って、この方法はより大きな蛋白質及びリガンドとのその相互作用、そのコンホメーション変化、及びその触媒機序の詳細な試験を可能にする。更に、このｉｎ  ｖｉｖｏ標識技術は他の巨大分子の中から特定蛋白質を観測し易くすることにより細胞内ＮＭＲ適用を可能にする（Ｓｅｒｂｅｒら（２００４）Ｊ．Ａｍ．Ｃｈｅｍ．Ｓｏｃ．１２６：７１１９−７１２５とその引用文献）。
【０１７３】
以上、明確に理解できるように本発明を多少詳細に記載したが、本発明の真の範囲を逸脱することなく形態や細部に種々の変更が可能であることは以上の開示から当業者に自明である。例えば、上記全技術及び装置は種々に組合せて使用することができる。本明細書に引用した全刊行物、特許、特許出願、及び／又は他の文献はその開示内容全体を全目的で参考資料として組込み、各刊行物、特許、特許出願、及び／又は他の文献を全目的で参考資料として組込むと個々に記載しているものとして扱う。
【図面の簡単な説明】
【０１７４】
【図１】１５Ｎ標識ｐ−メトキシフェニルアラニン（２）の合成を模式的に示す。
【図２】精製１５Ｎ−ＭｅＯＰｈｅ−ミオグロビンのＧｅｌｃｏｄｅ  Ｂｌｕｅ染色ＳＤＳ−ＰＡＧＥゲルを示す。レーン１は１ｍＭ  １５Ｎ標識ｐ−メトキシフェニルアラニン（２）の存在下で最小培地中で発現させた蛋白質を含み；レーン２は１５Ｎ標識ｐ−メトキシフェニルアラニン（２）の不在下で発現させたサンプルを含む。
【図３】１５Ｎ−ＭｅＯＨ−Ｐｈｅ４で標識したミオグロビン（左）と非標識ミオグロビン（右）の１Ｈ−１５Ｎ  ＨＳＱＣ  ＮＭＲスペクトルを示す。２Ｄコンタープロット（１Ｈ化学シフト、横軸；１５Ｎ化学シフト、縦軸）の上に１２０．６ｐｐｍの窒素化学シフトにおける横断面を示す。
【図１】
2008513806.tif 000005
【図２】
2008513806.tif 000006
【図３】
2008513806.tif 000007